(57)【特許請求の範囲】
【請求項１】
方法であって、
基地局集約装置によって無線デバイス（４０６）に基地局分散装置を介して、前記無線デバイスの構成パラメータを伝送することと、
前記基地局集約装置によって前記無線デバイスから前記基地局分散装置を介して、前記構成パラメータのうちの少なくとも１つの確定を受信することと、
前記基地局集約装置によって前記基地局分散装置に、前記無線デバイスが前記構成パラメータに基づいて再構成プロシージャを正常に実行したことの表示を伝送することと
を含む、方法。
【請求項２】
前記基地局集約装置によって前記基地局分散装置から、前記無線デバイスの前記構成パラメータに基づく第２の構成パラメータを受信することをさらに含む、請求項１に記載の方法。
【請求項３】
前記構成パラメータは、セカンダリセルのセカンダリセル追加表示を含む、請求項１〜２のいずれかに記載の方法。
【請求項４】
前記構成パラメータは、
セカンダリセルのセカンダリセル解放表示、
セルの定期的リソースの定期的リソーススケジューリング情報、
伝送電力構成パラメータ、または、
ランダムアクセス構成パラメータ
のうちの少なくとも１つを含む、請求項１〜３のいずれかに記載の方法。
【請求項５】
基地局集約装置であって、
１つ以上のプロセッサと、
命令を記憶するメモリと
を備え、
前記命令は、前記１つ以上のプロセッサによって実行されると、
無線デバイス（４０６）に基地局分散装置を介して、前記無線デバイスの構成パラメータを伝送することと、
前記無線デバイスから前記基地局分散装置を介して、前記構成パラメータのうちの少なくとも１つの確定を受信することと、
前記基地局分散装置に、前記無線デバイスが前記構成パラメータに基づいて再構成プロシージャを正常に実行したことの表示を伝送することと
を前記基地局集約装置に行わせる、基地局集約装置。
【請求項６】
前記命令は、前記１つ以上のプロセッサによって実行されると、前記基地局分散装置から、前記無線デバイスの前記構成パラメータに基づく第２の構成パラメータを受信することを前記基地局集約装置にさらに行わせる、請求項５に記載の基地局集約装置。
【請求項７】
前記無線デバイスの前記構成パラメータは、セカンダリセルのセカンダリセル追加表示を含む、請求項５〜６のいずれかに記載の基地局集約装置。
【請求項８】
前記無線デバイスの前記構成パラメータは、
セカンダリセルのセカンダリセル解放表示、
セルの定期的リソースの定期的リソーススケジューリング情報、
伝送電力構成パラメータ、または、
ランダムアクセス構成パラメータ
のうちの少なくとも１つを含む、請求項５〜７のいずれかに記載の基地局集約装置。
【請求項９】
方法であって、
基地局分散装置によって無線デバイス（４０６）に、基地局集約装置から受信された、前記無線デバイスの構成パラメータを伝送することと、
前記基地局分散装置によって前記基地局集約装置に、前記無線デバイスから受信された、前記構成パラメータのうちの少なくとも１つを確定する表示を伝送することと、
前記基地局分散装置によって前記基地局集約装置から、前記無線デバイスが前記構成パラメータに基づいて再構成プロシージャを正常に実行したことを示すメッセージを受信することと
を含む、方法。
【請求項１０】
前記基地局分散装置によって前記基地局集約装置に、前記無線デバイスの前記構成パラメータに基づく第２の構成パラメータを伝送することをさらに含む、請求項９に記載の方法。
【請求項１１】
前記無線デバイスの前記構成パラメータは、セカンダリセルのセカンダリセル追加表示を含む、請求項９〜１０のいずれかに記載の方法。
【請求項１２】
前記無線デバイスの前記構成パラメータは、
セカンダリセルのセカンダリセル解放表示、
セルの定期的リソースの定期的リソーススケジューリング情報、
伝送電力構成パラメータ、または、
ランダムアクセス構成パラメータ
のうちの少なくとも１つを含む、請求項９〜１１のいずれかに記載の方法。
【請求項１３】
基地局分散装置であって、
１つ以上のプロセッサと、
命令を記憶するメモリと
を備え、
前記命令は、前記１つ以上のプロセッサによって実行されると、
無線デバイス（４０６）に、基地局集約装置から受信された、前記無線デバイスの構成パラメータを伝送することと、
前記基地局集約装置に、前記無線デバイスから受信された、前記構成パラメータのうちの少なくとも１つを確定する表示を伝送することと、
前記基地局集約装置から、前記無線デバイスが前記構成パラメータに基づいて再構成プロシージャを正常に実行したことを示すメッセージを受信することと
を前記基地局分散装置に行わせる、基地局分散装置。
【請求項１４】
前記命令は、前記１つ以上のプロセッサによって実行されると、前記基地局集約装置に、前記無線デバイスの前記構成パラメータに基づく第２の構成パラメータを伝送することを前記基地局分散装置にさらに行わせる、請求項１３に記載の基地局分散装置。
【請求項１５】
前記無線デバイスの前記構成パラメータは、セカンダリセルのセカンダリセル追加表示を含む、請求項１３〜１４のいずれかに記載の基地局分散装置。
【発明の詳細な説明】
【技術分野】
【０００１】
関連出願の相互参照
本出願は、２０１７年８月１０日に出願された米国仮特許出願第６２／５４３，８３６号、２０１７年８月１０日に出願された米国仮特許出願第６２／５４３，８３９号、２０１７年８月１０日に出願された米国仮特許出願第６２／５４３，８４１号、および２０１７年８月１０日に出願された米国仮特許出願第６２／５４３，８４７号の利益を主張し、それらの全体は参照によって本明細書に組み込まれる。
【発明の概要】
【課題を解決するための手段】
【０００２】
本発明の例示的な実施形態は、無線通信システムの動作を可能にする。ここに開示する技術の実施形態を、マルチキャリア通信システムの技術分野において用いることが可能である。より具体的には、ここに開示する技術の実施形態は、マルチキャリア通信システムのセルラー無線システムに関し得る。
本発明は、例えば、以下を提供する。
（項目１）
方法であって、
基地局集約装置によって基地局分散装置に、無線デバイスの第１の構成パラメータを含む第１のメッセージを伝送することと、
前記基地局集約装置によって前記基地局分散装置から、前記第１の構成パラメータに基づく第２の構成パラメータを含む、前記第１のメッセージの肯定応答を示す第２のメッセージを受信することと、
前記基地局集約装置によって前記無線デバイスに前記基地局分散装置を介して、前記第２の構成パラメータを含む第３のメッセージを伝送することと、
前記基地局集約装置によって前記無線デバイスから前記基地局分散装置を介して、前記第２の構成パラメータのうちの少なくとも１つを確定する第４のメッセージを受信することと、
前記基地局集約装置によって前記基地局分散装置に、前記無線デバイスが前記第２の構成パラメータに基づいて再構成プロシージャを正常に実行したことを示す第５のメッセージを伝送することと、を含む、方法。
（項目２）
前記第２の構成パラメータが、セカンダリセルのセカンダリセル追加表示を含む、項目１に記載の方法。
（項目３）
前記第２の構成パラメータが、セカンダリセルのセカンダリセル修正表示を含む、項目１〜２のいずれかに記載の方法。
（項目４）
前記第２の構成パラメータが、
セカンダリセルのセカンダリセル解放表示、
セルの定期的リソースの定期的リソーススケジューリング情報、
伝送電力構成パラメータ、
サイドリンク構成パラメータ、または
ランダムアクセス構成パラメータ、のうちの少なくとも１つを含む、項目１〜３のいずれかに記載の方法。
（項目５）
前記第２の構成パラメータが、セルの定期的リソースの定期的リソーススケジューリング情報を含み、前記定期的リソーススケジューリング情報が、
定期性構成パラメータ、
周波数構成パラメータ、または
ニューメロロジー表示パラメータ、のうちの少なくとも１つを含む、項目１〜４のいずれかに記載の方法。
（項目６）
前記第２の構成パラメータが、ランダムアクセス構成パラメータを含み、前記ランダムアクセス構成パラメータが、
プリアンブルインデックス、または
ランダムアクセスリソース情報、のうちの少なくとも１つを含む、項目１〜５のいずれかに記載の方法。
（項目７）
前記基地局分散装置によって前記無線デバイスに、前記第５のメッセージに基づいて、定期的リソースのアクティブ化を示す媒体アクセス制御制御要素を伝送することをさらに含む、項目１〜６のいずれかに記載の方法。
（項目８）
前記基地局分散装置によって前記無線デバイスに、前記第５のメッセージに基づいて、セカンダリセルに対するランダムアクセス開始コマンドを示す物理ダウンリンク制御チャネルオーダーを伝送することをさらに含む、項目１〜７のいずれかに記載の方法。
（項目９）
前記基地局分散装置によって前記無線デバイスに、前記第５のメッセージに基づいて、セカンダリセルのアクティブ化または非アクティブ化を示す媒体アクセス制御制御要素を伝送することをさらに含む、項目１〜８のいずれかに記載の方法。
（項目１０）
前記第５のメッセージの受信に応答して、前記無線デバイスの前記第２の構成パラメータに基づいて前記基地局分散装置を構成することをさらに含む、項目１〜９のいずれかに記載の方法。
（項目１１）
前記第２の構成パラメータが、前記第１の構成パラメータのうちの少なくとも１つの肯定応答を示す、項目１〜１０のいずれかに記載の方法。
（項目１２）
前記無線デバイスが、前記第２の構成パラメータのうちの１つ以上を拒否する、項目１〜１１のいずれかに記載の方法。
（項目１３）
前記第２の構成パラメータが、前記無線デバイスの第１のセルに対するものである、項目１〜１２のいずれかに記載の方法。
（項目１４）
前記第２のメッセージおよび前記第５のメッセージが、前記第５のメッセージの前記再構成プロシージャが前記第２の構成パラメータに対するものであることを示す無線リソース制御構成インデックスをさらに含む、項目１〜１３のいずれかに記載の方法。
（項目１５）
前記第１のメッセージ、前記第２のメッセージ、および前記第５のメッセージが、Ｆ１インターフェースを介して伝送される、項目１〜１４のいずれかに記載の方法。
（項目１６）
前記第３のメッセージおよび前記第４のメッセージが、無線リソース制御メッセージを含む、項目１〜１５のいずれかに記載の方法。
（項目１７）
基地局が、前記基地局集約装置および前記基地局分散装置を含む、項目１〜１６のいずれかに記載の方法。
（項目１８）
前記基地局集約装置が、前記無線デバイスに対する無線リソース制御機能を含み、
前記基地局分散装置が、
前記無線デバイスに対する媒体アクセス制御レイヤ機能、または
前記無線デバイスに対する物理レイヤ機能、のうちの少なくとも１つを含む、項目１〜１７のいずれかに記載の方法。
（項目１９）
前記基地局集約装置によって前記無線デバイスに、前記基地局分散装置を介して１つ以上の第１のパケットを伝送することと、
前記基地局集約装置によって前記無線デバイスから、前記基地局分散装置を介して１つ以上の第２のパケットを受信することと、をさらに含む、項目１〜１８のいずれかに記載の方法。
（項目２０）
前記第３のメッセージが、無線リソース制御再構成メッセージを含み、
前記第４のメッセージが、無線リソース制御再構成完了メッセージを含む、項目１〜１９のいずれかに記載の方法。
（項目２１）
方法であって、
基地局集約装置によって基地局分散装置に、無線デバイスの第１の構成パラメータを含む第１のメッセージを伝送することと、
前記基地局集約装置によって前記基地局分散装置から、前記第１の構成パラメータに基づく第２の構成パラメータを含む、前記第１のメッセージの肯定応答を示す第２のメッセージを受信することと、
前記基地局集約装置によって前記無線デバイスに前記基地局分散装置を介して、前記第２の構成パラメータを含む第３のメッセージを伝送することと、
前記基地局集約装置によって前記無線デバイスから前記基地局分散装置を介して、前記第２の構成パラメータのうちの少なくとも１つの再構成プロシージャのステータスを報告する第４のメッセージを受信することと、
前記基地局集約装置によって前記基地局分散装置に、前記無線デバイスが前記第２の構成パラメータに基づいて前記再構成プロシージャを正常に実行したことを示す第５のメッセージを伝送することと、を含む、方法。
（項目２２）
前記基地局分散装置によって前記無線デバイスに、前記第５のメッセージに基づいて、定期的リソースのアクティブ化を示す媒体アクセス制御制御要素を伝送することをさらに含み、前記第２の構成パラメータが、定期的リソースの定期的リソーススケジューリング情報を含む、項目２１に記載の方法。
（項目２３）
前記基地局分散装置によって前記無線デバイスに、前記第５のメッセージに基づいて、セカンダリセルのランダムアクセス開始コマンドを示す物理ダウンリンク制御チャネルオーダーを伝送することをさらに含み、前記第２の構成パラメータが、
前記セカンダリセルのセカンダリセル追加表示、または
前記セカンダリセルのセカンダリセル修正表示、のうちの少なくとも１つを含む、項目２１〜２２のいずれかに記載の方法。
（項目２４）
前記基地局分散装置によって前記無線デバイスに、前記第５のメッセージに基づいて、セカンダリセルのアクティブ化または非アクティブ化を示す媒体アクセス制御制御要素を伝送することをさらに含み、前記第２の構成パラメータが、
前記セカンダリセルのセカンダリセル追加表示、または
前記セカンダリセルのセカンダリセル修正表示、のうちの少なくとも１つを含む、項目２１〜２３のいずれかに記載の方法。
（項目２５）
方法であって、
基地局分散装置によって基地局集約装置に、無線デバイスに対する第１のセルの無線リソース構成パラメータを含む第１のメッセージを受信することと、
前記基地局分散装置によって前記基地局集約装置に、前記第１のメッセージに応答して、前記無線リソース構成パラメータの肯定応答を示す第２のメッセージを伝送することと、
前記基地局分散装置によって前記無線デバイスに、前記基地局集約装置から受信された、前記無線リソース構成パラメータに基づく無線リソース制御構成パラメータを含む第３のメッセージを転送することと、
前記基地局分散装置によって前記基地局集約装置に、前記無線デバイスから受信された、無線リソース制御構成パラメータを確定する第４のメッセージを転送することと、
前記基地局分散装置によって前記基地局集約装置から、前記無線デバイスが前記無線リソース構成パラメータに基づいて再構成プロシージャを実行したことを示す第５のメッセージを受信することと、
前記基地局分散装置によって、前記第５のメッセージの受信に応答して、前記無線デバイスの前記無線リソース構成パラメータに基づいて前記基地局分散装置を構成することと、を含む、方法。
（項目２６）
方法であって、
基地局集約装置によって基地局分散装置に、無線デバイスに対する第１の構成パラメータを含む第１のメッセージを伝送することと、
前記基地局集約装置によって前記基地局分散装置から、前記第１の構成パラメータに基づいて決定された第２の構成パラメータを含む第１のメッセージの肯定応答を示す第２のメッセージを受信することと、
前記基地局集約装置によって前記無線デバイスに前記基地局分散装置を介して、前記第２の構成パラメータを含む第３のメッセージを伝送することと、
前記基地局分散装置によって、前記無線デバイスへの前記第３のメッセージの転送に応答して構成タイマを始動させることと、
基地局集約装置によって前記無線デバイスから前記基地局分散装置を介して、前記第２の構成パラメータの１つ以上の要素を確定する第４のメッセージを受信することと、
前記基地局分散装置によって、前記構成タイマの満了に応じて、前記無線デバイスが前記第２の構成パラメータに基づいて再構成プロシージャを正常に実行したとみなすことと、を含む、方法。
（項目２７）
方法であって、
基地局集約装置によって基地局分散装置に、無線デバイスに対する第１の構成パラメータを含む第１のメッセージを伝送することと、
前記基地局集約装置によって前記基地局分散装置から、前記第１の構成パラメータに基づいて決定された第２の構成パラメータを含む、前記第１のメッセージの肯定応答を示す第２のメッセージを受信することと、
前記基地局集約装置によって前記無線デバイスに前記基地局分散装置を介して、前記第２の構成パラメータを含む第３のメッセージを伝送することと、
前記基地局集約装置によって前記無線デバイスから前記基地局分散装置を介して、前記第２の構成パラメータの１つ以上の要素を確定する第４のメッセージを受信することと、
前記基地局分散装置によって前記無線デバイスから、前記無線デバイスが前記第２の構成パラメータに基づいて再構成プロシージャを正常に実行したことを示す第５のメッセージを受信することと、を含む、方法。
（項目２８）
前記第５のメッセージが、
媒体アクセス制御レイヤメッセージ、または
物理レイヤ表示、のうちの少なくとも１つを介して伝送される、項目２７に記載の方法。
（項目２９）
方法であって、
基地局分散装置によって基地局集約装置に、第１のセルの１つ以上のビーム構成パラメータを含む第１のメッセージを伝送することを含み、前記１つ以上のビーム構成パラメータが、
第１のビームを識別する第１のビームインデックスと、
前記第１のビームの第１のビームスケジューリング情報と、を含み、
前記基地局分散装置によって前記基地局集約装置から、前記第１のメッセージの肯定応答を示す第２のメッセージを受信することと、
前記基地局分散装置によって複数の無線デバイスに、前記第１のセルの１つ以上のビーム構成パラメータを含むシステム情報ブロックを伝送することと、
前記基地局分散装置によって前記複数の無線デバイスに、前記第１のビームを介して同期信号を伝送することと、を含む、方法。
（項目３０）
前記第１のビームスケジューリング情報が、
同期信号の定期性、
同期信号の周波数、
チャネル状態情報参照信号の定期性、または
チャネル状態情報参照信号の周波数、のうちの少なくとも１つを含む、項目２９に記載の方法。
（項目３１）
前記基地局分散装置によって前記複数の無線デバイスに、前記システム情報ブロックの前記伝送が、前記基地局集約装置を介する、項目２９〜３０のいずれかに記載の方法。
（項目３２）
前記基地局集約装置によって無線デバイスに、前記１つ以上のビーム構成パラメータを含む無線リソース制御メッセージを伝送することをさらに含む、項目２９〜３１のいずれかに記載の方法。
（項目３３）
方法であって、
第１の分散型無線アクセスネットワークエンティティによって集中型無線アクセスネットワークエンティティから、前記第１の分散型無線アクセスネットワークエンティティのサービングセルに対する１つ以上のビーム構成パラメータを含む第１のメッセージを受信することを含み、前記第１のメッセージが、
第１のビームのアクティブ化、
第２のビームの非アクティブ化、および
第３のビームの構成の修正、のうちの少なくとも１つを要求するように構成されており、
前記第１の分散型無線アクセスネットワークエンティティによって前記集中型無線アクセスネットワークエンティティに、前記第１のメッセージに応答して、
前記第１のメッセージの前記要求の受諾、および
前記第１のメッセージの前記要求の拒否、のうちの少なくとも１つを示す第２のメッセージを伝送することと、
前記第１の分散型無線アクセスネットワークエンティティによって、前記１つ以上のビーム構成パラメータに基づいてビーム構成を構成することと、
前記第１の分散型無線アクセスネットワークエンティティによって複数の無線デバイスに、前記１つ以上のビーム構成パラメータに基づいて決定されたビーム情報を伝送することと、を含む、方法。
（項目３４）
前記集中型無線アクセスネットワークエンティティによって、
第１の無線デバイス、
近隣の基地局、
前記第１の分散型無線アクセスネットワークエンティティ、または
第２の分散型無線アクセスネットワークエンティティ、のうちの少なくとも１つから第３のメッセージを受信することをさらに含む、項目３３に記載の方法。
（項目３５）
前記第３のメッセージが、
１つ以上のセルの１つ以上のビームのリソースステータス情報、
１つ以上のセルのリソースステータス情報、
１つ以上のセルの１つ以上のビームの負荷ステータス情報（例えば、サービング無線デバイスの数、無線リソース制御非アクティブ状態無線デバイスの数、ランダムアクセスリソース利用情報など）、
１つ以上のセルの負荷ステータス情報、
１つ以上のビームのアップリンク受信干渉情報、
１つ以上のセルのアップリンク受信干渉情報、
１つ以上のビームのダウンリンク受信干渉情報、または
１つ以上のセルのダウンリンク受信干渉情報、のうちの少なくとも１つを含む、項目３４に記載の方法。
（項目３６）
前記集中型無線アクセスネットワークエンティティが、前記第３のメッセージに基づいて前記第１のメッセージの１つ以上の要素を決定する、項目３４〜３５のいずれかに記載の方法。
（項目３７）
前記集中型無線アクセスネットワークエンティティによって前記第１の分散型無線アクセスネットワークエンティティから、第３のメッセージを受信することをさらに含む、項目３３〜３６のいずれかに記載の方法。
（項目３８）
前記集中型無線アクセスネットワークエンティティによって無線デバイスに、前記第２のメッセージに基づく１つ以上の無線リソース制御構成パラメータを含む第４のメッセージを伝送することをさらに含む、項目３３〜３７のいずれかに記載の方法。
（項目３９）
前記１つ以上のビーム構成パラメータが、
ビームインデックス、
ビームスケジューリング情報、
ビーム伝送電力、または
ビームステアリング方向、のうちの少なくとも１つを示す、項目３３〜３８のいずれかに記載の方法。
（項目４０）
方法であって、
基地局集約装置によって無線デバイスに基地局分散装置を介して、前記無線デバイスの構成パラメータを含む第１のメッセージを伝送することと、
基地局集約装置によって前記無線デバイスから前記基地局分散装置を介して、前記構成パラメータのうちの少なくとも１つを確定する第２のメッセージを受信することと、
前記基地局集約装置によって前記基地局分散装置に、前記無線デバイスが前記構成パラメータに基づいて再構成プロシージャを正常に実行したことを示す第３のメッセージを伝送することと、を含む、方法。
（項目４１）
方法であって、
基地局分散装置によって、無線デバイスの第１のセルの第１のアップリンクタイミングアドバンス値が、前記無線デバイスの第２のセルの第２のアップリンクタイミングアドバンス値とは異なると判定することであって、第１のセルおよび第２のセルが第１のタイミングアドバンスグループに属する、判定することと、
前記基地局分散装置によって基地局集約装置に、前記判定に応答して、前記無線デバイスのタイミングアドバンスグループ構成の再構成を示す１つ以上の情報要素を含む第１メッセージを伝送することと、
前記基地局分散装置によって前記基地局集約装置から、前記無線デバイスの再構成に基づく無線リソース制御メッセージを受信することと、を含む、方法。
（項目４２）
前記無線リソース制御メッセージが、
前記第１のタイミングアドバンスグループが前記第１のセルを含み、
前記第２のタイミングアドバンスグループが前記第２のセルを含むことを示す、項目４１に記載の方法。
（項目４３）
前記基地局集約装置によって、前記第１のメッセージに基づいて、前記第２のセルの前記第２のタイミングアドバンスグループを作成することをさらに含む、項目４２に記載の方法。
（項目４４）
前記基地局分散装置によって前記無線デバイスから、前記第１のセルを介して少なくとも１つの第１の参照信号を、および前記第２のセルを介して少なくとも１つの第２の参照信号を受信することをさらに含み、前記判定が、前記少なくとも１つの第１の参照信号と前記少なくとも１つの第２の参照信号に基づく、項目４１〜４３のいずれかに記載の方法。
（項目４５）
前記少なくとも１つの第１の参照信号が、
サウンディング参照信号、または
ランダムアクセスプリアンブル、のうちの少なくとも１つを含む、項目４４に記載の方法。
（項目４６）
前記少なくとも１つの第２の参照信号が、
サウンディング参照信号、または
ランダムアクセスプリアンブルのうちの少なくとも１つを含む、項目４４〜４５のいずれかに記載の方法。
（項目４７）
前記基地局分散装置によって前記基地局集約装置に、前記第１のタイミングアドバンスグループが前記第１のセルおよび前記第２のセルを含むことを示す構成情報を伝送することをさらに含む、項目４１〜４６のいずれかに記載の方法。
（項目４８）
前記基地局分散装置によって前記基地局集約装置から、前記構成情報を含む第２の無線リソース制御メッセージを受信することと、
前記基地局分散装置によって前記無線デバイスに、前記第２の無線リソース制御メッセージを伝送することと、をさらに含む、項目４７に記載の方法。
（項目４９）
前記基地局分散装置によって前記無線デバイスに、前記無線リソース制御メッセージを伝送することをさらに含む、項目４１〜４８のいずれかに記載の方法。
（項目５０）
前記基地局分散装置によって前記無線デバイスに、
前記第１のセルの前記第１のタイミングアドバンスグループ、または
前記第２のセルの第２のタイミングアドバンスグループ、のうちの少なくとも１つに対するタイミングアドバンスコマンドを伝送することをさらに含む、項目４１〜４９に記載の方法。
（項目５１）
前記タイミングアドバンスコマンドが、媒体アクセス制御制御要素を介して伝送される、項目５０に記載の方法。
（項目５２）
前記第２のセルが、複数の伝送および受信ポイントによってサービスされる、項目４１〜５１のいずれかに記載の方法。
（項目５３）
前記第１のメッセージが、
前記第１のアップリンクタイミングアドバンス値が前記第２のアップリンクタイミングアドバンス値とは異なること、または
前記第１のセルおよび前記第２のセルが、前記無線デバイスの異なるタイミングアドバンスグループに属する必要があること、のうちの少なくとも１つを示す、項目４１〜５２のいずれかに記載の方法。
（項目５４）
前記第１のメッセージが、
前記第１のアップリンクタイミングアドバンス値、
前記第２のアップリンクタイミングアドバンス値、または
前記第１のアップリンクタイミングアドバンス値と前記第２のアップリンクタイミングアドバンス値との間の差の量を示す差分値、のうちの少なくとも１つをさらに含む、項目４１〜５３のいずれかに記載の方法。
（項目５５）
前記第１のアップリンクタイミングアドバンス値が、前記第１のセルのアップリンク時間整合のために調整される時間の量を示し、
前記第２のアップリンクタイミングアドバンス値が、前記第２のセルのアップリンク時間整合のために調整される時間の量を示す、項目４１〜５４のいずれかに記載の方法。
（項目５６）
前記第１のメッセージが、前記無線デバイスの識別子をさらに含む、項目４１〜５５のいずれかに記載の方法。
（項目５７）
前記基地局分散装置によって前記基地局集約装置から、前記１つ以上の情報要素の肯定応答を示す、前記第１のメッセージに応答する第２のメッセージを受信することをさらに含む、項目４１〜５６のいずれかに記載の方法。
（項目５８）
前記第１のメッセージおよび前記無線リソース制御メッセージが、前記基地局分散装置と前記基地局集約装置との間のＦ１インターフェースを介して伝送される、項目４１〜５７のいずれかに記載の方法。
（項目５９）
基地局集約装置が、前記無線デバイスに対する無線リソース制御機能を含み、
前記基地局分散装置が、
前記無線デバイスに対する媒体アクセス制御レイヤ機能、または
前記無線デバイスに対する物理レイヤ機能、のうちの少なくとも１つを含む、項目４１〜５８のいずれかに記載の方法。
（項目６０）
前記基地局分散装置によって前記基地局集約装置に、
前記第１のセルが、第１の伝送および受信ポイントによってサービスされること、または
前記第２のセルが、
前記第１の伝送および受信ポイント、および
第２の伝送および受信ポイントによってサービスされること、のうちの少なくとも１つを示す構成パラメータを伝送することをさらに含む、項目４１〜５９のいずれかに記載の方法。
（項目６１）
前記基地局分散装置によって、前記無線リソース制御メッセージを復号することをさらに含む、項目４１〜６０のいずれかに記載の方法。
（項目６２）
方法であって、
基地局分散装置によって無線デバイスから、第１のセルを介して少なくとも１つの第１の参照信号を、および第２のセルを介して少なくとも１つの第２の参照信号を受信することであって、前記第１のセルおよび前記第２のセルが、第１のタイミングアドバンスグループに属するように構成されている、受信することと、
前記基地局分散装置によって、前記少なくとも１つの第１の参照信号および前記少なくとも１つの第２の参照信号に基づいて、前記第１のセルに対する前記無線デバイスの第１のアップリンク時間整合値が、前記第２のセルの前記無線デバイスの第２のアップリンクタイミングアドバンス値とは異なることを判定することと、
前記基地局分散装置によって基地局集約装置に、
前記第１のアップリンクタイミングアドバンス値が前記第２のアップリンクタイミングアドバンス値とは異なること、
前記第１のアップリンクタイミングアドバンス値および前記第２のアップリンクタイミングアドバンス値、
前記第１のアップリンクタイミングアドバンス値と前記第２のアップリンクタイミングアドバンス値との間の差の量を示す差分値、または
前記第１のセルもしくは前記第２のセルのうちの少なくとも１つに対するタイミングアドバンスグループ再構成要求、のうちの少なくとも１つを含む第１のメッセージを伝送することと、を含む、方法。
（項目６３）
前記基地局分散装置によって前記基地局集約装置から、前記第１のメッセージの１つ以上の要素に対する肯定応答を示す、前記第１のメッセージに応答する第２のメッセージを受信することをさらに含む、項目６２に記載の方法。
（項目６４）
前記基地局集約装置によって、前記第１のメッセージに基づいて、第２のタイミングアドバンスグループに属するように前記第２のセルを構成することと、
前記基地局集約装置によって前記無線デバイスに前記基地局分散装置を介して、前記第２のセルが前記第２タイミングアドバンスグループに属することを示す、前記第２タイミングアドバンスグループのタイミングアドバンスグループ識別子を含む第２メッセージを伝送することと、をさらに含む、項目６２〜６３のいずれかに記載の方法。
（項目６５）
前記基地局分散装置によって、前記第２のメッセージを復号することと、
前記基地局分散装置によって前記無線デバイスに、前記タイミングアドバンスグループ識別子とともに前記第２のセルに対するタイミングアドバンスコマンドを伝送することと、をさらに含む、項目６４に記載の方法。
（項目６６）
前記基地局分散装置によって前記基地局集約装置から、前記第２のセルが前記第２のタイミングアドバンスグループに属することを示す、前記タイミングアドバンスグループ識別子を含む第３のメッセージを受信することと、
前記基地局分散装置によって前記無線デバイスに、前記第２のセルのタイミングアドバンスグループ識別子とともにタイミングアドバンスコマンドを伝送することと、をさらに含む、項目６４〜６５に記載の方法。
（項目６７）
方法であって、
基地局集約装置によってネットワークエンティティから、第１の伝送および受信ポイントによってサービスされる１つ以上のセルの１つ以上のセル識別子を含むタイミングアドバンス相関情報を受信することと、
前記基地局集約装置によって、前記第１の伝送および受信ポイントによってサービスされている前記１つ以上のセルに応答して、無線デバイスの第１のタイミングアドバンスグループに属する前記１つ以上のセルを構成することと、
前記基地局集約装置によって前記無線デバイスに基地局分散装置を介して、前記１つ以上のセルが前記第１のタイミングアドバンスグループに属することを示す無線リソース制御構成情報を伝送することと、を含む、方法。
（項目６８）
方法であって、
基地局集約装置によってネットワークエンティティから、
少なくとも１つのタイミングアドバンス相関グループの少なくとも１つの識別子と、
少なくとも１つのタイミングアドバンス相関グループのうちの１つにグループ化された、アップリンクタイミングアドバンス値を含むセルリストと、を含むタイミングアドバンス相関情報を受信することと、
前記基地局集約装置によって、前記１つ以上のセルが前記セルリストにあることに応答して、１つ以上のセルを無線デバイスの第１のタイミングアドバンスグループに属するように構成することと、
前記基地局集約装置によって前記無線デバイスに前記基地局分散装置を介して、前記１つ以上のセルのうちの第１のセルが前記第１のタイミングアドバンスグループに属することを示す無線リソース制御構成情報を伝送することと、を含む、方法。
（項目６９）
前記ネットワークエンティティが、
前記基地局分散装置、または
運用および保守エンティティ、のうちの少なくとも１つを含む、項目６８に記載の方法。
（項目７０）
前記無線リソース制御構成情報が、前記第１のセルのセル識別子と、前記第１のタイミングアドバンスグループのタイミングアドバンスグループ識別子と、を含む、項目６８〜６９のいずれかに記載の方法。
（項目７１）
前記基地局分散装置によって、前記無線リソース制御構成情報を復号することと、
前記基地局分散装置によって前記無線デバイスに、
前記第１のセルに対するタイミングアドバンスコマンドと、
前記第１のタイミングアドバンスグループのタイミングアドバンスグループ識別子と、を伝送することと、をさらに含む、項目７０に記載の方法。
（項目７２）
前記基地局分散装置によって前記基地局集約装置から、前記第１のセルが前記第１のタイミングアドバンスグループに属することを示す、前記第１のタイミングアドバンスグループの識別子を含む第１のメッセージを受信することと、
前記基地局分散装置によって前記無線デバイスに、
前記第１のセルに対するタイミングアドバンスコマンドと、
前記第１のタイミングアドバンスグループの前記タイミングアドバンスグループ識別子と、を伝送することと、をさらに含む、項目７０〜７１のいずれかに記載の方法。
（項目７３）
方法であって、
基地局分散装置によって無線デバイスに、タイミングアドバンスグループに対するタイミングアドバンスコマンドを伝送することと、
前記基地局分散装置によって、前記タイミングアドバンスコマンドの伝送に応答して、前記無線デバイスの前記タイミングアドバンスグループに対する時間整合タイマを始動させることと、
前記基地局分散装置によって、前記時間整合タイマの満了を判定することと、
前記基地局分散装置によって前記基地局集約装置に、前記無線デバイスの前記タイミングアドバンスグループに対する前記時間整合タイマの満了を示す第１のメッセージを伝送することと、を含む、方法。
（項目７４）
前記タイミングアドバンスグループが、１つ以上のセルを含む、項目７３に記載の方法。
（項目７５）
前記基地局分散装置によって、前記時間整合タイマの満了の判定に応答して、
前記タイミングアドバンスグループの１つ以上のセルに対するハイブリッド自動反復要求アップリンクリソース構成を解放すること、
前記タイミングアドバンスグループの１つ以上のセルに対する物理アップリンク制御チャネル構成を解放すること、
前記タイミングアドバンスグループの１つ以上のセルに対するサウンディング参照信号構成を解放すること、
前記タイミングアドバンスグループの１つ以上のセルに対する構成されたダウンリンク割り当てをクリアすること、
前記タイミングアドバンスグループの１つ以上のセルに対するアップリンクリソース許可をクリアすること、または
前記タイミングアドバンスグループがプライマリタイミングアドバンスグループであることに応答して、前記タイミングアドバンスグループに対する実行時間整合タイマが満了したと判定すること、のうちの少なくとも１つをさらに含む、項目７３〜７４のいずれかに記載の方法。
（項目７６）
前記基地局分散装置によって、前記時間整合タイマの前記満了に応答して、前記タイミングアドバンスグループの１つ以上のセルに対してデフォルトの物理チャネル構成を適用することをさらに含み、前記デフォルトの物理チャネル構成が、
チャネル品質情報レポート構成、
アップリンクリソーススケジューリング要求構成、または
専用のアップリンクサウンディング参照信号構成、のうちの少なくとも１つから構成される、項目７３〜７５のいずれかに記載の方法。
（項目７７）
前記基地局集約装置によって、前記第１のメッセージの受信に応答して、前記タイミングアドバンスグループの１つ以上のセルに対してデフォルトの物理チャネル構成を適用することをさらに含み、前記デフォルトの物理チャネル構成が、
チャネル品質情報レポート構成、
アップリンクリソーススケジューリング要求構成、または
専用のアップリンクサウンディング参照信号構成、のうちの少なくとも１つを含む、項目７３〜７６のいずれかに記載の方法。
（項目７８）
前記基地局分散装置によって、第１のメッセージに基づいて、前記無線デバイスに対する無線デバイスコンテキスト解放要求を示す第２のメッセージを受信することと、
前記基地局分散装置によって、前記第２のメッセージの受信に応答して、前記無線デバイスの無線デバイスコンテキストを解放することと、をさらに含み、前記無線デバイスコンテキストが、
１つ以上のデータ無線ベアラ、
１つ以上の論理チャネル、
１つ以上のセキュリティ構成パラメータ、または
前記無線デバイスに関連付けられた１つ以上の情報、のうちの少なくとも１つを含む、項目７３〜７７のいずれかに記載の方法。
（項目７９）
前記基地局集約装置によって、前記タイミングアドバンスグループがプライマリタイミングアドバンスグループであることに応答して、前記第２のメッセージを伝送することをさらに含む、項目７８に記載の方法。
（項目８０）
前記基地局分散装置によって、前記時間整合タイマの前記満了に基づいて、前記無線デバイスの無線デバイスコンテキストを解放することをさらに含み、前記無線デバイスコンテキストが、
１つ以上のデータ無線ベアラ、
１つ以上の論理チャネル、
１つ以上のセキュリティ構成パラメータ、または
前記無線デバイスに関連付けられた１つ以上の情報、のうちの少なくとも１つを含む、項目７３〜７９のいずれかに記載の方法。
（項目８１）
前記基地局集約装置によってコアネットワークエンティティに、前記第１のメッセージに基づいて、前記基地局集約装置と前記コアネットワークエンティティとの間の、前記無線デバイスに対するインターフェース接続の解放を示す第３のメッセージを伝送することをさらに含む、項目７３〜８０のいずれかに記載の方法。
（項目８２）
前記基地局集約装置によって、前記タイミングアドバンスグループがプライマリタイミングアドバンスグループであることに応答して、前記第３のメッセージを伝送することをさらに含む、項目８１に記載の方法。
（項目８３）
前記コアネットワークエンティティが、
アクセスおよびモビリティ管理機能、または
モビリティ管理機能、のうちの少なくとも１つを含む、項目８１〜８２のいずれかに記載の方法。
（項目８４）
前記基地局集約装置によって、前記第１のメッセージに基づいて、前記無線デバイスの無線デバイスコンテキストを解放することをさらに含み、前記無線デバイスコンテキストが、
１つ以上のデータ無線ベアラ、
１つ以上の論理チャネル、
１つ以上のセキュリティ構成パラメータ、または
前記無線デバイスに関連付けられた１つ以上の情報、のうちの少なくとも１つをさらに含む、項目７３〜８３のいずれかに記載の方法。
（項目８５）
前記基地局集約装置によって、前記第１のメッセージの受信に応答して、
前記タイミングアドバンスグループの１つ以上のセルに対するハイブリッド自動反復要求アップリンクリソース構成を解放すること、
前記タイミングアドバンスグループの１つ以上のセルに対する物理アップリンク制御チャネル構成を解放すること、
前記タイミングアドバンスグループの１つ以上のセルに対するサウンディング参照信号構成を解放すること、
前記タイミングアドバンスグループの１つ以上のセルに対する構成されたダウンリンク割り当てをクリアすること、
前記タイミングアドバンスグループの１つ以上のセルに対するアップリンクリソース許可をクリアすること、または
前記タイミングアドバンスグループがプライマリタイミングアドバンスグループであることに応答して、前記タイミングアドバンスグループに対する実行時間整合タイマが満了したと判定すること、のうちの少なくとも１つをさらに含む、項目７３〜８４のいずれかに記載の方法。
（項目８６）
前記基地局集約装置が、前記無線デバイスに対する無線リソース制御機能を含み、
前記基地局分散装置が、
前記無線デバイスに対する媒体アクセス制御レイヤ機能、または
前記無線デバイスに対する物理レイヤ機能、のうちの少なくとも１つを含む、項目７３〜８５のいずれかに記載の方法。
（項目８７）
前記第１のメッセージの前記伝送が、Ｆ１インターフェースを介する、項目７３〜８６のいずれかに記載の方法。
（項目８８）
前記タイミングアドバンスコマンドの前記伝送が、媒体アクセス制御制御要素を介する、項目７３〜８７のいずれかに記載の方法。
（項目８９）
前記時間整合タイマが、
前記基地局集約装置、または
前記基地局分散装置、のうちの少なくとも１つによって構成されている、項目７３〜８８のいずれかに記載の方法。
（項目９０）
前記基地局が、前記基地局集約装置および前記基地局分散装置を含む、項目７３〜８９のいずれかに記載の方法。
（項目９１）
前記基地局集約装置によって前記無線デバイスに、前記基地局分散装置を介して前記時間整合タイマを伝送することをさらに含む、項目７３〜８０のいずれかに記載の方法。
（項目９２）
前記第１のメッセージが、
前記無線デバイスの識別子、
前記タイミングアドバンスグループの１つ以上のセルの１つ以上のセル識別子、または
前記タイミングアドバンスグループのタイミングアドバンスグループ識別子、のうちの少なくとも１つをさらに含む、項目７３〜８１のいずれかに記載の方法。
（項目９３）
方法であって、
基地局分散装置によって無線デバイスに、タイミングアドバンスグループに対するタイミングアドバンスコマンドを伝送することと、
前記基地局分散装置によって、前記タイミングアドバンスコマンドの伝送に応答して、前記無線デバイスの前記タイミングアドバンスグループに対する時間整合タイマを始動させることと、
前記基地局分散装置によって、前記時間整合タイマの満了を判定することと、
前記基地局分散装置によって基地局集約装置に、前記満了に応答して、
前記タイミングアドバンスグループの１つ以上のセルに対する前記無線デバイスの物理アップリンク制御チャネル構成を解放すること、または
前記１つ以上のセルに対する前記無線デバイスのサウンディング参照信号構成を解放すること、のうちの少なくとも１つに対する要求を示す第１のメッセージを伝送することと、を含む、方法。
【図面の簡単な説明】
【０００３】
本発明の様々な実施形態のうちのいくつかの例が、図面を参照して本明細書に記載される。
【０００４】
【図１】本発明の一実施形態の一態様によるＯＦＤＭサブキャリアの例示的なセットを描写する図である。
【図２】本発明の一実施形態の一態様による、キャリアグループ内の２つのキャリアに対する例示的な伝送時間および受信時間を描写する図である。
【図３】本発明の一実施形態の一態様によるＯＦＤＭ無線リソースを描写する図である。
【図４】本発明の一実施形態の一態様による基地局および無線デバイスのブロック図である。
【図５Ａ】本発明の一実施形態の一態様による、アップリンクおよびダウンリンク信号伝送の例示的な図である。
【図５Ｂ】本発明の一実施形態の一態様による、アップリンクおよびダウンリンク信号伝送の例示的な図である。
【図５Ｃ】本発明の一実施形態の一態様による、アップリンクおよびダウンリンク信号伝送の例示的な図である。
【図５Ｄ】本発明の一実施形態の一態様による、アップリンクおよびダウンリンク信号伝送の例示的な図である。
【図６】本発明の一実施形態の一態様による、マルチ接続性を有するプロトコル構造の例示的な図である。
【図７】本発明の一実施形態の一態様による、ＣＡおよびＤＣを有するプロトコル構造の例示的な図である。
【図８】本発明の一実施形態の一態様による例示的なＴＡＧ構成を示す。
【図９】本発明の一実施形態の一態様による、セカンダリＴＡＧ内のランダムアクセスプロセスにおける例示的なメッセージフローである。
【図１０Ａ】本発明の一実施形態の一態様による、５Ｇコアネットワーク（例えば、ＮＧＣ）と基地局（例えば、ｇＮＢおよびｅＬＴＥ  ｅＮＢ）との間のインターフェースの例示的な図である。
【図１０Ｂ】本発明の一実施形態の一態様による、５Ｇコアネットワーク（例えば、ＮＧＣ）と基地局（例えば、ｇＮＢおよびｅＬＴＥ  ｅＮＢ）との間のインターフェースの例示的な図である。
【図１１Ａ】本発明の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｂ】本発明の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｃ】本発明の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｄ】本発明の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｅ】本発明の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｆ】本発明の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１２Ａ】本発明の一実施形態の一態様による、緊密なインターワーキングベアラの無線プロトコル構造の例示的な図である。
【図１２Ｂ】本発明の一実施形態の一態様による、緊密なインターワーキングベアラの無線プロトコル構造の例示的な図である。
【図１２Ｃ】本発明の一実施形態の一態様による、緊密なインターワーキングベアラの無線プロトコル構造の例示的な図である。
【図１３Ａ】本発明の一実施形態の一態様によるｇＮＢ展開シナリオの例示的な図である。
【図１３Ｂ】本発明の一実施形態の一態様によるｇＮＢ展開シナリオの例示的な図である。
【図１４】本発明の一実施形態の一態様による、集中型ｇＮＢ展開シナリオの機能分割オプション例に対する例示的な図である。
【図１５】本開示の一実施形態の一態様の例示的な図である。
【図１６】本開示の一実施形態の一態様の例示的な図である。
【図１７】本開示の一実施形態の一態様の例示的な図である。
【図１８】本開示の一実施形態の一態様の例示的な図である。
【図１９】本開示の一実施形態の一態様の例示的な図である。
【図２０】本開示の一実施形態の一態様の例示的な図である。
【図２１】本開示の一実施形態の一態様の例示的な図である。
【図２２】本開示の一実施形態の一態様の例示的な図である。
【図２３】本開示の一実施形態の一態様の例示的な図である。
【図２４】本開示の一実施形態の一態様の例示的な図である。
【図２５】本開示の一実施形態の一態様の例示的な図である。
【図２６】本開示の一実施形態の一態様の例示的な図である。
【図２７】本開示の一実施形態の一態様の例示的な図である。
【図２８】本開示の一実施形態の一態様の例示的な図である。
【図２９】本開示の一実施形態の一態様の例示的な図である。
【図３０】本開示の一実施形態の一態様の例示的な図である。
【図３１】本開示の一実施形態の一態様の例示的な図である。
【図３２】本開示の一実施形態の一態様の例示的な図である。
【図３３】本開示の一実施形態の一態様の例示的な図である。
【図３４】本開示の一実施形態の一態様の例示的な図である。
【図３５】本開示の一実施形態の一態様の例示的な図である。
【図３６】本開示の一実施形態の一態様の例示的な図である。
【図３７】本開示の一実施形態の一態様の例示的な図である。
【図３８】本開示の一実施形態の一態様の流れ図である。
【図３９】本開示の一実施形態の一態様の流れ図である。
【図４０】本開示の実施形態の一態様の流れ図である。
【図４１】本開示の一実施形態の一態様の流れ図である。
【図４２】本開示の一実施形態の一態様の流れ図である。
【図４３】本開示の一実施形態の一態様の流れ図である。
【図４４】本開示の一実施形態の一態様の流れ図である。
【図４５】本開示の一実施形態の一態様の流れ図である。
【図４６】本開示の一実施形態の一態様の流れ図である。
【図４７】本開示の一実施形態の一態様の流れ図である。
【図４８】本開示の一実施形態の一態様の流れ図である。
【図４９】本開示の一実施形態の一態様の流れ図である。
【図５０】本開示の一実施形態の一態様の流れ図である。
【図５１】本開示の一実施形態の一態様の流れ図である。
【発明を実施するための形態】
【０００５】
本開示を通じ、以下の略称が使用される。
【表１−１】
0006901107.tif 000002
【表１−２】
0006901107.tif 000003
【表１−３】
0006901107.tif 000004
【０００６】
本発明の例示的な実施形態は、種々の物理レイヤ変調および伝送メカニズムを使用して具現化されてもよい。例示的伝送メカニズムとして、限定ではないが、ＣＤＭＡ、ＯＦＤＭ、ＴＤＭＡ、ウェーブレット技術、および／または同等物が挙げられる。ＴＤＭＡ／ＣＤＭＡおよびＯＦＤＭ／ＣＤＭＡ等のハイブリッド伝送メカニズムもまた、用いられ得る。様々な変調方式を、物理レイヤ内の信号伝送に適用することができる。変調方式の例としては、位相、振幅、コード、これらの組み合わせ、および／または同様のものが挙げられるが、これらに限定されない。例示的な無線伝送方法が、ＢＰＳＫ、ＱＰＳＫ、１６−ＱＡＭ、６４−ＱＡＭ、２５６−ＱＡＭ、および／または同等物を使用して、ＱＡＭを具現化してもよい。物理的な無線伝送は、伝送要件および無線条件に応じて、変調および符号化方式を動的または準動的に変化させることによって、強化することができる。
【０００７】
図１は、本発明の一実施形態の一態様によるＯＦＤＭサブキャリアの例示的なセットを描写する図である。本実施例に図示されるように、図内の矢印が、マルチキャリアＯＦＤＭシステム内のサブキャリアを描写し得る。ＯＦＤＭシステムは、ＯＦＤＭ技術、ＤＦＴＳ−ＯＦＤＭ技術、ＳＣ−ＯＦＤＭ技術、または同等物等の技術を使用し得る。例えば、矢印１０１は、サブキャリア伝送情報シンボルを示す。図１は、例解目的であり、典型的なマルチキャリアＯＦＤＭシステムは、キャリア内により多くのサブキャリアを含んでもよい。例えば、キャリア内のサブキャリアの数は、１０〜１０，０００サブキャリアの範囲内であってもよい。図１は、伝送バンド内の２つのガードバンド１０６および１０７を示す。図１に図示されるように、ガードバンド１０６は、サブキャリア１０３とサブキャリア１０４との間にある。サブキャリアＡ１０２の例示的なセットは、サブキャリア１０３と、サブキャリア１０４と、を含む。図１はまた、サブキャリアＢ１０５の例示的なセットを例解する。図示されるように、サブキャリアＢ１０５の例示的セット内には、任意の２つのサブキャリアの間にガードバンドが存在しない。マルチキャリアＯＦＤＭ通信システム内のキャリアは、連続キャリア、非連続キャリア、または連続キャリアおよび非連続キャリア両方の組み合わせであり得る。
【０００８】
図２は、本発明の一実施形態の一態様による、２つのキャリアに対する例示的な伝送時間および受信時間を描写する図である。マルチキャリアＯＦＤＭ通信システムが、例えば、１〜１０の範囲のキャリアに及ぶ、１つ以上のキャリアを含んでもよい。キャリアＡ２０４およびキャリアＢ２０５は、同じまたは異なるタイミング構造を有してもよい。図２は、２つの同期されたキャリアを示すが、キャリアＡ２０４およびキャリアＢ２０５は、相互に同期されても、またはそうではなくてもよい。複数の異なる無線フレーム構造が、ＦＤＤおよびＴＤＤ複信メカニズムに対してサポートされてもよい。図２は、例示的なＦＤＤフレームタイミングを示す。ダウンリンクおよびアップリンク伝送が、無線フレーム２０１の中に編成されてもよい。本実施例では、無線フレーム持続時間は、１０ミリ秒である。例えば１〜１００ミリ秒の範囲内などの、その他のフレーム持続時間もまた、サポートされてもよい。本実施例では、各１０ミリ秒無線フレーム２０１が、１０個の等しいサイズのサブフレーム２０２に分割されてもよい。０．５ミリ秒、１ミリ秒、２ミリ秒、および５ミリ秒などの、その他のサブフレーム持続時間もまた、サポートされてもよい。サブフレーム（複数可）は、２つ以上のスロット（例えば、スロット２０６および２０７）から成ってもよい。ＦＤＤの実施例の場合には、各１０ミリ秒間隔において、１０個のサブフレームが、ダウンリンク伝送のために利用可能であってもよく、１０個のサブフレームが、アップリンク伝送のために利用可能であってもよい。アップリンクおよびダウンリンク伝送は、周波数領域内で分離することができる。スロットは、ノーマルＣＰを有する、６０ｋＨｚまでの同じサブキャリア間隔の場合、７または１４個のＯＦＤＭシンボルとすることができる。スロットは、ノーマルＣＰを有する、６０ｋＨｚよりも大きい同じサブキャリア間隔の場合、１４個のＯＦＤＭシンボルとすることができる。スロットは、すべてのダウンリンク、すべてのアップリンク、またはダウンリンク部分およびアップリンク部分、ならびに／または同様のものを収容することができる。スロットアグリゲーションが、サポートされ得、例えば、データ伝送は、スケジュール設定されて１つまたは複数のスロットの範囲におよび得る。一実施例では、ミニスロットが、サブフレーム内のＯＦＤＭシンボルで開始し得る。ミニスロットは、１つ以上のＯＦＤＭシンボルの持続時間を有することができる。スロット（複数可）は、複数のＯＦＤＭシンボル２０３を含んでもよい。スロット２０６内のＯＦＤＭシンボル２０３の数が、サイクリックプレフィックス長およびサブキャリア間隔に依存してもよい。
【０００９】
図３は、本発明の一実施形態の一態様によるＯＦＤＭ無線リソースを描写する図である。時間３０４および周波数３０５におけるリソースグリッド構造が、図３に例解されている。ダウンリンクサブキャリアまたはＲＢの量は、セル内で構成されたダウンリンク伝送バンド幅３０６に、少なくとも部分的に依存し得る。最小無線リソースユニットが、リソース要素（例えば、３０１）と呼ばれてもよい。リソース要素は、リソースブロック（例えば、３０２）にグループ化され得る。リソースブロックは、リソースブロックグループ（ＲＢＧ）（例えば、３０３）と呼ばれるより大きい無線リソースにグループ化され得る。スロット２０６内で伝送される信号は、複数のサブキャリアおよび複数のＯＦＤＭシンボルのうちの１つまたはいくつかのリソースグリッドによって記述され得る。リソースブロックは、リソース要素へのある物理チャネルのマッピングを記述するために使用され得る。物理的リソース要素の他の事前定義されたグループ化も、無線技術に応じて、システムにおいて実装され得る。例えば、２４個のサブキャリアが、５ミリ秒の持続時間の間、無線ブロックとしてグループ化されてもよい。例示的な一実施例においては、リソースブロックが、（１５ＫＨｚサブキャリア帯域幅および１２個のサブキャリアに関して）時間ドメイン内の１つのスロットおよび周波数ドメイン内の１８０ｋＨｚに対応してもよい。
【００１０】
例示的な実施形態では、複数のニューメロロジーが、サポートされ得る。一実施例では、ニューメロロジーは、基本サブキャリア間隔を整数Ｎによりスケーリングすることによって導出され得る。一実施例では、スケーリング可能なニューメロロジーは、少なくとも１５ｋＨｚ〜４８０ｋＨｚのサブキャリア間隔を可能にすることができる。１５ｋＨｚを有するニューメロロジー、および同じＣＰオーバーヘッドを有する、異なるサブキャリア間隔を有するスケーリングされたニューメロロジーは、ＮＲキャリア内で１ミリ秒毎にシンボル境界において整列することができる。
【００１１】
図５Ａ、図５Ｂ、図５Ｃ、および図５Ｄは、本発明の一実施形態の一態様による、アップリンクおよびダウンリンク信号伝送の例示的な図である。図５Ａは、例示的なアップリンク物理チャネルを示す。物理アップリンク共有チャネルを表すベースバンド信号は、以下のプロセスを実行することができる。これらの機能は、例として例解されており、他のメカニズムが様々な実施形態において実装され得ることが想定される。機能は、スクランブリング、複素数値シンボルを生成するためのスクランブリングされたビットの変調、１つまたはいくつかの伝送レイヤ上への複素数値変調シンボルのマッピング、複素数値シンボルを生成するための変換プリコーディング、複素数値シンボルのプリコーディング、リソース要素へのプリコーディングされた複素数値シンボルのマッピング、アンテナポート毎の複素数値時間ドメインＤＦＴＳ−ＯＦＤＭ／ＳＣ−ＦＤＭＡ信号の生成、および／または同等物を含んでもよい。
【００１２】
各アンテナポートに対する複素数値ＤＦＴＳ−ＯＦＤＭ／ＳＣ−ＦＤＭＡベースバンド信号、および／または複素数値ＰＲＡＣＨベースバンド信号のキャリア周波数への例示的な変調および上方変換が、図５Ｂに示される。フィルタリングは、伝送の前に用いられてもよい。
【００１３】
ダウンリンク伝送のための例示的構造が、図５Ｃに示される。ダウンリンク物理チャネルを表すベースバンド信号は、以下のプロセスを実行し得る。これらの機能は、例として例解されており、他のメカニズムが様々な実施形態において実装され得ることが想定される。機能は、物理チャネル上で伝送されるべきコードワードの各々の中にコード化されたビットのスクランブリング、複素数値変調シンボルを生成するためのスクランブリングされたビットの変調、１つまたはいくつかの伝送レイヤ上への複素数値変調シンボルのマッピング、アンテナポート上での伝送のための各レイヤ上での複素数値変調シンボルのプリコーディング、リソース要素への各アンテナポートに対する複素数値変調シンボルのマッピング、各アンテナポートに対する複素数値時間ドメインＯＦＤＭ信号の生成、および／または同等物を含む。
【００１４】
各アンテナポートに対する複素数値ＯＦＤＭベースバンド信号のキャリア周波数への例示的な変調および上方変換が、図５Ｄに示される。フィルタリングは、伝送の前に用いられてもよい。
【００１５】
図４は、本発明の一実施形態の一態様による、基地局４０１および無線デバイス４０６の例示的なブロック図である。通信ネットワーク４００が、少なくとも１つの基地局４０１と、少なくとも１つの無線デバイス４０６とを含んでもよい。基地局４０１は、少なくとも１つの通信インターフェース４０２と、少なくとも１つのプロセッサ４０３と、非一時的メモリ４０４内に記憶され、かつ少なくとも１つのプロセッサ４０３によって実行可能な少なくとも１セットのプログラムコード命令４０５と、を含み得る。無線デバイス４０６は、少なくとも１つの通信インターフェース４０７と、少なくとも１つのプロセッサ４０８と、非一時的メモリ４０９内に記憶され、かつ少なくとも１つのプロセッサ４０８によって実行可能な少なくとも１セットのプログラムコード命令４１０と、を含み得る。基地局４０１内の通信インターフェース４０２は、少なくとも１つの無線リンク４１１を含む通信経路を介して、無線デバイス４０６内の通信インターフェース４０７との通信を行うように構成されていてもよい。無線リンク４１１は、双方向リンクであってもよい。無線デバイス４０６内の通信インターフェース４０７もまた、基地局４０１内の通信インターフェース４０２との通信を行うように構成されていてもよい。基地局４０１および無線デバイス４０６が、複数の周波数キャリアを使用し、無線リンク４１１を経由して、データを送受信するように構成されていてもよい。実施形態のうちのいくつかの様々な態様によれば、送受信機（複数可）が使用され得る。送受信機は、送信機および受信機の両方を有するデバイスである。送受信機が、無線デバイス、基地局、中継ノード、および／または同等物等のデバイス内で用いられてもよい。通信インターフェース４０２、４０７、および無線リンク４１１において実装される無線技術に関する例示的な実施形態が、例解され、図１、図２、図３、図５、および関連するテキストである。
【００１６】
インターフェースが、ハードウェアインターフェース、ファームウェアインターフェース、ソフトウェアインターフェース、および／またはそれらの組み合わせであってもよい。ハードウェアインターフェースは、コネクタ、ワイヤ、電子デバイス、例えば、ドライバ、増幅器、および／または同等物を含んでもよい。ソフトウェアインターフェースが、メモリデバイス内に記憶され、プロトコル、プロトコルレイヤ、通信ドライバ、デバイスドライバ、それらの組み合わせ、および／または同等物を具現化するコードを含んでもよい。ファームウェアインターフェースが、組込み型ハードウェアと、メモリデバイス内に記憶され、および／またはこれと通信し、接続、電子デバイス動作、プロトコル、プロトコルレイヤ、通信ドライバ、デバイスドライバ、ハードウェア動作、これらの組み合わせ、および／または同等物を具現化するコードの組み合わせを含んでもよい。
【００１７】
構成されるという用語は、デバイスが動作状態または非動作状態にあるかどうかに関わらず、デバイスの能力と関連し得る。構成されるとは、また、そのデバイスが動作状態または非動作状態にあるかどうかにかかわらず、そのデバイスの動作特性に影響を及ぼすデバイス内の特定の設定を指し得る。換言すると、ハードウェア、ソフトウェア、ファームウェア、レジスタ、メモリ値、および／または同等物は、デバイスが動作状態または非動作状態にあるかどうかに関わらず、デバイスに具体的特性を提供するように、デバイス内で「構成」されていてもよい。「デバイス内で生じさせるための制御メッセージ」等の用語は、デバイスが動作状態または非動作状態にあるかどうかに関わらず、デバイス内の具体的特性を構成するために使用され得るパラメータを、制御メッセージが有することを意味し得る。
【００１８】
実施形態の様々な態様のいくつかによれば、５Ｇネットワークは、多数の基地局を含むことができ、無線デバイスに向かうユーザプレーンＮＲ  ＰＤＣＰ／ＮＲ  ＲＬＣ／ＮＲ  ＭＡＣ／ＮＲ  ＰＨＹおよび制御プレーン（ＮＲ  ＲＲＣ）プロトコル終端を提供する。基地局（複数可）は、他の基地局（複数可）と相互接続されてもよい（例えば、Ｘｎインターフェースを使用する）。基地局はまた、例えば、ＮＧインターフェースを使用して、ＮＧＣに接続され得る。図１０Ａおよび図１０Ｂは、本発明の一実施形態の一態様による、５Ｇコアネットワーク（例えば、ＮＧＣ）と基地局（例えば、ｇＮＢおよびｅＬＴＥ  ｅＮＢ）との間のインターフェースの例示的な図である。例えば、基地局は、ＮＧ‐Ｃインターフェースを使用するＮＧＣ制御プレーン（例えば、ＮＧ  ＣＰ）に、およびＮＧ‐Ｕインターフェースを使用するＮＧＣユーザプレーン（例えば、ＵＰＧＷ）に相互接続されてもよい。ＮＧインターフェースは、５Ｇコアネットワークと基地局との間の多対多の関係をサポートすることができる。
【００１９】
基地局が、多くのセクタ、例えば、１、２、３、４、または６つのセクタを含んでもよい。基地局が、多くのセル、例えば、１〜５０以上のセルを含んでもよい。セルは、例えば、プライマリセルまたはセカンダリセルとして、分類され得る。ＲＲＣ接続確立／再確立／ハンドオーバでは、１つのサービングセルが、ＮＡＳ（非アクセス層）モビリティ情報（例えば、ＴＡＩ）を提供してもよく、ＲＲＣ接続再確立／ハンドオーバでは、１つのサービングセルが、セキュリティ入力を提供してもよい。このセルは、プライマリセル（ＰＣｅｌｌ）と呼ばれることがある。ダウンリンクでは、ＰＣｅｌｌに対応するキャリアは、ダウンリンクプライマリコンポーネントキャリア（ＤＬ  ＰＣＣ）であってもよく、一方、アップリンクでは、そのキャリアは、アップリンクプライマリコンポーネントキャリア（ＵＬ  ＰＣＣ）であってもよい。無線デバイス能力に応じて、セカンダリセル（ＳＣｅｌｌ）は、ＰＣｅｌｌと共に、サービングセルのセットを形成するように構成されてもよい。ダウンリンクでは、ＳＣｅｌｌに対応するキャリアは、ダウンリンクセカンダリコンポーネントキャリア（ＤＬ  ＳＣＣ）であってもよく、一方、アップリンクでは、アップリンク二次コンポーネントキャリア（ＵＬ  ＳＣＣ）であってもよい。ＳＣｅｌｌは、アップリンクキャリアを有しても有していなくてもよい。
【００２０】
セルは、ダウンリンクキャリア、および任意選択的にアップリンクキャリアを含み、物理セルＩＤおよびセルインデックスを割り当てられることができる。キャリア（ダウンリンクまたはアップリンク）が、１つのセルのみに属してもよい。セルＩＤまたはセルインデックスはまた、セルのダウンリンクキャリアまたはアップリンクキャリアを識別することもできる（使用状況に応じて、それが使用される）。本明細書では、セルＩＤは、等しくキャリアＩＤを意味し得、セルインデックスは、キャリアインデックスを意味し得る。実装態様では、物理セルＩＤまたはセルインデックスは、セルに割り当てられてもよい。セルＩＤが、ダウンリンクキャリア上で伝送される同期信号を使用して判定されてもよい。セルインデックスが、ＲＲＣメッセージを使用して判定されてもよい。例えば、本明細書が第１のダウンリンクキャリアに対する第１の物理セルＩＤに言及した場合、本明細書は、第１の物理セルＩＤが、第１のダウンリンクキャリアを含むセルのためのものであることを意味し得る。同じ概念は、例えば、キャリアアクティブ化に適用することができる。本明細書が、第１のキャリアがアクティベートされることを示す場合、本明細書は、第１のキャリアを含むセルがアクティベートされることを同等に意味し得る。
【００２１】
実施形態は、必要に応じて、動作するように構成することができる。開示されるメカニズムは、例えば、無線デバイス、基地局、無線環境、ネットワーク、上記の組み合わせ、および／または同等物において、ある基準が満たされている場合に実行され得る。例示的な基準は、例えば、トラフィック負荷、初期システム設定、パケットサイズ、トラフィック特性、上記の組み合わせ、および／または同等物に少なくとも部分的に基づいていてもよい。１つ以上の基準が満たされている場合に、様々な例示的な実施形態が適用され得る。したがって、本開示のプロトコルを選択的に実行する例示的な実施形態を実施することが可能であり得る。
【００２２】
基地局は、混在した無線デバイスと通信することができる。無線デバイスは、複数の技術および／または同一技術の複数のリリースをサポートしてもよい。無線デバイスは、その無線デバイスカテゴリおよび／または能力（複数可）に応じて、いくつかの具体的能力（複数可）を有してもよい。基地局が、複数のセクタを含んでもよい。本開示が複数の無線デバイスと通信する基地局に言及する際、本開示は、カバレッジ領域内のすべての無線デバイスのサブセットに言及し得る。本開示は、例えば、所与の能力を有し、かつ基地局の所与のセクタ内にある、所与のＬＴＥまたは５Ｇリリースの複数の無線デバイスに言及し得る。本開示における複数の無線デバイスは、選択された複数の無線デバイス、および／または開示される方法に従って機能する、カバレッジ領域内のすべての無線デバイスのうちのサブセット、および／または同様のものを対象とすることができる。カバレッジ領域には、開示された方法に適合することができない複数の無線デバイスが存在してもよく、例えば、その理由は、それらの無線デバイスが、ＬＴＥまたは５Ｇ技術のより古いリリースに基づいて動作するからである。
【００２３】
図６および図７は、本発明の一実施形態の一態様による、ＣＡおよびマルチコネクティビティを用いたプロトコル構造の例示的な図である。ＮＲは、マルチコネクティビティ動作をサポートすることができ、それによって、ＲＲＣ＿ＣＯＮＮＥＣＴＥＤ内の複数のＲＸ／ＴＸ  ＵＥは、Ｘｎインターフェース上の非理想的または理想的バックホールを介して接続された複数のｇＮＢ内に置かれた複数のスケジューラによって提供される無線リソースを利用するように構成され得る。特定のＵＥに対してマルチコネクティビティ内で必要とされるｇＮＢは、２つの異なる役割を引き受けることができ、すなわち、ｇＮＢは、マスタｇＮＢとして、またはセカンダリｇＮＢとしてのどちらかの役割を果たすことができる。マルチコネクティビティでは、各ＵＥは、１つのマスタｇＮＢ、および１つ以上のセカンダリｇＮＢに接続され得る。図７は、マスタセルグループ（ＭＣＧ）およびセカンダリセルグループ（ＳＣＧ）が構成された場合に、ＵＥ側ＭＡＣエンティティの１つの例示的な構造を例解しており、その構造は、実施態様を限定しなくてもよい。媒体ブロードキャストマルチキャストサービス（ＭＢＭＳ）受信は、便宜上、本図には示されない。
【００２４】
マルチコネクティビティでは、特定のベアラが使用する無線プロトコルアーキテクチャは、ベアラがどのように設定されるかに依存してもよい。図６に示されるように、ＭＣＧベアラ、ＳＣＧベアラ、および分割ベアラの３つの選択肢が存在してもよい。ＮＲ  ＲＲＣは、マスタｇＮＢ内に配置されてもよく、ＳＲＢは、ＭＣＧベアラタイプとして構成されてもよく、マスタｇＮＢの無線リソースを使用してもよい。マルチコネクティビティはまた、セカンダリｇＮＢにより提供される無線リソースを使用するように構成された少なくとも１つのベアラを有するものとして、説明されることができる。マルチコネクティビティは、本発明の例示的な実施形態では、構成／実施されても、されなくてもよい。
【００２５】
マルチコネクティビティの場合には、ＵＥは、複数のＮＲ  ＭＡＣエンティティ、すなわち、マスタｇＮＢのための１つのＮＲ  ＭＡＣエンティティ、およびセカンダリｇＮＢのための他のＮＲ  ＭＡＣエンティティで構成され得る。マルチコネクティビティでは、ＵＥのために構成されたサービングセルのセットは、２つのサブセット、すなわち、マスタｇＮＢのサービングセルを収容するマスタセルグループ（ＭＣＧ）、およびセカンダリｇＮＢのサービングセルを収容するセカンダリセルグループ（ＳＣＧ）から構成され得る。ＳＣＧの場合、以下のうちの１つ以上が、適用されてもよく、すなわち、ＳＣＧ内の少なくとも１つのセルが、構成されたＵＬ  ＣＣを有し、それらのうちの１つは、ＰＳＣｅｌｌと呼ばれ（もしくはＳＣＧのＰＣｅｌｌ、または場合によっては、ＰＣｅｌｌと呼ばれる）、ＰＵＣＣＨリソースを用いて構成され、ＳＣＧが構成されたときには、少なくとも１つのＳＣＧベアラまたは１つの分割ベアラが存在してもよく、ＰＳＣｅｌｌ上で物理レイヤ問題もしくはランダムアクセス問題、またはＳＣＧと関連付けられて到達された（ＮＲ）  ＲＬＣ再伝送の最大回数の検出時に、またはＳＣＧ追加もしくはＳＣＧ変更中のＰＳＣｅｌｌに関するアクセス問題の検出時に、ＲＲＣ接続再確立プロシージャは、トリガされなくてもよく、ＳＣＧのセルに向かうＵＬ伝送は、停止され、マスタ基地局は、ＳＣＧ故障タイプについてＵＥによって通知されてもよく、分割ベアラの場合には、マスタ基地局にわたるＤＬデータ転送が、維持され得、ＮＲ  ＲＬＣ  ＡＭベアラは、分割ベアラのために構成されてもよく、同様に、ＰＣｅｌｌ、ＰＳＣｅｌｌが、不活性化されなくてもよく、ＰＳＣｅｌｌが、ＳＣＧ変更を用いて（例えば、セキュリティキー変更およびＲＡＣＨプロシージャを用いて）、変更されてもよく、ならびに／または分割ベアラとＳＣＧベアラとの間の直接ベアラタイプ変更、またはＳＣＧおよび分割ベアラの同時構成は、サポートされても、されなくてもよい。
【００２６】
マルチコネクティビティの場合のマスタｇＮＢとセカンダリｇＮＢとの間のやり取りに関しては、以下の原理のうちの１つ以上が、適用されてもよく、すなわち、マスタｇＮＢは、ＵＥのＲＲＭ測定構成を維持してもよく、（例えば、受信された測定レポート、またはトラフィック条件、またはベアラ型に基づいて）、ＵＥのための追加のリソース（サービングセル）を提供するように、セカンダリｇＮＢに依頼することを決定してもよく、マスタｇＮＢからの要求を受信する際、セカンダリｇＮＢが、ＵＥのために追加したサービングセルの構成に結果としてなり得るコンテナを作り出す（またはそのように作り出すのに利用可能なリソースを有していないことを判定する）ことができ、ＵＥ機能と連係するために、マスタｇＮＢは、ＡＳ構成およびＵＥ機能（の一部）をセカンダリｇＮＢに提供してもよく、マスタｇＮＢおよびセカンダリｇＮＢは、Ｘｎメッセージ内で搬送されるＮＲ  ＲＲＣコンテナ（ノード間メッセージ）の採用によって、ＵＥ構成についての情報を交換してもよく、セカンダリｇＮＢは、その既存のサービングセル（例えば、セカンダリｇＮＢに向かうＰＵＣＣＨ）の再構成を開始してもよく、セカンダリｇＮＢが、どのセルが、ＳＣＧ内のＰＳＣｅｌｌであるかを決定してもよく、マスタｇＮＢは、セカンダリｇＮＢによって提供されたＮＲ  ＲＲＣ構成の内容を変更しても、しなくてもよく、ＳＣＧ追加およびＳＣＧ  ＳＣｅｌｌ追加の場合には、マスタｇＮＢは、ＳＣＧセル（複数可）のための最新の測定結果を提供してもよく、マスタｇＮＢおよびセカンダリｇＮＢの両方が、ＯＡＭ（例えば、測定ギャップのＤＲＸ整列および識別）により、互いのＳＦＮおよびサブフレームオフセットを認識してもよい。一例においては、新たなＳＣＧ  ＳＣｅｌｌを追加する場合に、ＳＣＧのＰＳＣｅｌｌのＭＩＢから取得されたＳＦＮを除き、ＣＡに関するセルの要求されるシステム情報を伝送するために、専用のＮＲ  ＲＲＣ信号伝達が使用されてもよい。
【００２７】
一実施例においては、サービングセルが、ＴＡグループ（ＴＡＧ）内でグループ化されてもよい。１つのＴＡＧ内のサービングセルは、同じタイミング基準を使用し得る。所与のＴＡＧに関して、ユーザ機器（ＵＥ）は、少なくとも１つのダウンリンクキャリアをタイミング基準として使用してもよい。所与のＴＡＧに関して、ＵＥは、同じＴＡＧに属するアップリンクキャリアのアップリンクサブフレームおよびフレーム伝送タイミングを同期させてもよい。一実施例では、同じＴＡが適用されるアップリンクを有するサービングセルは、同じ受信機によってホストされるサービングセルに対応し得る。複数のＴＡをサポートするＵＥが、２つ以上のＴＡグループをサポートしてもよい。１つのＴＡグループは、ＰＣｅｌｌを含み得、一次ＴＡＧ（ｐＴＡＧ）と呼ばれ得る。多重ＴＡＧ構成では、少なくとも１つのＴＡグループが、ＰＣｅｌｌを含まなくてもよく、二次ＴＡＧ（ｓＴＡＧ）と呼ばれてもよい。一実施例では、同じＴＡグループ内のキャリアが、同じＴＡ値および／または同じタイミング基準を使用し得る。ＤＣが構成される場合に、（ＭＣＧまたはＳＣＧ）セルグループに属するセルが、ｐＴＡＧおよび１つ以上のｓＴＡＧを含む複数のＴＡＧにグループ化されてもよい。
【００２８】
図８は、本発明の一実施形態の一態様による例示的なＴＡＧ構成を示す。実施例１では、ｐＴＡＧは、ＰＣｅｌｌを含み、ｓＴＡＧは、ＳＣｅｌｌ１を含む。実施例２では、ｐＴＡＧは、ＰＣｅｌｌおよびＳＣｅｌｌ１を含み、ｓＴＡＧは、ＳＣｅｌｌ２およびＳＣｅｌｌ３を含む。実施例３では、ｐＴＡＧは、ＰＣｅｌｌおよびＳＣｅｌｌ１を含み、ｓＴＡＧ１は、ＳＣｅｌｌ２およびＳＣｅｌｌ３を含み、ｓＴＡＧ２は、ＳＣｅｌｌ４を含む。最大４つのＴＡＧが、セルグループ（ＭＣＧまたはＳＣＧ）内でサポートされ得、他の例示的なＴＡＧ構成もまた、提供され得る。本開示における様々な実施例では、例示的なメカニズムが、ｐＴＡＧおよびｓＴＡＧに関して説明される。いくつかの例示的メカニズムが、複数のｓＴＡＧを伴う構成に適用されてもよい。
【００２９】
一実施例においては、ｅＮＢが、アクティブ化されるＳＣｅｌｌに関するＰＤＣＣＨオーダーを介して、ＲＡプロシージャを開始してもよい。このＰＤＣＣＨオーダーは、このＳＣｅｌｌのスケジューリングセル上で伝送されてもよい。あるセルについてクロスキャリアスケジューリングが構成される場合に、スケジューリングセルは、プリアンブル伝送のために採用されるセルとは異なってもよく、ＰＤＣＣＨオーダーは、ＳＣｅｌｌインデックスを含んでもよい。少なくとも非競合ベースのＲＡプロシージャが、ｓＴＡＧに割り当てられるＳＣｅｌｌのためにサポートされてもよい。
【００３０】
図９は、本発明の一実施形態の一態様による、セカンダリＴＡＧ内のランダムアクセスプロセスにおける例示的なメッセージフローである。ｅＮＢは、アクティブ化コマンド６００を伝送し、ＳＣｅｌｌをアクティブ化する。プリアンブル６０２（Ｍｓｇ１）が、ｓＴＡＧに属するＳＣｅｌｌ上のＰＤＣＣＨオーダー６０１に応答して、ＵＥによって伝送されてもよい。例示的な実施形態では、ＳＣｅｌｌに関するプリアンブル伝送は、ＰＤＣＣＨフォーマット１Ａを使用して、ネットワークによって制御され得る。ＳＣｅｌｌ上のプリアンブル伝送に応答したＭｓｇ２メッセージ６０３（ＲＡＲ：ランダムアクセス応答）は、ＰＣｅｌｌ共通検索空間（ＣＳＳ）内のＲＡ−ＲＮＴＩにアドレス指定され得る。アップリンクパケット６０４が、プリアンブルが伝送されたＳＣｅｌｌ上で伝送されてもよい。
【００３１】
実施形態の様々な態様のうちのいくつかによれば、初期タイミング整列が、ランダムアクセスプロシージャを通して達成されてもよい。このことが、ＵＥがランダムアクセスプリアンブルを伝送し、ｅＮＢがランダムアクセス応答ウィンドウ内で初期ＴＡコマンドＮＴＡ（タイミングアドバンスの量）に応答することを伴ってもよい。ＮＴＡ＝０であるＵＥでは、ランダムアクセスプリアンブルの開始が、対応するアップリンクサブフレームの開始と整合され得る。ｅＮＢは、ＵＥによって伝送されるランダムアクセスプリアンブルからアップリンクタイミングを推定してもよい。ＴＡコマンドは、所望のＵＬタイミングと実際のＵＬタイミングとの間の差異の推定に基づいて、ｅＮＢによって導出され得る。ＵＥが、プリアンブルが伝送されるｓＴＡＧの対応するダウンリンクに対して初期アップリンク伝送タイミングを判定してもよい。
【００３２】
ＴＡＧへのサービングセルのマッピングが、サービングｅＮＢによって、ＲＲＣ信号伝達を用いて構成されてもよい。ＴＡＧ構成および再構成のためのメカニズムが、ＲＲＣ信号伝達に基づいてもよい。実施形態の様々な態様のうちのいくつかによれば、ｅＮＢがＳＣｅｌｌ追加構成を実行するとき、関連するＴＡＧ構成は、ＳＣｅｌｌのために構成されてもよい。例示的な一実施形態では、ｅＮＢが、ＳＣｅｌｌを除去（解放）し、更新されたＴＡＧ  ＩＤを用いて（同一物理セルＩＤおよび周波数を有する）新しいＳＣｅｌｌを追加（構成）することによって、ＳＣｅｌｌのＴＡＧ構成を修正してもよい。更新されたＴＡＧ  ＩＤを有する新たなＳＣｅｌｌは、更新されたＴＡＧ  ＩＤが割り当てられた後、最初は、非アクティブであってもよい。ｅＮＢは、更新された新しいＳＣｅｌｌをアクティブ化し、アクティブ化されたＳＣｅｌｌ上でスケジューリングパケットを始動させてもよい。例示的な一実施形態においては、ＳＣｅｌｌと関連付けられたＴＡＧが変更不可能であり、ＳＣｅｌｌが除去される必要があり、新しいＳＣｅｌｌに別のＴＡＧを追加する必要があってもよい。例えば、ｓＴＡＧからｐＴＡＧにＳＣｅｌｌを移動させる必要がある場合、少なくとも１つのＲＲＣメッセージ、例えば、少なくとも１つのＲＲＣ再構成メッセージが、ＵＥに伝送され、ＳＣｅｌｌを解放し、次いでＳＣｅｌｌをｐＴＡＧの一部として構成することによって、ＴＡＧ構成を再構成してもよい（ＳＣｅｌｌが、ＴＡＧインデックスなしで追加／構成される場合には、ＳＣｅｌｌは、ｐＴＡＧに明示的に割り当てられてもよい）。ＰＣｅｌｌが、そのＴＡグループを変更せず、ｐＴＡＧのメンバであってもよい。
【００３３】
ＲＲＣ接続再構成プロシージャの目的は、ＲＲＣ接続を修正すること（例えば、ＲＢを確立、修正、および／または解放すること、ハンドオーバを実行すること、測定値を設定、修正、および／または解放すること、ＳＣｅｌｌを追加、修正、および／または解放すること）であり得る。受信されたＲＲＣ接続再構成メッセージが、ｓＣｅｌｌＴｏＲｅｌｅａｓｅＬｉｓｔを含む場合、ＵＥが、ＳＣｅｌｌ解放を行ってもよい。受信されたＲＲＣ接続再構成メッセージが、ｓＣｅｌｌＴｏＡｄｄＭｏｄＬｉｓｔを含む場合、ＵＥが、ＳＣｅｌｌ追加または修正を行ってもよい。
【００３４】
ＬＴＥリリース−１０およびリリース−１１ＣＡでは、ＰＵＣＣＨが、ＰＣｅｌｌ（ＰＳＣｅｌｌ）上でのみｅＮＢに伝送されてもよい。ＬＴＥ−リリース１２およびそれ以前では、ＵＥが、ＰＵＣＣＨ情報を１つのセル（ＰＣｅｌｌまたはＰＳＣｅｌｌ）上で所与のｅＮＢに伝送してもよい。
【００３５】
ＣＡ対応ＵＥの数、また、アグリゲーションされたキャリアの数が増加するにつれて、ＰＵＣＣＨの数、また、ＰＵＣＣＨペイロードサイズも、増加してもよい。ＰＣｅｌｌ上のＰＵＣＣＨ伝送への対応が、ＰＣｅｌｌ上の高ＰＵＣＣＨ負荷につながってもよい。ＳＣｅｌｌ上のＰＵＣＣＨが、ＰＵＣＣＨリソースをＰＣｅｌｌからオフロードするために導入されてもよい。２つ以上のＰＵＣＣＨ、例えば、ＰＣｅｌｌ上のＰＵＣＣＨおよびＳＣｅｌｌ上の別のＰＵＣＣＨが、構成されてもよい。例示的な実施形態では、１つ、２つ、またはそれ以上のセルは、ＣＳＩ／ＡＣＫ／ＮＡＣＫを基地局に伝送するために、ＰＵＣＣＨリソースを用いて構成されてもよい。セルは、複数のＰＵＣＣＨグループにグループ化されてもよく、グループ内の１つ以上のセルは、ＰＵＣＣＨを用いて構成されてもよい。例示的な構成では、１つのＳＣｅｌｌが、１つのＰＵＣＣＨグループに属してもよい。構成されたＰＵＣＣＨが基地局に伝送されるＳＣｅｌｌが、ＰＵＣＣＨ  ＳＣｅｌｌと呼ばれてもよく、共通のＰＵＣＣＨリソースが同一の基地局に伝送されるセルグループが、ＰＵＣＣＨグループと呼ばれてもよい。
【００３６】
例示的実施形態では、ＭＡＣエンティティが、ＴＡＧ毎に構成可能なタイマｔｉｍｅＡｌｉｇｎｍｅｎｔＴｉｍｅｒを有してもよい。アップリンク時間整合されるべき関連付けられたＴＡＧに属するサービングセルをＭＡＣエンティティが考慮する時間の長さを制御するために、ｔｉｍｅＡｌｉｇｎｍｅｎｔＴｉｍｅｒが使用され得る。ＭＡＣエンティティは、タイミングアドバンスコマンドＭＡＣ制御要素が受信されるとき、示されるＴＡＧにタイミングアドバンスコマンドを適用し、示されるＴＡＧと関連付けられたｔｉｍｅＡｌｉｇｎｍｅｎｔＴｉｍｅｒを始動または再始動させ得る。ＭＡＣエンティティは、タイミングアドバンスコマンドが、ＴＡＧに属するサービングセルのためのランダムアクセス応答メッセージ内で受信されるとき、および／またはランダムアクセスプリアンブルが、ＭＡＣエンティティによって選択されなかった場合に、このＴＡＧにタイミングアドバンスコマンドを適用し、このＴＡＧと関連付けられたｔｉｍｅＡｌｉｇｎｍｅｎｔＴｉｍｅｒを始動または再始動させ得る。一方、このＴＡＧと関連付けられたｔｉｍｅＡｌｉｇｎｍｅｎｔＴｉｍｅｒがアクティブ化中ではない場合には、このＴＡＧに対するタイミングアドバンスコマンドが適用され得、このＴＡＧと関連付けられたｔｉｍｅＡｌｉｇｎｍｅｎｔＴｉｍｅｒが始動され得る。競合解決が成功ではないとみなされる場合には、このＴＡＧと関連付けられたｔｉｍｅＡｌｉｇｎｍｅｎｔＴｉｍｅｒが停止され得る。そうでなければ、ＭＡＣエンティティが、受信されたタイミングアドバンスコマンドを無視してもよい。
【００３７】
例示的実施形態では、タイマは、いったん始動されると、停止または満了するまで、アクティブ化中である。そうでなければ、アクティブ化していなくてもよい。タイマは、アクティブ化中ではない場合に始動可能であり、または、アクティブ化中である場合に再始動可能である。例えば、タイマがその初期値から始動または再始動されてもよい。
【００３８】
本発明の例示的な実施形態が、マルチキャリア通信の動作を可能にすることができる。他の例示的実施形態が、マルチキャリア通信の動作を実行させる、１つ以上のプロセッサによって実行可能な命令を含む、非一時的な有形のコンピュータ可読媒体を備えてもよい。さらに他の例示的な実施形態は、プログラマブルハードウェアが、デバイス（例えば、無線通信機、ＵＥ、基地局など）にマルチキャリア通信を行わせることを可能にする命令がコード化されている非一時的な有形のコンピュータ可読機械アクセス可能媒体を備える製造物品を含んでもよい。デバイスは、プロセッサ、メモリ、インターフェース、および／または同等物を含み得る。他の例示的実施形態が、基地局、無線デバイス（またはユーザ機器：ＵＥ）、サーバ、スイッチ、アンテナ、および／または同等物などのデバイスを備える通信ネットワークを含んでもよい。
【００３９】
図１１Ａ、図１１Ｂ、図１１Ｃ、図１１Ｄ、図１１Ｅ、および図１１Ｆは、本発明の一実施形態の一態様による、５Ｇ  ＲＡＮとＬＴＥ  ＲＡＮとの間の緊密なインターワーキングのアーキテクチャの例示的な図である。この緊密なインターワーキングにより、ＲＲＣ＿ＣＯＮＮＥＣＴＥＤ内の複数のＲＸ／ＴＸ  ＵＥが、ＬＴＥ  ｅＮＢとｇＮＢとの間のＸｘインターフェース、またはＬＴＥ  ｅＮＢとｇＮＢとの間のＸｎインターフェース上の非理想的もしくは理想的バックホールを介して接続された２つの基地局（例えば（ｅ）ＬＴＥ  ｅＮＢおよびｇＮＢ）内に置かれた２つのスケジューラによって提供される無線リソースを利用するように構成されることを可能にすることができる。特定のＵＥに関する緊密なインターワーキングで使用される基地局は、２つの異なる役割を引き受けることができ、すなわち、基地局は、マスタ基地局として、またはセカンダリ基地局としてのどちらかの役割をも果たすことができる。緊密なインターワーキングでは、ＵＥは、１つのマスタ基地局および１つのセカンダリ基地局に接続され得る。緊密なインターワーキングで実装されるメカニズムは、３つ以上の基地局をカバーするように拡張され得る。
【００４０】
図１１Ａおよび図１１Ｂでは、マスタ基地局は、ＬＴＥ  ｅＮＢとしてもよく、当該ＬＴＥ  ｅＮＢは、ＥＰＣノード（例えば、Ｓ１−Ｃインターフェースを介してＭＭＥに、およびＳ１−Ｕインターフェースを介してＳ−ＧＷに）に接続されてもよく、セカンダリ基地局は、ｇＮＢとしてもよく、当該ｇＮＢは、Ｘｘ−Ｃインターフェースを介した、ＬＴＥ  ｅＮＢへの制御プレーン接続を有するノンスタンドアローンノードであってもよい。図１１Ａの緊密なインターワーキングアーキテクチャでは、ｇＮＢに関するユーザプレーンは、ＬＴＥ  ｅＮＢとｇＮＢとの間のＸｘ‐Ｕインターフェース、およびＬＴＥ  ｅＮＢとＳ‐ＧＷとの間のＳ１‐Ｕインターフェースを介して、ＬＴＥ  ｅＮＢを通ってＳ‐ＧＷに接続されてもよい。図１１Ｂのアーキテクチャでは、ｇＮＢに関するユーザプレーンは、ｇＮＢとＳ−ＧＷとの間のＳ１−Ｕインターフェースを介してＳ−ＧＷに直接接続されてもよい。
【００４１】
図１１Ｃおよび図１１Ｄでは、マスタ基地局は、ｇＮＢであってもよく、当該ｇＮＢは、ＮＧＣノードに（例えば、ＮＧ‐Ｃインターフェースを介して制御プレーンコアノードに、およびＮＧ−Ｕインターフェースを介してユーザプレーンコアノードに）接続されてもよく、セカンダリ基地局は、ｅＬＴＥ  ｅＮＢであってもよく、当該ｅＬＴＥ  ｅＮＢは、Ｘｎ−Ｃインターフェースを介した、ｇＮＢへの制御プレーン接続を有するノンスタンドアローンノードであってもよい。図１１Ｃの緊密なインターワーキングアーキテクチャでは、ｅＬＴＥ  ｅＮＢに関するユーザプレーンは、ｅＬＴＥ  ｅＮＢとｇＮＢとの間のＸｎ‐Ｕインターフェース、およびｇＮＢとユーザプレーンコアノードとの間のＮＧ‐Ｕインターフェースを介して、ｇＮＢを通るユーザプレーンコアノードに接続されてもよい。図１１Ｄのアーキテクチャでは、ｅＬＴＥ  ｅＮＢに関するユーザプレーンは、ｅＬＴＥ  ｅＮＢとユーザプレーンコアノードとの間のＮＧ‐Ｕインターフェースを介してユーザプレーンコアノードに直接接続されてもよい。
【００４２】
図１１Ｅおよび図１１Ｆでは、マスタ基地局は、ｅＬＴＥ  ｅＮＢであってもよく、当該ｅＬＴＥ  ｅＮＢは、ＮＧＣノード（例えば、ＮＧ‐Ｃインターフェースを介して制御プレーンコアノードに、およびＮＧ−Ｕインターフェースを介してユーザプレーンコアノード）に接続されてもよく、セカンダリ基地局は、ｇＮＢであってもよく、当該ｇＮＢは、Ｘｎ−Ｃインターフェースを介したｅＬＴＥ  ｅＮＢへの制御プレーン接続を有するノンスタンドアローンノードであってもよい。図１１Ｅの緊密なインターワーキングアーキテクチャでは、ｇＮＢに関するユーザプレーンは、ｅＬＴＥ  ｅＮＢとｇＮＢとの間のＸｎ‐Ｕインターフェース、およびｅＬＴＥ  ｅＮＢとユーザプレーンコアノードとの間のＮＧ‐Ｕインターフェースを介して、ｅＬＴＥ  ｅＮＢを通るユーザプレーンコアノードに接続されてもよい。図１１Ｆのアーキテクチャでは、ｇＮＢに関するユーザプレーンは、ｇＮＢとユーザプレーンコアノードとの間のＮＧ‐Ｕインターフェースを介して、ユーザプレーンコアノードに直接接続されてもよい。
【００４３】
図１２Ａ、図１２Ｂ、および図１２Ｃは、本発明の一実施形態の一態様による、緊密なインターワーキングベアラの無線プロトコル構造の例示的な図である。図１２Ａでは、ＬＴＥ  ｅＮＢが、マスタ基地局であってもよく、ｇＮＢが、セカンダリ基地局であってもよい。図１２Ｂでは、ｇＮＢが、マスタ基地局であってもよく、ｅＬＴＥ  ｅＮＢが、セカンダリ基地局であってもよい。図１２Ｃでは、ｅＬＴＥ  ｅＮＢが、マスタ基地局であってもよく、ｇＮＢが、セカンダリ基地局であってもよい。５Ｇネットワークでは、特定のベアラが使用する無線プロトコルアーキテクチャは、ベアラがどのように設定されるかに依存し得る。図１２Ａ、図１２Ｂ、および図１２Ｃに示されるように、ＭＣＧベアラ、ＳＣＧベアラ、および分割ベアラの３つの選択肢が存在してもよい。ＮＲ  ＲＲＣは、マスタ基地局内に配置されてもよく、ＳＲＢは、ＭＣＧベアラタイプとして構成されてもよく、マスタ基地局の無線リソースを使用してもよい。緊密なインターワーキングはまた、セカンダリ基地局によって提供された無線リソースを使用するように構成された少なくとも１つのベアラを有するものとしても説明され得る。緊密なインターワーキングは、本発明の例示的な実施形態では、構成／実施されても、されなくてもよい。
【００４４】
緊密なインターワーキングの場合には、ＵＥは、２つのＭＡＣエンティティ、すなわちマスタ基地局のための１つのＭＡＣエンティティ、およびセカンダリ基地局のための１つのＭＡＣエンティティを用いて構成されてもよい。緊密なインターワーキングでは、ＵＥのために構成されたサービングセルのセットは、２つのサブセット、すなわちマスタ基地局のサービングセルを収容するマスタセルグループ（ＭＣＧ）、およびセカンダリ基地局のサービングセルを収容するセカンダリセルグループ（ＳＣＧ）から成り得る。ＳＣＧの場合、以下のうちの１つ以上が、適用されてもよく、すなわち、ＳＣＧ内の少なくとも１つのセルは、構成されたＵＬ  ＣＣを有し、それらのうちの１つは、ＰＳＣｅｌｌと呼ばれ（もしくはＳＣＧのＰＣｅｌｌ、または場合によっては、ＰＣｅｌｌと呼ばれる）、ＰＵＣＣＨリソースを用いて構成され、ＳＣＧが構成されたときには、少なくとも１つのＳＣＧベアラまたは１つの分割ベアラが存在してもよく、ＰＳＣｅｌｌ上で物理レイヤ問題もしくはランダムアクセス問題、またはＳＣＧと関連付けられて到達された（ＮＲ）  ＲＬＣ再伝送の最大回数の検出時に、またはＳＣＧ追加もしくはＳＣＧ変更中のＰＳＣｅｌｌに関するアクセス問題の検出時に、ＲＲＣ接続再確立プロシージャが、トリガされなくてもよく、ＳＣＧのセルに向かうＵＬ伝送が、停止され、マスタ基地局が、ＳＣＧ故障タイプについてＵＥによって通知されてもよく、分割ベアラの場合には、マスタ基地局にわたるＤＬデータ転送が、維持され、ＲＬＣ  ＡＭベアラは、分割ベアラのために構成されてもよく、同様に、ＰＣｅｌｌ、ＰＳＣｅｌｌが、不活性化されなくてもよく、ＰＳＣｅｌｌが、ＳＣＧ変更を用いて（例えば、セキュリティキー変更およびＲＡＣＨプロシージャを用いて）、変更されてもよく、ならびに／または分割ベアラとＳＣＧベアラとの間の直接ベアラタイプ変更も、またはＳＣＧおよび分割ベアラの同時構成もまた、サポートされない。
【００４５】
マスタ基地局とセカンダリ基地局との間のやり取りに関しては、以下の原理のうちの１つ以上が、適用され得、すなわち、マスタ基地局は、ＵＥのＲＲＭ測定構成を維持してもよく、（例えば、受信した測定レポート、トラフィック条件、またはベアラタイプに基づいて）、ＵＥのための追加のリソース（サービングセル）を提供するように、セカンダリ基地局に依頼することを決定してもよく、マスタ基地局からの要求を受信すると、セカンダリ基地局が、ＵＥのために追加したサービングセルの構成をもたらすコンテナを作り出す（またはそのように作り出すのに利用可能なリソースを有していないことを判定する）ことができ、ＵＥ機能調整の場合、マスタ基地局は、ＡＳ構成（の一部）およびＵＥ機能をセカンダリ基地局に提供してもよく、マスタ基地局およびセカンダリ基地局は、ＸｎまたはＸｘメッセージ内で搬送されるＲＲＣコンテナ（ノード間メッセージ）の使用によって、ＵＥ構成についての情報を交換してもよく、セカンダリ基地局は、その既存のサービングセルの再構成を開始してもよく（例えば、セカンダリ基地局に向かうＰＵＣＣＨ）、セカンダリ基地局が、どのセルが、ＳＣＧ内のＰＳＣｅｌｌであるかを決定してもよく、マスタ基地局は、セカンダリ基地局によって提供されるＲＲＣ構成の内容を変更しなくてもよく、ＳＣＧ追加およびＳＣＧ  ＳＣｅｌｌ追加の場合には、マスタ基地局は、ＳＣＧセル（複数可）のための最新の測定結果を提供してもよく、マスタ基地局およびセカンダリ基地局の両方が、ＯＡＭにより、互いのＳＦＮおよびサブフレームオフセットを認識してもよい（例えば、ＤＲＸアライメント、および測定ギャップの識別のため）。一例では、新たなＳＣＧ  ＳＣｅｌｌを追加する場合に、ＳＣＧのＰＳＣｅｌｌのＭＩＢから獲得されたＳＦＮを除き、ＣＡに関するセルの要求されるシステム情報を伝送するために、専用のＲＲＣ信号伝達が、使用されてもよい。
【００４６】
図１３Ａおよび図１３Ｂは、本発明の一実施形態の一態様によるｇＮＢ展開シナリオの例示的な図である。図１３Ａの非集中型展開シナリオでは、全プロトコルスタック（例えば、ＮＲ  ＲＲＣ、ＮＲ  ＰＤＣＰ、ＮＲ  ＲＬＣ、ＮＲ  ＭＡＣ、およびＮＲ  ＰＨＹ）は、１つのノードでサポートされ得る。図１３Ｂの集中型展開シナリオでは、ｇＮＢの上位レイヤは、集約基地局（ＣＵ）に配置されてもよく、ｇＮＢの下位レイヤは、分散基地局（ＤＵ）に配置されてもよい。ＣＵおよびＤＵを接続するＣＵ‐ＤＵインターフェース（例えば、Ｆｓインターフェース）は、理想的または非理想的であってもよい。Ｆｓ−Ｃは、Ｆｓインターフェース上に制御プレーン接続を提供してもよく、Ｆｓ‐Ｕは、Ｆｓインターフェース上にユーザプレーン接続を提供してもよい。集中型展開では、ＣＵとＤＵとの間の異なる機能的分割オプションが、異なるプロトコルレイヤ（ＲＡＮ機能）をＣＵおよびＤＵに配置することによって、可能になる場合がある。機能分割は、柔軟性をサポートして、サービス要件やネットワーク環境に応じて、ＣＵとＤＵとの間でＲＡＮ機能を移動させることができる。機能分割オプションは、Ｆｓインターフェース設定プロシージャ後の動作中に変更してもよく、またはＦｓ設定プロシージャ内のみで（すなわち、Ｆｓ設定プロシージャ後の動作中に静的に）変更してもよい。
【００４７】
図１４は、本発明の一実施形態の一態様による、集中型ｇＮＢ展開シナリオの異なる機能分割オプション例に関する例示的な図である。分割オプション例１では、ＮＲ  ＲＲＣは、ＣＵ内にあってもよく、ＮＲ  ＰＤＣＰ、ＮＲ  ＲＬＣ、ＮＲ  ＭＡＣ、ＮＲ  ＰＨＹ、およびＲＦは、ＤＵ内にあってもよい。分割オプション例２では、ＮＲ  ＲＲＣおよびＮＲ  ＰＤＣＰは、ＣＵ内にあってもよく、ＮＲ  ＲＬＣ、ＮＲ  ＭＡＣ、ＮＲ  ＰＨＹ、およびＲＦは、ＤＵ内にあってもよい。分割オプション例３では、ＮＲ  ＲＲＣ、ＮＲ  ＰＤＣＰ、およびＮＲ  ＲＬＣの部分的機能は、ＣＵ内にあってもよく、ＮＲ  ＲＬＣの部分的機能、ＮＲ  ＭＡＣ、ＮＲ  ＰＨＹ、およびＲＦは、ＤＵ内にあってもよい。分割オプション例４では、ＮＲ  ＲＲＣ、ＮＲ  ＰＤＣＰ、およびＮＲ  ＲＬＣは、ＣＵ内にあってもよく、ＮＲ  ＭＡＣ、ＮＲ  ＰＨＹ、およびＲＦは、ＤＵ内にあってもよい。分割オプション例５では、ＮＲ  ＲＲＣ、ＮＲ  ＰＤＣＰ、ＮＲ  ＲＬＣ、およびＮＲ  ＭＡＣの部分的機能は、ＣＵ内にあってもよく、ＮＲ  ＭＡＣの他の部分的機能、ＮＲ  ＰＨＹ、およびＲＦは、ＤＵ内にあってもよい。分割オプション例６では、ＮＲ  ＲＲＣ、ＮＲ  ＰＤＣＰ、ＮＲ  ＲＬＣ、およびＮＲ  ＭＡＣは、ＣＵ内にあってもよく、ＮＲ  ＰＨＹおよびＲＦは、ＤＵ内にあってもよい。分割オプション例７では、ＮＲ  ＲＲＣ、ＮＲ  ＰＤＣＰ、ＮＲ  ＲＬＣ、ＮＲ  ＭＡＣ、および  ＮＲ  ＰＨＹの部分的機能は、ＣＵ内にあってもよく、ＮＲ  ＰＨＹの他の部分的機能、およびＲＦは、ＤＵ内にあってもよい。分割オプション例８では、ＮＲ  ＲＲＣ、ＮＲ  ＰＤＣＰ、ＮＲ  ＲＬＣ、ＮＲ  ＭＡＣ、およびＮＲ  ＰＨＹは、ＣＵ内にあってもよく、ＲＦは、ＤＵ内にあってもよい。
【００４８】
機能分割は、ＣＵ毎、ＤＵ毎、ＵＥ毎、ベアラ毎、スライス毎に、または他の粒度で構成されてもよい。ＣＵ毎の分割では、ＣＵは、固定された分割を有してもよく、ＤＵは、ＣＵの分割オプションに一致するように構成されてもよい。ＤＵ毎の分割では、各ＤＵは、異なる分割で構成されてもよく、ＣＵは、異なるＤＵに対して異なる分割オプションを提供してもよい。ＵＥ毎の分割では、ｇＮＢ（ＣＵおよびＤＵ）は、異なるＵＥに対して異なる分割オプションを提供してもよい。ベアラ毎の分割では、異なる分割オプションは、異なるベアラタイプに対して利用されてもよい。スライススプライス毎において、別個の分割オプションが、別個のスライスに対して適用され得る。
【００４９】
例示的な実施形態では、新しい無線アクセスネットワーク（新しいＲＡＮ）は、異なるネットワークスライスをサポートしてもよく、そのスライスは、端末相互間の範囲で異なるサービス要件をサポートするためにカスタマイズされた差別化した取り扱いを可能にし得る。新しいＲＡＮは、事前に構成され得る異なるネットワークスライスのために、差別化されたトラフィック処理を提供することができ、シングルＲＡＮノードが複数のスライスをサポートすることを可能にし得る。新ＲＡＮは、ＵＥまたはＮＧＣ（例えば、ＮＧ  ＣＰ）により提供される１つ以上のスライスＩＤ（複数可）またはＮＳＳＡＩ（複数可）によって、所与のネットワークスライスに対するＲＡＮ部分の選択をサポートし得る。スライスＩＤ（複数可）またはＮＳＳＡＩ（複数可）は、ＰＬＭＮ内の事前に構成されたネットワークスライスのうちの１つ以上を識別することができる。初期アタッチの場合、ＵＥは、スライスＩＤおよび／またはＮＳＳＡＩを提供することができ、ＲＡＮノード（例えば、ｇＮＢ）は、初期ＮＡＳ信号伝達をＮＧＣ制御プレーン機能（例えば、ＮＧ  ＣＰ）にルーティングするために、スライスＩＤまたはＮＳＳＡＩを使用することができる。ＵＥが、いずれのスライスＩＤまたはＮＳＳＡＩも提供しない場合、ＲＡＮノードは、ＮＡＳ信号伝達をデフォルトのＮＧＣ制御プレーン機能に伝送することができる。後続のアクセスのために、ＵＥは、スライス識別のための一時的なＩＤを提供することができ、そのＩＤは、ＮＧＣ制御プレーン機能によって割り当てられて、ＲＡＮノードにＮＡＳメッセージを適切なＮＧＣ制御プレーン機能にルーティングさせることができる。新しいＲＡＮは、スライス間のリソース分離をサポートすることができる。ＲＡＮリソース分離は、１つのスライス内の共有リソースの不足により、別のスライスに対するサービスレベルの同意に違反することを回避することによって、達成され得る。
【００５０】
セルラー式ネットワーク上で搬送されるデータトラフィックの量は、今後何年にもわたって増加すると予想されている。ユーザ／デバイスの数は、増大しており、各ユーザ／デバイスは、益々多くなる様々なサービス、例えば、ビデオ配信、大きなファイル、画像にアクセスする。これにより、ネットワークの大容量だけでなく、双方向性および応答性に関する消費者の期待に応える超高速データレートの提供が要求される。それゆえに、携帯通信事業者が、増大する要求を満たすためには、より多くのスペクトルが必要とされる。シームレスな移動性と共に高速データレートに関するユーザの期待を考慮すると、セルラー式システムのために、スモールセルのみならず、マクロセルをも展開するためのより多くのスペクトルが利用可能になることが、有益である。
【００５１】
市場の要求を満たそうとの取り組みがあり、トラフィックの成長を満たすために無認可スペクトルを利用していくつかの相補的なアクセスを展開することに通信事業者からの関心が高まっている。この例が、通信事業者が展開する多数のＷｉ‐Ｆｉネットワークと、ＬＴＥ／ＷＬＡＮインターワーキングソリューションの３ＧＰＰ標準化とに見られる。この関心は、ホットスポットエリアなどのいくつかのシナリオにおいて、無認可スペクトルが存在する場合、無認可スペクトルは、携帯通信事業者がトラフィック急増への対処に役立たせるための、認可スペクトルに対する有効な補完となり得ることを示している。ＬＡＡは、通信事業者が、１つの無線ネットワークを管理しながら、無認可スペクトルを使用する代案を提案しており、これにより、ネットワーク効率を最適化するための新しい可能性を提案している。
【００５２】
例示的な実施形態では、ＬＡＡセル内での伝送のためにリッスンビフォアトーク（クリアチャネルアセスメント）が実装され得る。リッスンビフォアトーク（ＬＢＴ）プロシージャでは、機器は、チャネルを使用する前にクリアチャネルアセスメント（ＣＣＡ）チェックを適用することができる。例えば、ＣＣＡは、チャネルが占有されているか、または空の状態であるか、それぞれ判定するために、少なくともエネルギー検出を利用して、チャネル上のその他の信号の存在または不存在を判定する。例えば、欧州および日本の規制では、無認可バンドでのＬＢＴの使用が義務づけられている。規制要件とは別に、ＬＢＴを介するキャリア検知は、無認可スペクトルを公平に共有するための１つの方法であり得る。
【００５３】
例示的な実施形態では、制限された最大伝送持続時間を有する無認可キャリアに関する不連続伝送が、可能であり得る。これらの機能のうちのいくつかは、不連続ＬＡＡダウンリンク伝送の始めから伝送される１つ以上の信号によってサポートされ得る。チャネル予約は、正常なＬＢＴ動作を介してチャネルアクセスを取得した後に、ＬＡＡノードによる信号の伝送によって可能であってもよく、その結果、特定の閾値を超えるエネルギーを有する伝伝送号を受信する他のノードは、チャネルが占有されていることを検知する。不連続なダウンリンク伝送を伴うＬＡＡ動作のために、１つ以上の信号によってサポートされる必要があり得る機能は、ＵＥによるＬＡＡダウンリンク伝送の検出（セル識別を含む）、ＵＥの  時間および周波数同期のうちの１つ以上を含んでもよい。
【００５４】
例示的な実施形態では、ＤＬ  ＬＡＡ設計は、ＣＡにより集約されたサービングセルの両端におけるＬＴＥ‐Ａキャリアアグリゲーションタイミング関係に従って、サブフレーム境界アライメントを採用してもよい。これは、ｅＮＢ伝送が、サブフレーム境界のみにおいて開始することができることを意味しなくてもよい。ＬＡＡは、すべてのＯＦＤＭシンボルが、ＬＢＴに従ってサブフレーム内の伝送に対して、必ずしも利用可能であるとは限らない場合には、ＰＤＳＣＨの伝送をサポートしてもよい。ＰＤＳＣＨのための必要な制御情報の配信はまた、サポートされてもよい。
【００５５】
ＬＢＴプロシージャは、ＬＡＡと他の通信事業者、および無認可スペクトル内で動作する技術との公正でかつ親和的な共存のために採用され得る。無認可スペクトル内のキャリア上で伝送しようとするノード上のＬＢＴプロシージャは、当該チャネルが自由に使用することができるかどうかを判定するために、クリアチャネル評価の実行をノードに要求する。ＬＢＴプロシージャは、当該チャネルが使用されているかどうかを判定するために、少なくともエネルギー検出を必要とし得る。例えば、いくつかの地域、例えば、欧州での規制要件は、エネルギー検出閾値を指定しており、それによって、ノードがこの閾値よりも大きいエネルギーを受信した場合、ノードは、チャネルが空いていないと推定する。ノードは、そのような規制要件に従うことができるが、ノードは、規制要件によって指定された閾値よりも低いエネルギー検出のための閾値を任意選択的に使用してもよい。一例では、ＬＡＡは、エネルギー検出閾値を適応的に変化させるためのメカニズムを採用してもよく、例えば、ＬＡＡは、上位境界からエネルギー検出閾値を適応的に小さくするためのメカニズムを採用してもよい。適応メカニズムは、閾値の静的、または準静的設定を排除しなくてもよい。一例では、カテゴリ４ＬＢＴメカニズム、または他のタイプのＬＢＴメカニズムが、実装されてもよい。
【００５６】
様々な例示的なＬＢＴメカニズムが実装され得る。一例では、いくつかの信号の場合、いくつかの実施態様シナリオにおいて、いくつかの状況では、および／またはいくつかの周波数では、ＬＢＴプロシージャは、伝送エンティティによっては実行されない場合がある。一例では、カテゴリ２（例えば、ランダムバックオフなしのＬＢＴ）が、実装されてもよい。伝送エンティティが伝送する前にチャネルがアイドル状態であると検知される期間は、決定論的であり得る。一例では、カテゴリ３（例えば、固定サイズのコンテンションウィンドウを有するランダムバックオフを用いたＬＢＴ）が実装されてもよい。ＬＢＴプロシージャは、その構成要素の１つとして以下のプロシージャを有することができる。伝送エンティティは、コンテンションウィンドウ内に乱数Ｎを選び出すことができる。コンテンションウィンドウのサイズは、Ｎの最小値および最大値によって指定され得る。コンテンションウィンドウのサイズは、固定され得る。乱数ＮをＬＢＴプロシージャにおいて使用して、伝送エンティティがチャネル上で伝送する前にチャネルがアイドル状態であると検知される期間を決定することができる。一例では、カテゴリ４（例えば、可変サイズのコンテンションウィンドウを有するランダムバックオフを用いたＬＢＴ）が、実装されてもよい。伝送エンティティは、コンテンションウィンドウ内に乱数Ｎを選び出すことができる。コンテンションウィンドウのサイズは、Ｎの最小値および最大値によって指定されてもよい。伝送エンティティは、乱数Ｎを選び出すときに、コンテンションウィンドウのサイズを変化させてもよい。乱数Ｎは、ＬＢＴプロシージャ内で使用されて、伝送エンティティがチャネル上で伝送する前に、チャネルがアイドル状態であると検知される持続時間を決定する。
【００５７】
ＬＡＡは、ＵＥにおいてアップリンクＬＢＴを採用することができる。ＵＬ  ＬＢＴ方式は、ＤＬ  ＬＢＴ方式と異なってもよく（例えば、異なるＬＢＴメカニズムまたはパラメータを使用することによって）、例えば、その理由は、ＬＡＡ  ＵＬが、ＵＥのチャネル競合機会に影響を及ぼす、スケジューリングされたアクセスに基づくからである。異なるＵＬ  ＬＢＴ方式を動機付ける他の配慮としては、以下に限定されないが、シングルサブフレーム内の複数のＵＥの多重化が挙げられる。
【００５８】
一例では、ＤＬ伝送バーストは、同じＣＣ上の同じノードからの前後にはすぐに伝送しないＤＬ伝送ノードからの連続伝送であってもよい。ＵＥの観点からのＵＬ伝送バーストは、同じＣＣ上の同じＵＥからの前後にはすぐに伝送しないＵＥからの連続伝送であってもよい。一例では、ＵＬ伝送バーストは、ＵＥの観点から定義される。一例では、ＵＬ伝送バーストは、ｅＮＢの観点から定義されてもよい。一例では、ｅＮＢが、同じ無認可キャリア上でＤＬ＋ＵＬ  ＬＡＡを動作させる場合に、ＬＡＡ上のＤＬ伝送バースト（複数可）およびＵＬ伝送バースト（複数可）は、同じ無認可キャリア上のＴＤＭ方式でスケジューリングされてもよい。例えば、時間におけるある瞬間は、ＤＬ伝送バーストまたはＵＬ伝送バースの一部であってもよい。
【００５９】
実施形態の様々な態様のうちのいくつかによれば、初期タイミング整列が、ランダムアクセスプロシージャを通して達成されてもよい。このことが、ＵＥが少なくとも１つのランダムアクセスプリアンブルを伝送し、基地局がランダムアクセス応答ウィンドウ内で初期ＴＡコマンドＮＴＡ（タイミングアドバンスの量）に応答することを伴ってもよい。ＮＴＡ＝０であるＵＥでは、ランダムアクセスプリアンブルの開始が、対応するアップリンクサブフレームの開始と整合され得る。基地局は、ＵＥによって伝送されるランダムアクセスプリアンブルからアップリンクタイミングを推定してもよい。ＴＡコマンドは、所望のＵＬタイミングと実際のＵＬタイミングとの間の差異の推定に基づいて、基地局によって導出され得る。ＵＥが、プリアンブルが伝送されるＴＡＧの対応するダウンリンクに対して初期アップリンク伝送タイミングを判定してもよい。ＴＡ値は、基準ダウンリンク信号タイミングとアップリンク伝送タイミングとの間のタイミング差に基づいて決定されてもよい。タイミングアドバンス値は、少なくともチャネル条件、例えば伝搬遅延に依存する。
【００６０】
一例では、無線デバイスは、基地局の異なる伝送／受信ポイントによってサービスされる複数のセルを使用することができる。複数のセルのうちの１つ以上のセルが、複数の伝送／受信ポイントによってサービスされてもよい。一例では、無線デバイスに対するセルにサービスする伝送／受信ポイントに応じて、セルが複数の伝送／受信ポイントで動作するとき、無線デバイスに対するセルのタイミングアドバンスが変化してもよい。一例では、無線デバイスに対するセルにサービスする伝送／受信ポイントに応じて、セルが、無線デバイスの異なるタイミングアドバンスグループ（ＴＡＧ）に属する必要があってもよい。一例では、セルの伝搬遅延およびタイミングアドバンスは、無線デバイスがカバレッジエリア内を移動する、および／または異なる伝送ポイントに接続するとき、変化してもよい。
【００６１】
既存の技術では、ｇＮＢがｇＮＢ−ＣＵとｇＮＢ−ＤＵとに分割されている場合、ｇＮＢ−ＣＵは少なくともＲＲＣレイヤを提供することができ、ｇＮＢ−ＤＵは物理レイヤおよび／またはＭＡＣレイヤのうちの少なくとも１つを提供することができる。一例では、セルのタイミングアドバンスが変化すると、ｇＮＢ−ＤＵが、無線デバイスに対するセルのタイミングアドバンス値の変化を検出することができる。ｇＮＢ−ＣＵが、無線デバイスのセルのタイミングアドバンスの変更を認識しなくてもよい。ｇＮＢ−ＣＵが、無線デバイスに対して、無線デバイスのセルのタイミングアドバンス変更の情報なしで、ＴＡＧ構成パラメータを含むＲＲＣパラメータ（例えば、ＲＲＣメッセージ）を構成することができる。ｇＮＢ−ＣＵの既存のＲＲＣメッセージ構成メカニズムの実装は、無線デバイスに対する不適切なパラメータを構成し得る。既存の技術は、無線チャネルの信頼性を低下させ、無線デバイスによって生成される干渉を増加させ得る。ｇＮＢ−ＣＵ、ｇＮＢ−ＤＵ、および無線デバイスの間の強化信号伝達メカニズムを開発して、ｇＮＢ−ＣＵがタイミングアドバンスグループを適切に構成してアップリンクタイミングを強化し、干渉を低減することができるようにする必要がある。
【００６２】
例示的な実施形態は、ｇＮＢ−ＤＵがｇＮＢの下位レイヤ機能を提供するとき、ｇＮＢ−ＣＵのＲＲＣパラメータ構成メカニズムを強化する。例示的な実施形態は、ｇＮＢ−ＣＵおよびｇＮＢ−ＤＵの相互作用を強化して、無線デバイスに対するタイミング整列構成パラメータを構成することができる。例示的な実施形態は、無線デバイスに対するｇＮＢ−ＣＵおよびｇＮＢ−ＤＵのパラメータ構成メカニズムを強化することによって、接続信頼性を高め、無線デバイスの干渉を低減することができる。
【００６３】
例示的な実施形態では、基地局は、ｇＮＢ、ｅＮＢ、ＲＮＣ、ホームｅＮＢ、ホームｇＮＢ、ＮＧ−ｅＮＢ、統合アクセスおよびバックホール（ＩＡＢ）ノード、中継ノード、アクセスポイント、および／または、１つ以上の無線デバイスと通信する任意のタイプの基地局またはアクセスポイントを含むことができる。例示的な基地局に対する例示的な実施形態は、他のタイプの基地局に適用されてもよい。例えば、ｇＮＢ上の実施形態は、ＩＡＢノードの実装に適用できる。例示的な実施形態では、ｇＮＢ−ＣＵは、集約基地局（例えば、ｅＮＢ−ＣＵ、ＲＮＣ、アクセスポイント集約装置、中継ドナーノード、統合アクセスおよびバックホール（ＩＡＢ）ドナーノード、および／または同等物）と解され得る。例示的な実施形態では、ｇＮＢ−ＤＵは、分散基地局（例えば、ｅＮＢ−ＤＵ、ＲＲＨ、伝送および受信ポイント（ＴＲＰ）、アクセスポイント分散装置、中継ノード、ＩＡＢ）ノード、および／または同等物）と解され得る。
【００６４】
例示的な実施形態では、無線デバイスが第１のセルの第１の伝送ポイントから第２の伝送ポイントに移動すると、第１のセルに関連付けられたアップリンクタイミングアドバンス（ＴＡ）が変更されてもよい。一例では、第１のセルと第２のセルとの両方が無線デバイスに対する第１のタイミングアドバンスグループ（ＴＡＧ）に属し、かつ第２のセルが第２の伝送ポイントによってサービスされない場合、第１のセルおよび第２のセルは、無線デバイスが第１のセルに対する第２の伝送ポイントに移動すると、第２のセルに関連付けられたアップリンクＴＡが変更されない場合があるため、同じＴＡＧ（例えば、第１のＴＡＧ）に属することが可能でない場合がある。一例では、基地局は、第１のセルのＴＡ変更に応答して、第１のセルおよび／または第２のセルに対するＴＡＧを更新することができる。一例では、基地局が異なるセル間のＴＡ相関情報の情報を有する場合、基地局は、第１のセルおよび第２のセルを無線デバイスに割り当てる時点で、第１のセルおよび第２のセルに異なるＴＡＧを割り当てることができる。
【００６５】
一例では、基地局は、集約ＲＡＮエンティティ（例えば、ｇＮＢ−ＣＵ）および１つ以上の分散ＲＡＮエンティティ（例えば、ｇＮＢ−ＤＵ）を含むことができる。１つ以上の分散ＲＡＮエンティティのうちの分散ＲＡＮエンティティは、少なくとも１つのセルにサービスすることができる。集約ＲＡＮエンティティは、少なくとも無線リソース制御（ＲＲＣ）機能および／またはパケットデータ収束プロトコル（ＰＤＣＰ）レイヤ機能を提供することができる。分散ＲＡＮエンティティは、少なくとも無線リンク制御（ＲＬＣ）レイヤ機能、媒体アクセス制御（ＭＡＣ）レイヤ機能、および／または物理（ＰＨＹ）レイヤ機能を提供することができる。
【００６６】
集約ＲＡＮエンティティと分散ＲＡＮエンティティとの間にＦ１インターフェース（例えば、論理ダイレクトインターフェース）がセットアップされてもよい。Ｆ１インターフェースは、ユーザプレーンインターフェースおよび／または制御プレーンインターフェースを含むことができる。ＲＲＣメッセージは、分散ＲＡＮエンティティを介して、集約ＲＡＮエンティティから無線デバイスに、または無線デバイスから集約ＲＡＮエンティティに伝送されてもよい。データパケットは、分散ＲＡＮエンティティを介して、集約ＲＡＮエンティティから無線デバイスに、または無線デバイスから集約ＲＡＮエンティティに伝送されてもよい。一例では、Ｆ１インターフェースを介して伝送されるデータパケットは、ＰＤＣＰレイヤパケットであってもよい。一例では、Ｆ１インターフェースを介して伝送されるＲＲＣメッセージは、Ｆ１インターフェースメッセージによって伝えられ、および／またはＦ１インターフェースメッセージによって伝えられるＲＲＣメッセージは、１つ以上の信号伝達無線ベアラに関連付けられた１つ以上のＰＤＣＰレイヤパケットであってもよい。
【００６７】
例示的な実施形態では、図１５および図１６に示すように、分散型無線アクセスネットワーク（ＲＡＮ）エンティティは、無線デバイスから、第１のセルを介して１つ以上の第１の参照信号（例えば、サウンディング参照信号、ＳＲＳ、ランダムアクセスプリアンブル、および／または同等物）を、および第２のセルを介して１つ以上の第２の参照信号を受信することができる。第１のセルおよび第２のセルは、同じタイミングアドバンスグループ（ＴＡＧ）、第１のＴＡＧに属するように構成されてもよい。第１のＴＡＧの構成は、分散ＲＡＮエンティティによって、および／または分散ＲＡＮエンティティに対応する集約ＲＡＮエンティティによって、設定されてもよい。一例では、分散ＲＡＮエンティティは、第１のセルおよび第２のセルを第１のＴＡＧとして構成することができ、および／または第１のＴＡＧの構成情報を、Ｆ１インターフェースを介して集約ＲＡＮエンティティに、および／または無線インターフェース（例えば、媒体アクセス制御レイヤ、物理レイヤ、および／または同等物）を介して無線デバイスに、伝送することができる。一例では、集約ＲＡＮエンティティは、第１のセルおよび第２のセルを第１のＴＡＧとして構成することができ、および／または第１のＴＡＧの構成情報を、Ｆ１インターフェースを介して分散ＲＡＮエンティティに、および／または１つ以上の無線リソース制御（ＲＲＣ）レイヤメッセージを介して無線デバイスに、伝送することができる。
【００６８】
一例では、１つ以上の第１の参照信号の受信に応答して、分散ＲＡＮエンティティは、１つ以上の第１の参照信号のうちの少なくとも１つに基づいて、第１のセルに対する第１のアップリンクタイミングアドバンス（ＴＡ）値を測定することができる。１つ以上の第２の参照信号の受信に応答して、分散ＲＡＮエンティティは、１つ以上の第２の参照信号のうちの少なくとも１つに基づいて、第２のセルに対する第２のアップリンクＴＡ値を測定することができる。分散ＲＡＮエンティティは、第１のアップリンクＴＡ値と第２のアップリンクＴＡ値とが互いに異なるかどうかを判定することができる。一例では、分散ＲＡＮエンティティは、第１のアップリンクＴＡ値と第２のアップリンクＴＡ値との間の差が閾値よりも大きいかどうかを判定することができる。
【００６９】
例えば、第１のセルは、第１の伝送および受信ポイント（ＴＲＰ）によってサービスされてもよく、第２のセルは、第１のＴＲＰおよび第２のＴＲＰによってサービスされてもよい。基地局（例えば、集約ＲＡＮエンティティおよび／または分散ＲＡＮエンティティ）が、無線デバイスにサービスするために第１のセルおよび第２のセルに第１のＴＡＧを割り当てると、基地局は、第１のセルに対するＴＡ値と第２のセルに対するＴＡ値とが同じである（または２つのＴＡ値の差が閾値よりも低い）と判定することができ、同じＴＡＧ（同じＴＡＧ識別子）、第１のＴＡＧを割り当てることを決定することができる。一例では、基地局分散装置が、無線デバイスの第１のセルに対する第１のアップリンクタイミングアドバンス値が、無線デバイスの第２のセルに対する第２のアップリンクタイミングアドバンス値と同じである（例えば、タイミング差が閾値、例えば１０マイクロ秒未満である）と判定することができ、ここで、第１のセルおよび第２のセルは異なるタイミングアドバンスグループに属する。
【００７０】
無線が第２のＴＲＰのサービスエリアに移動する場合、無線デバイスに対する第１のセルは第１のＴＲＰを介してサービスされてもよく、無線デバイスに対する第２のセルは第２のＴＲＰを介してサービスされてもよい。２つのセルに対するサービングＴＲＰが異なるために、第１のセルに対するＴＡ値と第２のセルに対するＴＡ値とが互いに異なる場合、第１のセルおよび第２のセルは同じＴＡＧに属することが可能でなくてもよい。第１のセルおよび／または第２のセルに対するＴＡＧ（複数可）を再構成するために、分散ＲＡＮエンティティは、このことを集約ＲＡＮエンティティに通知する必要があってもよい。
【００７１】
一例では、第１のアップリンクＴＡ値と第２のアップリンクＴＡ値とが互いに異なる場合、および／または第１のアップリンクＴＡ値と第２のアップリンクＴＡ値との間の差が閾値よりも大きい場合、分散ＲＡＮエンティティは、集約ＲＡＮエンティティに第１のメッセージを伝送することができる。第１のメッセージは、分散ＲＡＮエンティティと集約ＲＡＮエンティティとの間のＦ１インターフェースを介して伝送されてもよい。第１のメッセージは、無線デバイスに対して、第１のセルに関連付けられたＴＡ値と第２のセルに関連付けられたＴＡ値とが互いに異なることを示すことができる（例えば、少なくとも、２つのＴＡ値間の差が閾値よりも大きい）。一例では、第１のメッセージは、第１のアップリンクＴＡ値および／または第２のアップリンクＴＡ値を含むことができる。第１のアップリンクＴＡ値および／または第２のアップリンクＴＡ値は、第１のセルおよび／または第２のセルに対するアップリンクタイミング同期（タイミングアドバンス）のために調整される時間の量を示すインデックス値（例えば、０、１、２、…、６３）を含むことができる。第１のアップリンクＴＡ値および／または第２のアップリンクＴＡ値の長さは６ビットであってもよい。一例では、第１のメッセージは、第１のセルに対するＴＡ値と第２のセルに対するＴＡ値との間の差の量を含むことができる。差の量の値は、インデックス値（例えば、０、１、２、…、６３）を含むことができる。
【００７２】
一例では、第１のメッセージは、第１のセルおよび／または第２のセルに関連付けられたＴＡＧ（複数可）を再構成する要求を示すことができ、要求は、第１のセルおよび／または第２のセルに対する１つ以上のセル構成変更要求のうちの１つであってもよい。一例では、第１のメッセージは、第１のセルおよび第２のセルが無線デバイスに対する同じＴＡＧに属することができないことを明示的および／または暗示的に示すことができる。一例では、第１のメッセージは、第１のセルおよび第２のセルが無線デバイスに対する互いに異なるＴＡＧに属することを示すことができる。一例では、第１のメッセージは、無線デバイスに対するＴＡＧ構成の再構成を示す１つ以上の再構成情報要素を含むことができる。一例では、第１のメッセージは、無線デバイスの無線デバイス識別子（例えば、ＴＭＳＩ、Ｆ１  ＵＥ識別子、Ｃ−ＲＮＴＩ、ＤＵ−ＲＮＴＩ、および／または同等物）をさらに含むことができる。
【００７３】
一例では、集約ＲＡＮエンティティは、第１のメッセージに応答して分散ＲＡＮエンティティに応答メッセージを伝送することができる。応答メッセージは、集約ＲＡＮエンティティと分散ＲＡＮエンティティとの間のＦ１インターフェースを介して伝送されてもよい。応答メッセージは、第１のメッセージの１つ以上の要素に対する肯定応答を示すことができる。
【００７４】
一例では、集約ＲＡＮエンティティは、第２のセルを、第１のメッセージの１つ以上の要素に基づいて、第２のＴＡＧに属するように構成することができる。集約ＲＡＮエンティティは、第１のセルを、第１のメッセージの１つ以上の要素に基づいて、第２のＴＡＧに属するように構成することができる。集約ＲＡＮエンティティは、第１のセルおよび第２のセルを、第１のメッセージの１つ以上の要素に基づいて、互いに異なるＴＡＧに属するように構成することができる。一例では、集約ＲＡＮエンティティは、第１のメッセージに基づいて、第１のセルおよび第２のセルが互いに異なるＴＡＧに属することを示す第２のメッセージを構成することができる。一例では、集約ＲＡＮエンティティは、第１のメッセージの１つ以上の再構成情報要素に基づいて、第１のセルおよび第２のセルが互いに異なるＴＡＧに属することを示す第２のメッセージを構成することができる。一例では、集約ＲＡＮエンティティは、無線デバイスに、第２のセルおよび／または第１のセルのＴＡＧを構成することに基づいて決定された第２のメッセージを伝送することができる。第２のメッセージは、ＲＲＣレイヤメッセージであってもよい。一例では、第２のメッセージはＲＲＣ接続再構成メッセージであってもよい。第２のメッセージは、第２のセルが第２のＴＡＧに属すること、および／または第１のセルが第１のＴＡＧに属すること、を示すことができる。第２のメッセージは、第１のセルが第２のＴＡＧに属すること、および／または第２のセルが第１のＴＡＧに属すること、を示すことができる。第２のメッセージは、第１のセルおよび第２のセルが互いに異なるＴＡＧに属することを示すことができる。一例では、第２のメッセージは、Ｆ１インターフェースおよび分散ＲＡＮエンティティを介して無線デバイスに伝送されてもよい。分散ＲＡＮエンティティは、無線インターフェースを介して無線デバイスに第２のメッセージを転送することができる。
【００７５】
一例では、第２のメッセージは、第２のＴＡＧに関連付けられたＴＡＧ識別子を含むことができる。一例では、第２のメッセージは、第１のセルに対するＴＡＧのＴＡＧ識別子、および／または、第２のセルおよび／または第１のセルのＴＡＧを構成する（更新する／再構成する）ことに基づいて決定される第２のセルに対するＴＡＧのＴＡＧ識別子、を含むことができる。
【００７６】
一例では、分散ＲＡＮエンティティ（例えば、ｇＮＢ−ＤＵ）は、第２のメッセージを解釈することができる。
【００７７】
一例では、分散ＲＡＮエンティティは、第２のメッセージを復号することができる。第２のメッセージを無線デバイスに伝送するために、集約ＲＡＮエンティティは、第２のメッセージをＦ１インターフェースメッセージ内にカプセル化することによってＦ１インターフェースメッセージを介して（例えば、第２メッセージおよび／または第２メッセージの要素を含むＲＲＣコンテナ情報要素を含むＦ１インターフェースメッセージを介して）、第２のメッセージを分散ＲＡＮエンティティに伝送することができ、分散ＲＡＮエンティティは、無線インターフェースを介して無線デバイスに第２のメッセージを伝送する（転送する）ことができる。第２のメッセージを復号することによって、分散ＲＡＮエンティティは、無線デバイスに対する第１のセルおよび／または第２のセルのＴＡＧの再構成に関して通知されることが可能であってもよい。一例では、分散ＲＡＮエンティティは、無線デバイスに、第１のセルおよび／または第２のセルに対する更新されたＴＡＧに基づいて、タイミングアドバンスコマンド（ＴＡＣ）を伝送することができる。一例では、ＴＡＣは、媒体アクセス制御（ＭＡＣ）制御要素メッセージを介して伝送されてもよい。
【００７８】
一例では、ＴＡＣは、ＭＡＣエンティティがアップリンク伝送に適用し得るタイミング調整の量を制御するために使用されるＴＡ調整値（例えば、０、１、２、…、６３）を含むことができる。ＴＡＣのフィールドの長さは６ビットであってもよい。
【００７９】
一例では、集約ＲＡＮエンティティ（例えば、ｇＮＢ−ＣＵ）は、分散ＲＡＮエンティティ（例えば、ｇＮＢ−ＤＵ）に、更新されたＴＡＧ構成を示すメッセージを伝送することができる。
【００８０】
一例では、集約ＲＡＮエンティティは、分散ＲＡＮエンティティに、第１のセルおよび／または第２のセルに対する更新されたＴＡＧ構成を示す第３のメッセージを伝送することができ、更新されたＴＡＧ構成は、第２のメッセージの１つ以上の要素に対応することができる。第３のメッセージは、少なくとも第１のメッセージの１つ以上の要素に基づいて、第２のセルおよび／または第１のセルのＴＡＧの構成に基づいて決定されてもよい。第３のメッセージは、Ｆ１インターフェースメッセージであってもよい。第３のメッセージは、第２のセルが第２のＴＡＧに属すること、および／または第１のセルが第１のＴＡＧに属すること、を示すことができる。第３のメッセージは、第１のセルが第２のＴＡＧに属すること、および／または第２のセルが第１のＴＡＧに属すること、を示すことができる。第３のメッセージは、第１のセルと第２のセルとが互いに異なるＴＡＧに属することを示すことができる。
【００８１】
一例では、第３のメッセージは、第２のＴＡＧに関連付けられたＴＡＧ識別子を含むことができる。一例では、第３のメッセージは、第１のセルに対するＴＡＧのＴＡＧ識別子、および／または、第２のセルおよび／または第１のセルのＴＡＧを構成する（更新する／再構成する）ことに基づいて決定される、第２のセルに対するＴＡＧのＴＡＧ識別子、を含むことができる。第３のメッセージは、無線デバイスの無線デバイス識別子（例えば、ＴＭＳＩ、Ｆ１  ＵＥ識別子、Ｃ−ＲＮＴＩ、ＤＵ−ＲＮＴＩ、および／または同等物）をさらに含むことができる。
【００８２】
一例では、分散ＲＡＮエンティティは、無線デバイスに、少なくとも第３のメッセージの１つ以上の要素に基づいて、第１のセルおよび／または第２のセルに対する更新されたＴＡＧに基づいて、タイミングアドバンスコマンド（ＴＡＣ）を伝送することができる。一例では、ＴＡＣは、媒体アクセス制御（ＭＡＣ）制御要素メッセージを介して伝送されてもよい。
【００８３】
一例では、ｇＮＢ−ＣＵは、ｇＮＢ−ＤＵのセルの伝送および受信ポイント情報を受信することができる。
【００８４】
例示的な実施形態では、集中型無線アクセスネットワークエンティティ（ＣＵ、集約基地局）は、分散型無線アクセスネットワークエンティティ（ＤＵ、分散基地局）および／または運用および管理（ＯＡＭ、Ｏ＆Ｍ）エンティティから、伝送受信ポイント（ＴＲＰ）情報を受信することができる。ＴＲＰ情報は、１つ以上のビームの１つ以上のビーム識別子、１つ以上のセルの１つ以上のセル識別子、および／または１つ以上のＴＲＰの１つ以上のＴＲＰ識別子、を含むことができる。ＣＵは、少なくともＴＲＰ情報の１つ以上の要素に基づいて、無線デバイスに１つ以上のタイミングアドバンスグループ（ＴＡＧ）を割り当てることができる。一例では、第１のビームおよび第２のビームが同じＴＲＰを介してサービスされる場合、ＣＵは第１のビームおよび第２のビームを同じＴＡＧに割り当てることができる。一例では、第１のセルおよび第２のセルが同じＴＲＰを介してサービスされる場合、ＣＵは、第１のセルおよび第２のセルを同じＴＡＧに割り当てることができる。ＣＵは、無線デバイスに対する１つ以上のセルおよび／または１つ以上のビームに関連付けられたＴＡＧ割り当て情報を、無線デバイスおよび／またはＤＵに伝送することができる。ＤＵは、少なくともＣＵから受信されたＴＡＧ割り当て情報に基づいて、無線デバイスにタイミングアドバンスコマンドを伝送することができる。
【００８５】
一例では、分散ＲＡＮエンティティは、集約ＲＡＮエンティティに、分散ＲＡＮエンティティと集約ＲＡＮエンティティとの間のＦ１インターフェースを介して、ＴＡ相関情報を伝送することができる。ＴＡ相関情報は、分散ＲＡＮエンティティから集約ＲＡＮエンティティにＦ１セットアップ要求メッセージを介して伝送されてもよい。ＴＡ相関情報は、分散ＲＡＮエンティティから集約ＲＡＮエンティティにＤＵ構成更新メッセージ（またはＤＵ修正要求メッセージ）を介して伝送されてもよい。ＴＡ相関情報は、少なくとも１つのＴＡ相関グループの少なくとも１つの識別子（例えば、伝送および受信ポイント、ＴＲＰ、少なくとも１つのＴＲＰの識別子）、少なくとも１つのＴＡ相関グループのうちの１つへとグループ化されたセルのリスト（セルのリストは、同じアップリンクＴＡ値を有し得る）、少なくとも１つのＴＡ相関グループのうちの１つへとグループ化されたビームのリスト（ビームのリストは、同じアップリンクＴＡ値を有し得る）、のうちの少なくとも１つを含むことができる。
【００８６】
一例では、集約ＲＡＮエンティティは、無線デバイスに対する１つ以上のセルおよび／または１つ以上のビームを、この１つ以上のセルおよび／または１つ以上のビームが、分散ＲＡＮエンティティから、または運用および管理（保守）エンティティ（ＯＡＭ）から受信されたＴＡ相関情報に基づいて、同じＴＡ相関グループにグループ化される場合、無線デバイスに対する第１のＴＡＧに属するように構成することができる。一例では、１つ以上のセルおよび／または１つ以上のビームは、少なくとも無線デバイスからの１つ以上の測定レポート、および／または無線リソースステータス情報に基づいて、無線デバイスにサービスするように決定されてもよい。
【００８７】
一例では、集約ＲＡＮエンティティは、無線デバイスに、構成に基づいて、１つ以上のセルのうちの第１のセルが第１のＴＡＧに属することを示す、および／または１つ以上のビームのうちの第１のビームが第１のＴＡＧに属することを示す、無線リソース制御（ＲＲＣ）構成情報を、伝送することができる。ＲＲＣ構成情報は、ＲＲＣメッセージを介して伝えられてもよい。ＲＲＣ構成情報（および／またはＲＲＣメッセージ）は、分散ＲＡＮエンティティを通じて伝送されてもよい。ＲＲＣメッセージは、無線デバイスに、セカンダリセルとしての第１のセルの追加、および／または無線デバイスに対するハンドオーバターゲットセルとしての第１のセルのセル情報、を示すことができる。一例では、ＲＲＣメッセージは、無線デバイスに、無線デバイスに対するサービングセルのサービングビームとしての第１のビームの追加を示すことができる。ＲＲＣメッセージは、第１のセルおよび／または第１のビームに関連付けられた第１のＴＡＧのＴＡＧ識別子を含むことができる。ＲＲＣメッセージは、第１のセルのセル識別子、および／または第１のビームのビームインデックス（例えば、ビームインデックス、同期信号情報、第１のビームに関連付けられた参照信号情報）を含むことができる。
【００８８】
一例では、分散ＲＡＮエンティティは、ＲＲＣメッセージを介して伝えられるＲＲＣ構成情報を復号することができる。分散ＲＡＮエンティティは、無線デバイスに、少なくともＲＲＣ構成情報に基づいて、第１のＴＡＧのＴＡＧ識別子とともに、第１のセルおよび／または第１のビームに対するタイミングアドバンスコマンド（ＴＡＣ）を伝送することができる。
【００８９】
一例では、集約ＲＡＮエンティティは、分散ＲＡＮエンティティに、無線デバイスに関連付けられた構成更新メッセージを伝送することができる。構成更新メッセージは、第１のセルおよび／または第１のビームが第１のＴＡＧに属することを示すことができる。構成更新メッセージは、第１のセルおよび／または第１のビームに関連付けられた第１のＴＡＧのＴＡＧ識別子を含むことができる。構成更新メッセージは、第１のセルのセル識別子、および／または第１のビームのビームインデックス（例えば、ビームインデックス、同期信号情報、第１のビームに関連付けられた参照信号情報）を含むことができる。一例では、分散ＲＡＮエンティティは、無線デバイスに、少なくとも構成更新メッセージに基づいて、第１のＴＡＧのＴＡＧ識別子とともに、第１のセルおよび／または第１のビームに対するタイミングアドバンスコマンド（ＴＡＣ）を伝送することができる。例示的な実施形態は、無線デバイスに対するｇＮＢ−ＣＵおよびｇＮＢ−ＤＵのパラメータ構成メカニズムを強化することによって、接続信頼性を高め、無線デバイスの干渉を低減することができる。
【００９０】
一例では、ＴＡＣは、ＭＡＣエンティティがアップリンク伝送に適用し得るタイミング調整の量を制御するために使用されるＴＡ調整値（例えば、０、１、２、…、６３）を含むことができる。ＴＡＣのフィールドの長さは６ビットであってもよい。
【００９１】
一例では、分散ＲＡＮエンティティは、無線デバイスから、第１のセルを介して第１の参照信号を、および第２のセルを介して第２の参照信号を受信することができ、第１のセルおよび第２のセルは、第１のタイミングアドバンスグループ（ＴＡＧ）に属するように構成されている。分散ＲＡＮエンティティは、第１の参照信号および第２の参照信号に基づいて、第１のセルに対する第１のアップリンクタイミングアドバンス（ＴＡ）値が第２のセルに対する第２のアップリンクＴＡ値とは異なると判定することができる。分散ＲＡＮエンティティは、集約ＲＡＮエンティティに、第１のアップリンクＴＡ値が無線デバイスに対する第２のアップリンクＴＡ値とは異なり得ること、第１のアップリンクＴＡ値、第２のアップリンクＴＡ値、第１のアップリンクＴＡ値と第２のアップリンクＴＡ値との間の差分の値、少なくとも第２のセルまたは第１のセルに対する、ＴＡＧ再構成要求、および／または同等物、のうちの少なくとも１つを示す第１のメッセージを伝送することができる。
【００９２】
分散型ＲＡＮエンティティは、集約ＲＡＮエンティティから、第１のメッセージに応答する応答メッセージを受信することができ、応答メッセージは、第１のメッセージの１つの以上の要素に対する肯定応答を示すことができる。一例では、集約ＲＡＮエンティティは、第１のメッセージに基づいて、第２のセルを、第２のＴＡＧに属するように構成することができる。集約ＲＡＮエンティティは、無線デバイスに分散型無線アクセスネットワークエンティティを介して、第２のセルが第２のＴＡＧに属することを示す第２のメッセージを伝送することができ、第２のメッセージは、第２のＴＡＧに関連付けられたＴＡＧ識別子を含むことができる。
【００９３】
一例では、分散ＲＡＮエンティティは、第２のメッセージを復号し、および／または無線デバイスに、ＴＡＧ識別子とともに第２のセルに対するタイミングアドバンスコマンドを伝送することができる。一例では、分散ＲＡＮエンティティは、集約ＲＡＮエンティティから、第２のセルが第２のＴＡＧに属することを示す第３のメッセージを受信することができ、第３のメッセージはＴＡＧ識別子を含むことができる。分散ＲＡＮエンティティは、無線デバイスに、ＴＡＧ識別子とともに第２のセルに対するタイミングアドバンスコマンドを伝送することができる。
【００９４】
一例では、集約ＲＡＮエンティティは、第１のネットワークエンティティから、タイミングアドバンス（ＴＡ）相関情報を受信することができ、ＴＡ相関情報は、少なくとも１つのＴＡ相関グループの少なくとも１つの識別子、および／または、少なくとも１つのＴＡ相関グループのうちの１つへとグループ化されたセルのリスト、のうちの少なくとも１つを含み、セルのリストは、同じアップリンクＴＡ値を有することができる。集約ＲＡＮエンティティは、１つ以上のセルがセルのリストにある場合、無線デバイスに対する１つ以上のセルを、無線デバイスに対する第１のタイミングアドバンスグループ（ＴＡＧ）に属するように構成することができる。集約ＲＡＮエンティティは、無線デバイスに分散ＲＡＮエンティティを介して、１つ以上のセルのうちの第１のセルが第１のＴＡＧに属することを示す無線リソース制御（ＲＲＣ）構成情報を伝送することができ、ＲＲＣ構成情報は、第１のセルのセル識別子と第１のＴＡＧのＴＡＧ識別子とを含むことができる。一例では、第１のネットワークエンティティは分散ＲＡＮエンティティである。第１のネットワークエンティティは、運用および保守エンティティである。
【００９５】
一例では、分散ＲＡＮエンティティは、無線リソース制御（ＲＲＣ）構成情報を復号し、および／または、無線デバイスに、ＴＡＧ識別子とともに第１のセルに対するタイミングアドバンスコマンドを伝送することができる。一例では、分散ＲＡＮエンティティは、集約ＲＡＮエンティティから、第１のセルが第１のＴＡＧに属し得ることを示す第１のメッセージを受信することができ、第１のメッセージはＴＡＧ識別子を含むことができる。分散ＲＡＮエンティティは、無線デバイスに、ＴＡＧ識別子とともに第１のセルに対するタイミングアドバンスコマンドを伝送することができる。例示的な実施形態は、無線デバイスに対するｇＮＢ−ＣＵおよびｇＮＢ−ＤＵのパラメータ構成メカニズムを強化することによって、接続信頼性を高め、無線デバイスの干渉を低減することができる。
【００９６】
既存の技術では、ｇＮＢがｇＮＢ−ＣＵとｇＮＢ−ＤＵとに分割されている場合、ｇＮＢ−ＣＵは少なくともＲＲＣレイヤを提供することができ、ｇＮＢ−ＤＵは物理レイヤおよび／またはＭＡＣレイヤのうちの少なくとも１つを提供することができる。ｇＮＢ−ＣＵは、ＲＲＣパラメータ（例えば、ＲＲＣメッセージ）を決定し、および／または無線デバイスに対する接続制御を実行することができる。ｇＮＢ−ＣＵは、タイミングアドバンスグループに対するタイミング整列タイマを保持しない場合があり、タイミング整列タイマの満了を認識しない場合がある。ｇＮＢ−ＣＵの既存のパラメータ構成および／または接続制御メカニズムの実装は、タイミングアドバンスグループの時間整合タイマが満了したことをｇＮＢ−ＣＵが認識しないとき、無線デバイスに対する不適切なパラメータを構成する場合がある。例えば、ｇＮＢ−ＣＵは、ＴＡＧの時間整合タイマが満了したとき、適切な時間にアップリンクリソース構成を解放することが可能でない場合がある。既存の技術は、不要なアップリンク干渉を増加させ、無線デバイスのパケット伝送／受信障害率を増加させ得る。ｇＮＢ−ＣＵがアップリンクチャネルおよびタイミングアドバンスグループを適切に構成および／または解放して、アップリンクタイミングを強化し、かつ干渉を低減することができるように、ｇＮＢ−ＣＵ、ｇＮＢ−ＤＵ、および無線デバイス間の強化信号伝達メカニズムを開発する必要がある。
【００９７】
例示的な実施形態は、ｇＮＢ−ＤＵがｇＮＢの下位レイヤ機能を提供するとき、ｇＮＢ−ＣＵの無線パラメータ構成および／または接続制御メカニズムを強化する。例示的な実施形態は、ｇＮＢ−ＣＵおよびｇＮＢ−ＤＵの相互作用を強化して、無線デバイスに対する無線制御パラメータおよび／または接続制御パラメータを構成することができる。例示的な実施形態は、無線デバイスに対するｇＮＢ−ＣＵおよびｇＮＢ−ＤＵによるパラメータ構成および／または解放を強化することによって、接続信頼性を高め、干渉を低減することができる。
【００９８】
例示的な実施形態では、分散型無線アクセスネットワーク（ＲＡＮ）エンティティは、無線デバイスのタイミングアドバンスグループ（例えば、プライマリＴＡＧ、ｐＴＡＧ、および／またはセカンダリＴＡＧ、ｓＴＡＧ）に対する時間整合タイマ（ＴＡＴ）が満了したと判定することができる。ＴＡＧに対するＴＡＴ満了の検出に応答して、分散ＲＡＮエンティティは、集約ＲＡＮエンティティにＴＡＴ満了を通知することができる。集約ＲＡＮエンティティは、ＴＡＴ満了の情報に基づいて、ＴＡＧに属する無線デバイスおよび／または１つ以上のセルに関連付けられた１つ以上の構成を解放することができる。
【００９９】
一例では、ＭＡＣエンティティが、ＴＡＧ毎に構成可能なタイマｔｉｍｅＡｌｉｇｎｍｅｎｔＴｉｍｅｒ（ＴＡＴ）を有することができる。アップリンク時間整合されるべき関連付けられたＴＡＧに属するサービングセルをＭＡＣエンティティが考慮する時間の長さを制御するために、ｔｉｍｅＡｌｉｇｎｍｅｎｔＴｉｍｅｒが使用され得る。
【０１００】
一例では、ＭＡＣエンティティは、タイミングアドバンスコマンド（ＴＡＣ）ＭＡＣ制御要素が受信されると、示されるＴＡＧに対してタイミングアドバンスコマンドを適用し、示されるＴＡＧに関連付けられたｔｉｍｅＡｌｉｇｎｍｅｎｔＴｉｍｅｒを始動または再始動させることができる。
【０１０１】
一例では、ＭＡＣエンティティは、ＴＡＧに属するサービングセルに対するランダムアクセス応答（ＲＡＲ）メッセージでタイミングアドバンスコマンドが受信されると、ＭＡＣエンティティによってランダムアクセスプリアンブルが選択されなかった場合、このＴＡＧに対してタイミングアドバンスコマンドを適用することができ、および／またはこのＴＡＧに関連付けられたｔｉｍｅＡｌｉｇｎｍｅｎｔＴｉｍｅｒを始動または再始動させることができ、それ以外の場合で、このＴＡＧに関連付けられたｔｉｍｅＡｌｉｇｎｍｅｎｔＴｉｍｅｒが作動していない場合、このＴＡＧに対してタイミングアドバンスコマンドを適用することができ、このＴＡＧに関連付けられたｔｉｍｅＡｌｉｇｎｍｅｎｔＴｉｍｅｒを始動させることができ、および／または、競合解決が成功しないとみなされると、このＴＡＧに関連付けられたｔｉｍｅＡｌｉｇｎｍｅｎｔＴｉｍｅｒを停止することができ、それ以外の場合は、受信されたタイミングアドバンスコマンドを無視することができる。
【０１０２】
一例では、ＭＡＣエンティティは、ｔｉｍｅＡｌｉｇｎｍｅｎｔＴｉｍｅｒが満了すると、ｔｉｍｅＡｌｉｇｎｍｅｎｔＴｉｍｅｒがｐＴＡＧに関連付けられている場合、すべてのサービングセルに対するすべてのＨＡＲＱバッファをフラッシュすることができ、すべてのサービングセルに対するＰＵＣＣＨを解放するようにＲＲＣに通知することができ、すべてのサービングセルに対するＳＲＳを解放するようにＲＲＣに通知することができ、任意の構成されたダウンリンク割り当ておよびアップリンク許可をクリアすることができ、および／または作動しているすべてのｔｉｍｅＡｌｉｇｎｍｅｎｔＴｉｍｅｒｓを満了したとみなすことができ、それ以外の場合で、ｔｉｍｅＡｌｉｇｎｍｅｎｔＴｉｍｅｒがｓＴＡＧに関連付けられている場合、したがってこのＴＡＧに属するサービングセルに対して、すべてのＨＡＲＱバッファをフラッシュすることができ、ＲＲＣにＳＲＳを解放するように通知することができ、および／または、構成されている場合はＲＲＣにＰＵＣＣＨを解放するように通知することができる。
【０１０３】
一例では、ＵＥの任意のＭＡＣエンティティのＴＡＧ間の、最大アップリンク伝送タイミング差またはＵＥが処理し得る最大アップリンク伝送タイミング差が過大であるために、ＭＡＣエンティティがＳＣｅｌｌに対するアップリンク伝送を停止すると、ＭＡＣエンティティは、ＳＣｅｌｌに関連付けられたｔｉｍｅＡｌｉｇｎｍｅｎｔＴｉｍｅｒを満了したとみなすことができる。
【０１０４】
このサービングセルが属するＴＡＧに関連付けられたｔｉｍｅＡｌｉｇｎｍｅｎｔＴｉｍｅｒが作動していないとき、ＭＡＣエンティティは、ランダムアクセスプリアンブル伝送を除いて、サービングセル上でアップリンク伝送を実行しない場合がある。さらに、ｐＴＡＧに関連付けられたｔｉｍｅＡｌｉｇｎｍｅｎｔＴｉｍｅｒが作動していないとき、ＭＡＣエンティティは、ＳｐＣｅｌｌ上でのランダムアクセスプリアンブル伝送を除いて、いかなるサービングセル上でのアップリンク伝送も実行しない場合がある。
【０１０５】
ＭＡＣエンティティは、対応するｔｉｍｅＡｌｉｇｎｍｅｎｔＴｉｍｅｒが作動していない場合があるとき、対応するサービングセルのＵＬタイミングおよび関連付けられたＳＣＩ伝送に基づいて実行され得るサイドリンク伝送を実行しない場合がある。ＭＡＣエンティティは、ＮＴＡが定義され得る場合、関連付けられたｔｉｍｅＡｌｉｇｎｍｅｎｔＴｉｍｅｒが満了するとＮＴＡを格納および／または保持することができる。ＭＡＣエンティティは、受信されたタイミングアドバンスコマンドＭＡＣ制御要素を適用することができ、および／または、ｔｉｍｅＡｌｉｇｎｍｅｎｔＴｉｍｅｒが作動していないときにも、関連付けられたｔｉｍｅＡｌｉｇｎｍｅｎｔＴｉｍｅｒを始動させることができる。
【０１０６】
一例では、基地局は、集約ＲＡＮエンティティおよび１つ以上の分散ＲＡＮエンティティを含むことができる。１つ以上の分散ＲＡＮエンティティのうちの分散ＲＡＮエンティティは、少なくとも１つのセルにサービスすることができる。集約ＲＡＮエンティティは、少なくとも無線リソース制御（ＲＲＣ）機能および／またはパケットデータ収束プロトコル（ＰＤＣＰ）レイヤ機能を提供することができる。分散ＲＡＮエンティティは、少なくとも無線リンク制御（ＲＬＣ）レイヤ機能、媒体アクセス制御（ＭＡＣ）レイヤ機能、および／または物理（ＰＨＹ）レイヤ機能、を提供することができる。
【０１０７】
集約ＲＡＮエンティティと分散ＲＡＮエンティティとの間にＦ１インターフェース（例えば、論理ダイレクトインターフェース）がセットアップされてもよい。Ｆ１インターフェースは、ユーザプレーンインターフェースおよび／または制御プレーンインターフェースを含むことができる。ＲＲＣメッセージは、分散ＲＡＮエンティティを介して、集約ＲＡＮエンティティから無線デバイスに、または無線デバイスから集約ＲＡＮエンティティに、伝送されてもよい。データパケットは、分散ＲＡＮエンティティを介して、集約ＲＡＮエンティティから無線デバイスに、または無線デバイスから集約ＲＡＮエンティティに、伝送されてもよい。一例では、Ｆ１インターフェースを介して伝送されるデータパケットは、ＰＤＣＰレイヤパケットであってもよい。一例では、Ｆ１インターフェースを介して伝送されるＲＲＣメッセージは、Ｆ１インターフェースメッセージによって伝えられてもよく、および／またはＦ１インターフェースメッセージによって伝えられるＲＲＣメッセージは、１つ以上の信号伝達無線ベアラに関連付けられた１つ以上のＰＤＣＰレイヤパケットであってもよい。
【０１０８】
例示的な実施形態では、図１７に示すように、分散ＲＡＮエンティティおよび／または集約ＲＡＮエンティティを含む基地局が、１つ以上のセルを無線デバイスに割り当てることができる。１つ以上のセルは、タイミングアドバンスグループ（ＴＡＧ）に属してもよい。無線デバイスは、基地局（例えば、分散ＲＡＮエンティティおよび／または集約ＲＡＮエンティティ）との間でパケットを伝送および／または受信することができる。一例では、分散ＲＡＮエンティティは、ＴＡＧに対するタイミングアドバンスコマンド（ＴＡＣ）を無線デバイスに伝送することができる。ＴＡＣは、媒体アクセス制御（ＭＡＣ）レイヤメッセージ、例えばＭＡＣ制御要素（ＭＡＣ  ＣＥ）メッセージを介して伝送されてもよい。一例では、ＴＡＣは、ＴＡＧに属するサービングセルに対するランダムアクセス応答メッセージを介して伝送されてもよい。ＴＡＣは、ＴＡＧのＴＡＧ識別子とともに伝送されてもよい。一例では、ＴＡＣは、ＭＡＣエンティティが適用し得るタイミング調整の量を制御するために使用されるＴＡ調整値（例えば、０、１、２、…、６３）を含むことができる。ＴＡＣのフィールドの長さは６ビットであってもよい。
【０１０９】
ＴＡＣの無線デバイスへの伝送に応答して、分散ＲＡＮエンティティは、無線デバイスに対するＴＡＧに関連付けられた時間整合タイマ（ＴＡＴ）を始動または再始動させることができる。分散ＲＡＮエンティティは、ＴＡＴを始動または再始動させた後にＴＡＴが満了するかどうかを判定することができる。ＴＡＴを始動および／または再始動させてから、分散ＲＡＮエンティティがＴＡＴの持続時間内に別のＴＡＣを無線デバイスに正常に伝送しないとき、分散ＲＡＮエンティティは、ＴＡＴが満了したと判定することができる。
【０１１０】
一例では、ＴＡＴは、集約ＲＡＮエンティティ（例えば、ＲＲＣ）および／または分散ＲＡＮエンティティによって構成されてもよい。ＴＡＴは、ＲＲＣメッセージを介して基地局から無線デバイスに伝送されてもよい。ＴＡＴは、サブフレームの数、例えば５００サブフレーム、７５０サブフレーム、１２８０サブフレーム、１９２０サブフレーム、２５６０サブフレーム、５１２０サブフレーム、１０２４０サブフレーム、無限数のサブフレーム、および／または同等物として構成されてもよい。
【０１１１】
一例では、無線デバイスに対するＴＡＧに関連付けられたＴＡＴが満了したとの判定に応答して、分散ＲＡＮエンティティは、１つ以上のセルに対して構成されたハイブリッド自動反復要求（ＨＡＲＱ）アップリンクリソースをフラッシュすることができ、１つ以上のセルに対する物理アップリンク制御チャネル（ＰＵＣＣＨ）構成を解放することができ、１つ以上のセルに対するサウンディング参照信号（ＳＲＳ）構成を解放することができ、１つ以上のセルに対する構成されたダウンリンク割り当てをクリアすることができ、１つ以上のセルに対するアップリンクリソース許可をクリアすることができ、ＴＡＧがプライマリＴＡＧである場合、作動しているすべてのＴＡＴを満了したとみなすことができる、などである。
【０１１２】
一例では、ＴＡＴ満了に応答して、分散ＲＡＮエンティティは、無線デバイスに対する１つ以上のセル上で構成されたＨＡＲＱアップリンクリソースを解放することができる。分散ＲＡＮエンティティは、無線デバイスに対する１つ以上のセル上で構成されたＰＵＣＣＨ無線リソースを解放することができる。分散ＲＡＮエンティティは、無線デバイスに対する１つ以上のセル上で構成されたＳＲＳ無線リソースを解放することができる。分散ＲＡＮエンティティは、１つ以上のセルを介した定期的ダウンリンクパケット伝送に対して構成されたダウンリンク無線リソース割り当てをクリアすることができる。分散ＲＡＮエンティティは、１つ以上のセルを介したアップリンクパケット伝送に対して構成されたアップリンクリソース許可をクリアすることができる。ＴＡＧが無線デバイスのプライマリＴＡＧである場合、分散ＲＡＮエンティティは、セカンダリＴＡＧに対する作動しているＴＡＴを満了したとみなすことができ、および／または、アップリンクＨＡＲＱリソース構成、ＰＵＣＣＨ構成、ＳＲＳ構成、ダウンリンクリソース割り当て、および／またはセカンダリＴＡＧの１つ以上のセルに対するアップリンク許可リソース構成、を解放することができる。
【０１１３】
一例では、ＴＡＴ満了に応答して、分散ＲＡＮエンティティは、ＴＡＧの１つ以上のセルに対してデフォルトの物理チャネル構成を適用することができる。デフォルトのチャネル構成は、チャネル品質情報（ＣＱＩ）レポート構成、アップリンクリソーススケジューリング要求構成、専用アップリンクＳＲＳ構成、および／または同等物、のうちのの少なくとも１つに対して構成されてもよい。
【０１１４】
一例では、無線デバイスに対するＴＡＧに関連付けられたＴＡＴが満了したとの判定に応答して、分散ＲＡＮエンティティは、集約ＲＡＮエンティティに第１のメッセージを伝送することができる。第１のメッセージは、集約ＲＡＮエンティティと分散ＲＡＮエンティティとの間のＦ１インターフェースを介して伝送されてもよい。第１のメッセージは、無線デバイスの無線デバイス識別子、ＴＡＧに属する１つ以上のセルの１つ以上のセル識別子のうちの少なくとも１つのセル識別子、ＴＡＧのＴＡＧ識別子、および／または同等物を含むことができる。一例では、第１のメッセージは、無線デバイスに対するＴＡＧに関連付けられたＴＡＴが満了したことを示すことができる。
【０１１５】
一例では、第１のメッセージは、１つ以上のセルに対するハイブリッド自動反復要求（ＨＡＲＱ）アップリンクリソース構成を解放すること、１つ以上のセルに対する物理アップリンク制御チャネル（ＰＵＣＣＨ）構成を解放すること、１つ以上のセルに対するサウンディング参照信号（ＳＲＳ）構成を解放すること、１つ以上のセルに対する構成されたダウンリンク割り当てをクリアすること、１つ以上のセルに対するアップリンクリソース許可をクリアすること、ＴＡＧがプライマリＴＡＧである場合、作動しているすべてのＴＡＴを満了したとみなすこと、および／または同等物、のうちの少なくとも１つに対する少なくとも１つの通知を含むことができる。
【０１１６】
一例では、集約ＲＡＮエンティティが第１のメッセージを受信した場合、集約ＲＡＮエンティティは以下の、１つ以上のセルに対して構成されたハイブリッド自動反復要求（ＨＡＲＱ）アップリンクリソースをフラッシュすることができ、１つ以上のセルに対する物理アップリンク制御チャネル（ＰＵＣＣＨ）構成を解放することができ、１つ以上のセルに対するサウンディング参照信号（ＳＲＳ）構成を解放することができ、１つ以上のセルに対する構成されたダウンリンク割り当てをクリアすることができ、１つ以上のセルに対するアップリンクリソース許可をクリアすることができ、ＴＡＧがプライマリＴＡＧである場合、作動しているすべてのＴＡＴを満了したとみなすことができる、など、のうちの少なくとも１つを実行することができる。例示的な実施形態は、無線デバイスに対するｇＮＢ−ＣＵおよびｇＮＢ−ＤＵによるパラメータ構成および／または解放を強化することによって、接続信頼性を高め、干渉を低減することができる。
【０１１７】
一例では、第１のメッセージの受信に応答して、集約ＲＡＮエンティティは、無線デバイスに対する１つ以上のセル上のＨＡＲＱアップリンクリソース構成を解放することができる。集約ＲＡＮエンティティは、無線デバイスに対する１つ以上のセルに対するＰＵＣＣＨ無線リソース構成を解放することができる。集約ＲＡＮエンティティは、無線デバイスに対する１つ以上のセルに対するＳＲＳ無線リソース構成を解放することができる。集約ＲＡＮエンティティは、無線デバイスに対する１つ以上のセルを介した定期的ダウンリンクパケット伝送のためのダウンリンク無線リソース割り当て構成をクリアすることができる。集約ＲＡＮエンティティは、無線デバイスに対する１つ以上のセルを介したアップリンクパケット伝送に対するアップリンクリソース許可構成をクリアすることができる。ＴＡＧが無線デバイスのプライマリＴＡＧである場合、集約ＲＡＮエンティティは、セカンダリＴＡＧに対する作動しているＴＡＴを満了したなどとみなすことができる。
【０１１８】
一例では、第１のメッセージの受信に応答して、集約ＲＡＮエンティティは、ＴＡＧの１つ以上のセルに対してデフォルトの物理チャネル構成を適用することができる。デフォルトのチャネル構成は、チャネル品質情報（ＣＱＩ）レポート構成、アップリンクリソーススケジューリング要求構成、専用アップリンクＳＲＳ構成、および／または同等物、のうちの少なくとも１つに対して構成されてもよい。
【０１１９】
一例では、第１のメッセージの１つ以上の要素に応答して、集約ＲＡＮエンティティは、分散ＲＡＮエンティティに、無線デバイスに対する第１の無線デバイスコンテキスト解放要求を示す第２のメッセージを伝送することができる。第２のメッセージは、Ｆ１インターフェースを介して伝送されてもよい。第２のメッセージは、ＵＥコンテキスト解放コマンドメッセージであってもよい。第２のメッセージは、ＴＡＴ満了に関連付けられたＴＡＧが無線デバイスに対するプライマリＴＡＧであるときに伝送されてもよい。一例では、少なくとも第２のメッセージに基づいて解放される第１の無線デバイスコンテキストは、１つ以上のデータ無線ベアラ、１つ以上の論理チャネル、１つ以上のセキュリティ構成パラメータ、１つ以上の情報、および／または無線デバイスに関連付けられた同等の構成、を含むことができる。
【０１２０】
一例では、第１のメッセージの１つ以上の要素に応答して、集約ＲＡＮエンティティは、コアネットワークエンティティ（例えば、ＡＭＦ、ＭＭＥ、および／または同等物）に、無線デバイスに対する第２の無線デバイスコンテキスト解放要求を示す第３のメッセージを伝送することができ、第２の無線デバイスコンテキスト解放要求は、少なくとも、無線デバイスに対する、集約ＲＡＮエンティティとコアネットワークエンティティとの間のインターフェース接続に関連付けられてもよい。第３のメッセージは、ＮＧインターフェース（すなわち、集約ＲＡＮエンティティとコアネットワークエンティティとの間のインターフェース）を介して伝送されてもよい。第３のメッセージは、ＵＥコンテキスト解放要求メッセージであってもよい。第３のメッセージは、ＴＡＴ満了に関連付けられたＴＡＧが無線デバイスに対するプライマリＴＡＧであるときに伝送されてもよい。
【０１２１】
一例では、図１８に示すように、分散ＲＡＮエンティティは、無線デバイスに、１つ以上のセルを含むタイミングアドバンスグループ（ＴＡＧ）に対するタイミングアドバンスコマンド（ＴＡＣ）を伝送することができる。分散ＲＡＮエンティティは、無線デバイスに対するＴＡＧに関連付けられた時間整合タイマ（ＴＡＴ）を始動させることができる。分散ＲＡＮエンティティは、集約ＲＡＮエンティティに、ＴＡＴが満了すると、無線デバイスに関連付けられた第１のメッセージを伝送することができる。
【０１２２】
第１のメッセージは、ＴＡＧに関連付けられたＴＡＴの満了、１つ以上のセルに対するハイブリッド自動反復要求（ＨＡＲＱ）アップリンクリソース構成を解放する通知、１つ以上のセルに対する物理アップリンク制御チャネル（ＰＵＣＣＨ）構成を解放する通知、１つ以上のセルに対するサウンディング参照信号（ＳＲＳ）構成を解放する通知、１つ以上のセルに対する構成されたダウンリンク割り当てをクリアする通知、１つ以上のセルに対するアップリンクリソース許可をクリアする通知、ＴＡＧがプライマリＴＡＧである場合、作動しているすべてのＴＡＴを満了したとみなす通知、および／または同等物、のうちの少なくとも１つを示すことができる。例示的な実施形態は、無線デバイスに対するｇＮＢ−ＣＵおよびｇＮＢ−ＤＵによるパラメータ構成および／または解放を強化することによって、接続信頼性を高め、干渉を低減することができる。
【０１２３】
一例では、集約ＲＡＮエンティティは、１つ以上のセルに対して第１のメッセージに応答して、チャネル品質情報（ＣＱＩ）レポート構成、アップリンクリソーススケジューリング要求構成、専用アップリンクＳＲＳ構成、および／または同等物、の少なくとも１つに対してデフォルトの物理チャネル構成を適用することができる。一例では、分散ＲＡＮエンティティは、集約ＲＡＮエンティティから、無線デバイスに対する第１の無線デバイスコンテキスト解放要求を示す第２のメッセージを受信することができる。第１の無線デバイスコンテキスト解放要求は、少なくとも第１のメッセージに基づいて構成されてもよい。集中型無線アクセスネットワークエンティティは、コアネットワークエンティティに、少なくとも第１のメッセージに基づいて、無線デバイスに対する第２の無線デバイスコンテキスト解放要求を示す第３のメッセージを伝送することができる。第２の無線デバイスコンテキスト解放要求は、少なくとも、無線デバイスに対する、集中型無線アクセスネットワークエンティティとコアネットワークエンティティとの間のインターフェース接続に関連付けられてもよい。
【０１２４】
一例では、集約ＲＡＮエンティティおよび／または分散ＲＡＮエンティティは、第１の無線デバイスコンテキスト解放要求に応答して、無線デバイスに対する無線デバイスコンテキストを解放することができる。無線デバイスコンテキストは、１つ以上のデータ無線ベアラ、１つ以上の論理チャネル、１つ以上のセキュリティ構成パラメータ、無線デバイスに関連付けられた１つ以上の情報、および／または同等物、を含むことができる。
【０１２５】
一例では、ｇＮＢがｇＮＢ−ＣＵとｇＮＢ−ＤＵとに分割されているとき、ｇＮＢ−ＣＵは少なくともＲＲＣレイヤを提供することができる。ｇＮＢ−ＤＵは、物理レイヤおよび／またはＭＡＣレイヤのうちの少なくとも１つを提供することができる。既存の技術では、ｇＮＢ−ＤＵは、ＲＲＣ構成パラメータを処理しない場合がある。ｇＮＢ−ＤＵは、ＲＲＣ構成パラメータを透過的に伝送することができる。一例では、ｇＮＢ−ＤＵは、無線デバイスの下位レイヤ構成パラメータを決定することができる。ｇＮＢ−ＣＵは、上位レイヤ構成パラメータを決定することができる。ｇＮＢ−ＣＵは、ｇＮＢ−ＤＵを介して無線デバイスに、ＲＲＣ構成パラメータ（例えば、下位レイヤおよび／または上位レイヤ構成パラメータ）を伝送することができる。ｇＮＢ−ＤＵは、無線デバイスへの構成パラメータの配信タイミングを認識しない。無線デバイスは、ＲＲＣ構成パラメータを確定する確定メッセージを、ｇＮＢ−ＤＵに伝送することができる。ｇＮＢ−ＤＵは確定を処理しない場合がある。ｇＮＢ−ＤＵは、確定を透過的に伝送することができる。
【０１２６】
既存の技術では、ｇＮＢ−ＤＵがＲＲＣメッセージを透過的に通信するため、ｇＮＢ−ＤＵは、無線デバイスが構成パラメータを実装し、かつ構成パラメータを使用してｇＮＢ−ＤＵと通信する準備ができたとき、を認識しない場合がある。これにより、ｇＮＢ−ＤＵおよび無線デバイスにおいてタイミング遅延が発生する。ｇＮＢ−ＤＵの既存のパラメータ構成および／または適用メカニズムの実装により、無線デバイスに対するパラメータ構成の不整合が増加する可能性がある。これは、ｇＮＢ−ＤＵとＵＥとの間の非同期動作を追加的に引き起こす可能性がある。構成パラメータの実装を改善するために、ｇＮＢ−ＤＵ、ｇＮＢ−ＣＵ、および無線デバイス間の信号伝達を強化する必要がある。例示的な実施形態は、この問題を解決するために、１つ以上の信号伝達メッセージを導入する。例示的な実施形態は、ＲＲＣ構成パラメータの実装を強化する。
【０１２７】
例示的な実施形態では、集中型無線アクセスネットワーク（ＲＡＮ）エンティティは、分散ＲＡＮエンティティを介して無線デバイスに無線リソース制御（ＲＲＣ）メッセージを伝送することができる。ＲＲＣメッセージは、無線デバイスにサービスする１つ以上のセルに関連付けられた１つ以上の無線リソース構成パラメータを含むことができ、１つ以上のセルは分散ＲＡＮエンティティによってサービスされる。１つ以上の無線リソース構成パラメータは、分散ＲＡＮエンティティ内の１つ以上の構成に関連付けられてもよい。無線デバイスに対して１つ以上の構成を適用するために、分散ＲＡＮエンティティは、１つ以上の構成に関連付けられた１つ以上の無線リソース構成パラメータが無線デバイスに伝送されたこと、および／または当該無線リソース構成パラメータに無線デバイスが適合していること、を確定する必要がある場合がある。一例では、分散ＲＡＮエンティティは、集約ＲＡＮエンティティによって分散ＲＡＮエンティティを介して無線デバイスに伝送されたＲＲＣメッセージを復号することによって、この確定を行うことができる。一例では、分散ＲＡＮエンティティは、集約ＲＡＮエンティティから確定メッセージを受信することによってこの確定を行うことができ、確定メッセージは、少なくとも無線デバイスから集約ＲＡＮエンティティへのＲＲＣメッセージに対する応答メッセージに基づいて、伝送される。
【０１２８】
一例では、分散ＲＡＮエンティティは、ＲＲＣメッセージを伝えるＦ１メッセージを介して、および／または無線デバイスからのＲＲＣメッセージのＲＲＣ応答メッセージを介して、ＲＲＣ構成インデックスを受信することによって、この確定を行うことができ、ＲＲＣ構成インデックスは、１つ以上の無線リソース構成パラメータを構成するとき、分散ＲＡＮエンティティと集約ＲＡＮエンティティとの間で交換されてもよい。
【０１２９】
一例では、分散ＲＡＮエンティティは、ＲＲＣメッセージを無線デバイスに転送した後にＲＲＣタイマを始動させることによって、この確認を行うことができる。ＲＲＣタイマが満了した場合、分散ＲＡＮエンティティは、１つ以上の無線リソース構成パラメータに無線デバイスが適合する可能性がある（またはそうでない可能性がある）とみなすことができる。一例では、ＲＲＣタイマが満了する前に、分散ＲＡＮエンティティがＲＲＣメッセージに対するＲＲＣ応答メッセージを受信した場合、分散ＲＡＮエンティティは、１つ以上の無線リソース構成パラメータに無線デバイスが適合する可能性があるとみなすことができる。
【０１３０】
一例では、分散ＲＡＮエンティティは、無線デバイスからＲＲＣメッセージの１つ以上の無線リソース構成パラメータに対するＲＲＣ構成確定メッセージを受信することによって、この確定を行うことができる。ＲＲＣ構成メッセージは、無線デバイスが１つ以上の無線リソース構成パラメータに適合することを示すことができる。ＲＲＣ構成メッセージは、媒体アクセス制御（ＭＡＣ）制御要素および／または物理レイヤ表示を介して伝送されてもよい。
【０１３１】
一例では、基地局は、集約ＲＡＮエンティティおよび１つ以上の分散ＲＡＮエンティティを含むことができる。１つ以上の分散ＲＡＮエンティティのうちの分散ＲＡＮエンティティは、少なくとも１つのセルにサービスすることができる。集約ＲＡＮエンティティは、少なくとも無線リソース制御（ＲＲＣ）機能および／またはパケットデータ収束プロトコル（ＰＤＣＰ）レイヤ機能、を提供することができる。分散ＲＡＮエンティティは、少なくとも無線リンク制御（ＲＬＣ）レイヤ機能、媒体アクセス制御（ＭＡＣ）レイヤ機能、および／または物理（ＰＨＹ）レイヤ機能、を提供することができる。
【０１３２】
集約ＲＡＮエンティティと分散ＲＡＮエンティティとの間にＦ１インターフェース（例えば、論理ダイレクトインターフェース）がセットアップされてもよい。Ｆ１インターフェースは、ユーザプレーンインターフェースおよび／または制御プレーンインターフェースを含むことができる。ＲＲＣメッセージは、分散ＲＡＮエンティティを介して、集約ＲＡＮエンティティから無線デバイスに、または無線デバイスから集約ＲＡＮエンティティに、伝送されてもよい。データパケットは、分散ＲＡＮエンティティを介して、集約ＲＡＮエンティティから無線デバイスに、または無線デバイスから集約ＲＡＮエンティティに、伝送されてもよい。一例では、Ｆ１インターフェースを介して伝送されるデータパケットは、ＰＤＣＰレイヤパケットであってもよい。一例では、Ｆ１インターフェースを介して伝送されるＲＲＣメッセージは、Ｆ１インターフェースメッセージによって伝えられてもよく、および／またはＦ１インターフェースメッセージによって伝えられるＲＲＣメッセージは、１つ以上の信号伝達無線ベアラに関連付けられた１つ以上のＰＤＣＰレイヤパケットであってもよい。
【０１３３】
例示的な実施形態では、図２０に示すように、無線デバイスは、集約ＲＡＮエンティティおよび分散ＲＡＮエンティティを含む基地局によってサービスされてもよい。基地局の分散ＲＡＮエンティティは、１つ以上のサービングセルで無線デバイスにサービスすることができる。分散型ＲＡＮエンティティおよび集約ＲＡＮエンティティは、データ伝送および／または制御メッセージ伝送に使用され得るＦ１インターフェースを介して接続されてもよい。
【０１３４】
一例では、集約ＲＡＮエンティティは、分散ＲＡＮエンティティに、無線デバイスに対する第１のセルに関連付けられた無線リソース構成情報を含む第１のメッセージを伝送することができる。第１のセルは、分散ＲＡＮエンティティによってサービスされる１つ以上のサービングセルのうちの１つであってもよい。第１のメッセージは、Ｆ１インターフェースを介して伝送されてもよい。一例では、無線リソース構成情報は、セルのアクティブ化／非アクティブ化、セル構成、無線リソース構成、無線伝送電力構成、サイドリンク通信構成、および／または、分散ＲＡＮエンティティおよび／または第１のセルの同等の構成、の要求であってもよい。無線リソース構成情報は、無線デバイスに関連付けられてもよい。一例では、無線リソース構成情報は、集約ＲＡＮエンティティによって決定された構成パラメータ、および／または分散ＲＡＮエンティティによって決定された構成に対する構成要求、を含むことができる。
【０１３５】
一例では、無線リソース構成情報が、無線デバイスに対する第１のセルのセルアクティブ化要求を含む場合、無線リソース構成情報は、セルアクティブ化の要求および／またはセルアクティブ化に関連付けられた構成パラメータ、例えば、無線デバイスに対するランダムアクセス（ＲＡ）情報（例えば、プリアンブルインデックス、ＲＡリソーススケジューリング）、を含むことができる。
【０１３６】
一例では、無線リソース構成情報が第１のセル上の無線デバイスに対する定期的リソース割り当てに対するもの（例えば、半永続的スケジューリング、許可フリーリソーススケジューリング、および／または同等物）である場合、無線リソース構成情報は、定期性、リソース頻度情報、リソースブロックインジケータ、サブフレームインジケータ、ＴＴＩ（ニューメロロジー）インジケータ、および／または同等物などの、定期的リソース割り当ておよび／または定期的リソース割り当てに関連付けられた構成パラメータ、例えば定期的リソーススケジューリング情報（例えば、半永続的スケジューリング情報、許可フリーリソーススケジューリング、および／または同等物）、の要求表示を含むことができる。
【０１３７】
一例では、無線リソース構成情報が、無線デバイスの、少なくとも第１のセル内の他の無線デバイスとのサイドリンク通信に対するものである場合、無線リソース構成情報は、サイドリンクリソース構成および／またはサイドリンクリソーススケジューリングに関連付けられた構成パラメータ、の要求を含むことができる。
【０１３８】
一例では、分散ＲＡＮエンティティは、集約ＲＡＮエンティティに、第１のメッセージに応答して第２のメッセージを伝送することができる。第２のメッセージは、第１のメッセージの１つ以上の要素に基づいてもよい。第２のメッセージは、第１のメッセージで示された１つ以上の要求への応答メッセージであってもよい。第２のメッセージは、Ｆ１インターフェースを介して伝送されてもよい。一例では、第２のメッセージは、第１のメッセージ内の、集約ＲＡＮエンティティからの１つ以上の要求および／または提案された構成の肯定応答を含むことができる。分散ＲＡＮエンティティは、無線デバイスおよび／または第１のセルに対して、第１のメッセージ内で提案された１つ以上の構成を適用し、および／または第１のメッセージで要求された構成を適用することができる。一例では、第２のメッセージは、セルのアクティブ化／非アクティブ化、セル構成、無線リソース構成、無線伝送電力構成、サイドリンク通信構成、および／または、分散ＲＡＮエンティティおよび／または第１のセルの同等の構成の、肯定応答であってもよい。
【０１３９】
一例では、第２のメッセージは無線デバイスに関連付けられてもよい。第２のメッセージは、第１のセルおよび／または無線デバイスに対して、（例えば、第１のセル、他のサービングセル、および／または無線デバイスに対する）分散ＲＡＮエンティティにおいて適用される、および／または分散ＲＡＮエンティティによって少なくとも第１のメッセージに基づいて決定される、構成パラメータを含むことができる。第２のメッセージは、第１のメッセージ内の１つ以上の構成パラメータが少なくとも第１のセルおよび／または無線デバイス構成に適用されることを示す肯定応答を含むことができる。
【０１４０】
一例では、第２のメッセージが無線デバイスに対する第１のセルのセルアクティブ化表示を含む場合、第２のメッセージは、セルアクティブ化および／またはセルアクティブ化に関連付けられた構成パラメータ（第１のセルおよび／または無線デバイスに適用された、および／または適用される）、例えば無線デバイスに対するランダムアクセス（ＲＡ）情報（例えば、プリアンブルインデックス、ＲＡリソーススケジューリング）、の表示を含むことができる。
【０１４１】
一例では、第２のメッセージが、第１のセル上の無線デバイスに対する定期的リソース割り当て表示（例えば、半永続的スケジューリング、許可フリーリソーススケジューリング、および／または同等物）に対するものである場合、第２のメッセージは、定期性、リソース頻度情報、リソースブロックインジケータ、サブフレームインジケータ、ＴＴＩ（ニューメロロジー）インジケータ、および／または同等物などの、定期的リソース割り当ておよび／または定期的リソース割り当てに関連付けられた構成パラメータ（第１のセルおよび／または無線デバイスに適用された、および／または適用される）、例えば、定期的リソーススケジューリング情報（例えば、半永続的スケジューリング、許可フリーリソーススケジューリング、および／または同等物）、を含むことができる。
【０１４２】
一例では、第２のメッセージが、無線デバイスの、少なくとも第１のセル内の他の無線デバイスとのサイドリンク通信に対するものである場合、第２のメッセージは、サイドリンクリソース構成および／またはサイドリンクリソーススケジューリングに関連付けられた構成パラメータ（第１のセルおよび／または無線デバイスに適用された、および／または適用される）、に対する肯定応答表示を含むことができる。
【０１４３】
一例では、集約ＲＡＮエンティティは、無線デバイスに、少なくとも第２のメッセージの１つ以上の要素に基づいて構成された第３のメッセージを伝送することができる。第３のメッセージは、無線リソース制御（ＲＲＣ）メッセージであってもよい。第３のメッセージは、Ｆ１インターフェースを介して分散ＲＡＮエンティティに伝送されてもよく、分散ＲＡＮエンティティは、第３のメッセージを、無線インターフェース（例えば、Ｕｕインターフェース）を介して無線デバイスに転送してもよい。第３のメッセージは、第１のメッセージの無線リソース構成情報の１つ以上の要素および／または第２のメッセージの１つ以上の要素に関連付けられたＲＲＣ構成情報を含むことができる。ＲＲＣ構成情報は、少なくとも、第２のメッセージの１つ以上の要素、例えば、第１のセル、他のサービングセル、および／または無線デバイスに対する分散ＲＡＮエンティティによって決定される、分散ＲＡＮエンティティにおいて適用される構成パラメータに基づいて、決定されてもよい。ＲＲＣ構成情報は、少なくとも、第１のメッセージ内の１つ以上の構成パラメータが少なくとも第１のセルおよび／または無線デバイス構成に適用されることを示す肯定応答に基づいて、決定されてもよい。
【０１４４】
一例では、ＲＲＣ構成情報は、セルアクティブ化／非アクティブ化に対する１つ以上の構成パラメータおよび／または表示、セル構成、無線リソース構成、無線伝送電力構成、サイドリンク通信構成、および／または、分散ＲＡＮエンティティおよび／または第１のセルの同等の構成、を含むことができる。
【０１４５】
一例では、ＲＲＣ構成情報が無線デバイスに対する第１のセルのセル追加／修正表示を含む場合、ＲＲＣ構成情報は、第１のセルの、セル追加および／またはセル追加に関連付けられた構成パラメータ、例えば、無線デバイスに対するランダムアクセス（ＲＡ）情報（例えば、プリアンブルインデックス、ＲＡリソーススケジューリング）、セル周波数情報、第１のセルの１つ以上のビームに対する１つ以上のビームインデックス、および／または同等物、の表示を含むことができる。
【０１４６】
一例では、ＲＲＣ構成情報が第１のセル上の無線デバイスに対する定期的リソース割り当て（例えば、半永続的スケジューリング、許可フリーリソーススケジューリング、および／または同等物）に対するものである場合、ＲＲＣ構成情報は、定期性、リソース頻度情報、リソースブロックインジケータ、サブフレームインジケータ、ＴＴＩ（ニューメロロジー）インジケータ、および／または同等物などの、定期的リソース割り当ておよび／または定期的リソース割り当てに関連付けられた構成パラメータ、例えば、定期的リソーススケジューリング情報（例えば、半永続的スケジューリング情報、許可フリーリソーススケジューリング情報、および／または同等物）、の表示を含むことができる。
【０１４７】
一例では、ＲＲＣ構成情報が、無線デバイスの、少なくとも第１のセル内の他の無線デバイスとのサイドリンク通信に対するものである場合、ＲＲＣ構成情報は、サイドリンクリソース構成および／または第１のセル上のサイドリンクリソーススケジューリングに関連付けられた構成パラメータ、に対する表示を含むことができる。
【０１４８】
一例では、無線デバイスは、集約ＲＡＮエンティティに第３のメッセージに応答して、第３のメッセージのＲＲＣ構成情報の１つ以上の要素を確定する第４のメッセージを伝送することができる。一例では、第４のメッセージはＲＲＣメッセージであってもよい。第４のメッセージは、無線インターフェース（例えば、Ｕｕインターフェース）を介して分散ＲＡＮエンティティに伝送されてもよく、分散ＲＡＮエンティティは、Ｆ１インターフェースを介して集約ＲＡＮエンティティに第４のメッセージを転送してもよい。一例では、第４のメッセージは、第３のメッセージの１つ以上の要素に対する１つ以上の肯定応答を示すことができる。
【０１４９】
一例では、図２１に示すように、ｇＮＢ−ＤＵは、ｇＮＢ−ＣＵと無線デバイスとの間で伝送される１つ以上のＲＲＣメッセージを復号して、無線デバイスがＲＲＣ構成を受信した（および／または適用した）と判定することができる。
【０１５０】
一例では、分散ＲＡＮエンティティは、第３のメッセージ（例えば、無線デバイスに伝送されたＲＲＣメッセージ）を復号することができる。第３のメッセージは、Ｆ１インターフェースを介して分散ＲＡＮエンティティに伝送されてもよく、分散ＲＡＮエンティティは、第３のメッセージを無線デバイスに転送してもよい。一例では、集約ＲＡＮエンティティが分散ＲＡＮエンティティに第３のメッセージを伝送するとき、集約ＲＡＮエンティティは、分散ＲＡＮエンティティが第３のメッセージを復号する必要があることを示す表示とともに、第３のメッセージを伝送することができる。一例では、第３のメッセージおよび／または表示は、Ｆ１メッセージを通じて集約ＲＡＮエンティティから分散ＲＡＮエンティティに伝えられてもよい。Ｆ１メッセージは、第３のメッセージ、表示、無線デバイスの無線デバイス識別子（例えば、ＵＥ  ＩＤ）、および／または同等物、のうちの少なくとも１つを含むことができる。一例では、Ｆ１メッセージはＲＲＣ転送メッセージであってもよい。表示は、第３のメッセージ（すなわち、無線デバイスに伝送されるＲＲＣメッセージ）が、分散ＲＡＮエンティティに必要な少なくとも１つの要素を含むことを示すことができる。一例では、分散ＲＡＮエンティティは、Ｆ１メッセージ内の表示を伴わずに第３のメッセージを復号することができる。
【０１５１】
一例では、分散ＲＡＮエンティティは、無線デバイスに、少なくとも第３のメッセージの復号に基づいて、第１のメッセージの無線リソース構成情報に関連付けられた制御メッセージを伝送することができる。制御メッセージは、無線デバイスに対して、第１のメッセージの無線リソース構成情報に基づいて構成された１つ以上の構成のアクティブ化を示すことができる。一例では、制御メッセージは、セルのアクティブ化／非アクティブ化、セル構成のアクティブ化、無線リソース構成のアクティブ化、定期的無線リソース構成のアクティブ化（例えば、半永続的スケジューリングリソースのアクティブ化、許可フリーリソースのアクティブ化、および／または同等物）、無線伝送電力構成のアクティブ化、サイドリンク通信構成のアクティブ化、および／または、分散ＲＡＮエンティティ、無線デバイス、および／または第１のセルに対する同等の構成のアクティブ化、を示すことができる。一例では、制御メッセージは、媒体アクセス制御（ＭＡＣ）レイヤメッセージ（例えば、ＭＡＣ制御要素）、物理レイヤメッセージ（例えば、物理ダウンリンク制御チャネル（ＰＤＣＣＨ）オーダー、ＤＣＩ）、および／または同等物、を介して伝送されてもよい。
【０１５２】
一例では、分散ＲＡＮエンティティは、第４のメッセージ（例えば、無線デバイスによって集約ＲＡＮエンティティに伝送されたＲＲＣメッセージ）を復号することができる。第４のメッセージは、無線インターフェースを介して無線デバイスから分散ＲＡＮエンティティに伝送されてもよく、分散ＲＡＮエンティティは第４のメッセージを集約ＲＡＮエンティティに転送してもよい。一例では、無線デバイスが分散ＲＡＮエンティティに第４のメッセージを伝送するとき、無線デバイスは、分散ＲＡＮエンティティが第４のメッセージを復号する必要があることを示す表示とともに、第４のメッセージを伝送することができる。一例では、第４のメッセージおよび／または表示は、無線インターフェースメッセージを通じて無線デバイスから分散ＲＡＮエンティティに伝えられてもよい。無線インターフェースメッセージは、第４のメッセージ、表示、無線デバイスの無線デバイス識別子（例えば、ＵＥ  ＩＤ）、および／または同等物、のうちの少なくとも１つを含むことができる。一例では、無線インターフェースメッセージは、ＲＲＣ転送メッセージであってもよい。表示は、第４のメッセージ（すなわち、無線デバイスの無線インターフェースメッセージ）が、分散ＲＡＮエンティティに必要な少なくとも１つの要素を含むことを示すことができる。一例では、分散ＲＡＮエンティティは、無線インターフェースメッセージ内の表示を伴わずに第４のメッセージを復号することができる。
【０１５３】
一例では、分散ＲＡＮエンティティは、無線デバイスに、少なくとも第４のメッセージの復号に基づいて、第１のメッセージの無線リソース構成情報に関連付けられた制御メッセージを伝送することができる。制御メッセージは、無線デバイスに対して、第１のメッセージおよび／または第２のメッセージの無線リソース構成情報に基づいて構成された１つ以上の構成のアクティブ化を示すことができる。一例では、制御メッセージは、セルのアクティブ化／非アクティブ化、セル構成のアクティブ化、無線リソース構成のアクティブ化、定期的無線リソース構成のアクティブ化（例えば、半永続的スケジューリングリソースのアクティブ化、許可フリーリソースのアクティブ化、および／または同等物）、無線伝送電力構成のアクティブ化、サイドリンク通信構成のアクティブ化、および／または、分散ＲＡＮエンティティ、無線デバイス、および／または第１のセルに対する同等の構成のアクティブ化、を示すことができる。一例では、制御メッセージは、媒体アクセス制御（ＭＡＣ）レイヤメッセージ（例えば、ＭＡＣ制御要素）、物理レイヤメッセージ（例えば、物理ダウンリンク制御チャネル（ＰＤＣＣＨ）オーダー、ＤＣＩ）、および／または同等物、を介して伝送されてもよい。
【０１５４】
一例では、図１９および／または図２２に示すように、ｇＮＢ−ＣＵ（例えば、ＣＵ、集約基地局、集約ＲＡＮエンティティ）は、ｇＮＢ−ＤＵ（例えば、ＤＵ、分散基地局、分散ＲＡＮエンティティ）に、無線デバイスがＲＲＣ構成を受信した（および／または適用した）ことを示す構成確定メッセージを伝送することができる。ｇＮＢ−ＣＵは、ｇＮＢ−ＤＵに、ＵＥからの確定メッセージの受信に応答して構成確定メッセージを伝送することができる。例示的な実施形態は、ＲＲＣ構成パラメータの実装を強化する。例示的な実施形態の実装に伴い、ｇＮＢ−ＣＵ、ｇＮＢ  ＤＵ、および無線デバイスの間でＲＲＣ構成パラメータの実装を整合させるために、追加のメッセージが導入される。
【０１５５】
一例では、集約ＲＡＮエンティティは、分散ＲＡＮエンティティに、無線デバイスが第１のメッセージ内の無線リソース構成情報の１つ以上の要素に関連付けられた１つ以上の構成に適合することを示す第５のメッセージを伝送することができる。第５のメッセージは、少なくとも集約ＲＡＮエンティティの第３のメッセージ伝送および／または第４のメッセージ受信に基づいて、構成されてもよい。第５のメッセージは、Ｆ１インターフェースを介して伝送されてもよい。一例では、第５のメッセージは、Ｆ１インターフェースメッセージを含むことができる。一例では、第５のメッセージは、ＵＥコンテキスト修正要求メッセージを含むことができる。一例では、第５のメッセージは、無線デバイスが第１のメッセージの無線リソース構成情報の１つ以上の要素の１つ以上の構成を完了したことを示す完了表示情報要素（ＩＥ）を含むことができる。一例では、完了表示ＩＥは、ＲＲＣ構成情報に対する構成プロシージャが無線デバイスによって正常に実行されたことを分散ＲＡＮエンティティ（例えば、ｇＮＢ−ＤＵ）に通知するＲＲＣ再構成完了インジケータＩＥを含むことができる。
【０１５６】
一例では、第１のメッセージ、第２のメッセージ、および／または第５のメッセージは、ＲＲＣ構成インデックスを含むことができる。ＲＲＣ構成インデックスに基づいて、分散ＲＡＮエンティティは、第５のメッセージが、第１のメッセージおよび／または第２のメッセージに関連付けられた無線リソース構成情報内の１つ以上の構成の確定であることを認識することができる。
【０１５７】
一例では、分散ＲＡＮエンティティは、無線デバイスに、少なくとも集約ＲＡＮエンティティから受信された第５のメッセージに基づいて、第１のメッセージの無線リソース構成情報に関連付けられた制御メッセージを伝送することができる。制御メッセージは、無線デバイスに対して、第１のメッセージおよび／または第２のメッセージの無線リソース構成情報に基づいて構成された１つ以上の構成のアクティブ化を示すことができる。一例では、制御メッセージは、セルのアクティブ化／非アクティブ化、セル構成のアクティブ化、無線リソース構成のアクティブ化、定期的無線リソース構成のアクティブ化（例えば、半永続的スケジューリングリソースのアクティブ化、許可フリーリソースのアクティブ化、および／または同等物）、無線伝送電力構成のアクティブ化、サイドリンク通信構成のアクティブ化、および／または、分散ＲＡＮエンティティ、無線デバイス、および／または第１のセルに対する同等の構成のアクティブ化、を示すことができる。一例では、制御メッセージは、媒体アクセス制御（ＭＡＣ）レイヤメッセージ（例えば、ＭＡＣ制御要素）、物理レイヤメッセージ（例えば、物理ダウンリンク制御チャネル（ＰＤＣＣＨ）オーダー、ＤＣＩ）、および／または同等物、を介して伝送されてもよい。
【０１５８】
一例では、図２３に示すように、ＲＲＣパラメータ構成プロシージャに対するメッセージは、ＲＲＣパラメータ構成プロシージャを識別する（および／または区別する）ＲＲＣ構成インデックスを含むことができる。
【０１５９】
一例では、第１のメッセージおよび／または第２のメッセージは、ＲＲＣ構成インデックスをさらに含むことができる。ＲＲＣ構成インデックスは、第１のメッセージおよび／または第２のメッセージ内の無線リソース構成情報に関連付けられてもよい。一例では、第３のメッセージを伝送するとき、集約ＲＡＮエンティティは、分散ＲＡＮエンティティに、第３のメッセージを伝えるＦ１メッセージ（すなわち、ＲＲＣメッセージ）にＲＲＣ構成インデックスを追加することによって、Ｆ１インターフェースを介してＲＲＣ構成インデックスを伝送することができる。分散ＲＡＮエンティティは、ＲＲＣ構成インデックスに基づいて、無線リソース構成情報が無線デバイスに伝送されたと判定することができる。
【０１６０】
一例では、第４のメッセージを伝送するとき、無線デバイスは、第４のメッセージ（すなわち、ＲＲＣメッセージ）を伝える少なくとも１つのパケット（例えば、ＰＤＣＰパケットおよび／またはＰＤＣＰパケットヘッダ）にＲＲＣ構成インデックスを追加することによって、無線インターフェース（例えば、信号伝達無線ベアラ）を介してＲＲＣ構成インデックスを伝送することができる。分散ＲＡＮエンティティは、＝ＲＲＣ構成インデックスに基づいて、無線デバイスが無線リソース構成情報を受信した、および／または無線リソース構成情報に適合している、と判定することができる。
【０１６１】
一例では、分散ＲＡＮエンティティは、無線デバイスに、少なくとも、Ｆ１インデックスを介して集約ＲＡＮエンティティから受信された、および／または無線インターフェースを介して無線デバイスから受信されたＲＲＣ構成インデックスに基づいて、第１のメッセージの無線リソース構成情報に関連付けられた制御メッセージを伝送することができる。制御メッセージは、無線デバイスに対して、第１のメッセージおよび／または第２のメッセージの無線リソース構成情報に基づいて構成された１つ以上の構成のアクティブ化を示すことができる。一例では、制御メッセージは、セルのアクティブ化／非アクティブ化、セル構成のアクティブ化、無線リソース構成のアクティブ化、定期的無線リソース構成のアクティブ化（例えば、半永続的スケジューリングリソースのアクティブ化、許可フリーリソースのアクティブ化、および／または同等物）、無線伝送電力構成のアクティブ化、サイドリンク通信構成のアクティブ化、および／または、分散ＲＡＮエンティティ、無線デバイス、および／または第１のセルに対する同等の構成のアクティブ化、を示すことができる。一例では、制御メッセージは、媒体アクセス制御（ＭＡＣ）レイヤメッセージ（例えば、ＭＡＣ制御要素）、物理レイヤメッセージ（例えば、物理ダウンリンク制御チャネル（ＰＤＣＣＨ）オーダー、ＤＣＩ）、および／または同等物、を介して伝送されてもよい。
【０１６２】
一例では、図２４に示すように、ｇＮＢ−ＤＵ（例えば、ＤＵ、分散基地局、分散ＲＡＮエンティティ）は、無線デバイスがＲＲＣタイマに基づいてＲＲＣ構成を受信した（および／または適用した）と判定することができる。
【０１６３】
一例では、分散ＲＡＮエンティティは、第３のメッセージを無線デバイスに転送するときにＲＲＣタイマを始動させることができる。一例では、第１のメッセージ、第２のメッセージ、および／または、Ｆ１メッセージであってＦ１メッセージを介して第３のメッセージを伝えるＦ１メッセージは、ＲＲＣ構成インデックスを含むことができる。ＲＲＣ構成インデックスに基づいて、分散ＲＡＮエンティティは、第３のメッセージが、第１のメッセージおよび／または第２のメッセージの無線リソース構成情報に関連付けられたＲＲＣメッセージであることを認識することができる。ＲＲＣタイマは、第３のメッセージを転送するとき、ＲＲＣ構成インデックスに基づいて始動することができる。一例では、ＲＲＣタイマが満了した場合、分散ＲＡＮエンティティは、無線デバイスが無線リソース構成情報に適合し得るとみなすことができる。
【０１６４】
一例では、ＲＲＣタイマが満了した場合、分散ＲＡＮエンティティは、無線デバイスが無線リソース構成情報に適合しない場合があるとみなすことができ、および／または、分散ＲＡＮエンティティが、ＲＲＣタイマが満了する前にＲＲＣメッセージに対するＲＲＣ応答メッセージ（ＲＲＣ構成インデックスとともに伝送され得る）を受信した場合、分散ＲＡＮエンティティは、無線デバイスが無線リソース構成情報に適合し得るとみなすことができる。
【０１６５】
一例では、ＲＲＣタイマは、ＲＲＣプロシージャに対する処理遅延要件に関連付けられてもよい。ＲＲＣタイマは、処理遅延要件と同じか、それよりも長くなるように、設定されてもよい。
【０１６６】
一例では、分散ＲＡＮエンティティは、無線デバイスが、ＲＲＣタイマ満了に、および／またはＲＲＣタイマ満了前のＲＲＣ応答メッセージに基づいて、無線リソース構成情報のうちの少なくとも１つに適合するとみなす場合、分散ＲＡＮエンティティは、無線デバイスに、第１のメッセージおよび／または第２のメッセージの無線リソース構成情報に関連付けられた制御メッセージを伝送することができる。制御メッセージは、無線デバイスに対して、第１のメッセージの無線リソース構成情報に基づいて構成された１つ以上の構成のアクティブ化を示すことができる。一例では、制御メッセージは、セルのアクティブ化／非アクティブ化、セル構成のアクティブ化、無線リソース構成のアクティブ化、定期的無線リソース構成のアクティブ化（例えば、半永続的スケジューリングリソースのアクティブ化、許可フリーリソースのアクティブ化、および／または同等物）、無線伝送電力構成のアクティブ化、サイドリンク通信構成のアクティブ化、および／または、分散ＲＡＮエンティティ、無線デバイス、および／または第１のセルに対する同等の構成のアクティブ化、を示すことができる。一例では、制御メッセージは、媒体アクセス制御（ＭＡＣ）レイヤメッセージ（例えば、ＭＡＣ制御要素）、物理レイヤメッセージ（例えば、物理ダウンリンク制御チャネル（ＰＤＣＣＨ）オーダー、ＤＣＩ）、および／または同等物、を介して伝送されてもよい。
【０１６７】
一例では、図２５に示すように、無線デバイスは、ｇＮＢ−ＤＵに対してＲＲＣ構成の確定を示すことができる。
【０１６８】
一例では、無線デバイスは、無線デバイスが第３のメッセージの無線リソース構成情報のうちの少なくとも１つに適合することを示すＲＲＣ構成確定情報を伝送することができる。ＲＲＣ構成確定を受信することによって、分散ＲＡＮエンティティは、無線デバイスが、第１のメッセージおよび／または第２のメッセージに関連付けられた無線リソース構成情報の構成のうちの少なくとも１つに適合するとみなすことができる。一例では、ＲＲＣ構成確定は、媒体アクセス制御（ＭＡＣ）制御要素および／または物理レイヤメッセージを介して伝送されてもよい。
【０１６９】
一例では、第１のメッセージ、第２のメッセージ、第３のメッセージ、および／またはＲＲＣ構成確定は、ＲＲＣ構成インデックスを含むことができる。ＲＲＣ構成インデックスに基づいて、分散ＲＡＮエンティティは、ＲＲＣ構成確定が、第１のメッセージおよび／または第２のメッセージに関連付けられた無線リソース構成情報内の１つ以上の構成の確定であることを認識することができる。
【０１７０】
一例では、分散ＲＡＮエンティティが無線デバイスからＲＲＣ構成確定を受信した場合、分散ＲＡＮエンティティは、無線デバイスに、第１のメッセージおよび／または第２のメッセージの無線リソース構成情報に関連付けられた制御メッセージを伝送することができる。制御メッセージは、無線デバイスに対して、第１のメッセージの無線リソース構成情報に基づいて構成された１つ以上の構成のアクティブ化を示すことができる。一例では、制御メッセージは、セルのアクティブ化／非アクティブ化、セル構成のアクティブ化、無線リソース構成のアクティブ化、定期的無線リソース構成のアクティブ化（例えば、半永続的スケジューリングリソースのアクティブ化、許可フリーリソースのアクティブ化、および／または同等物）、無線伝送電力構成のアクティブ化、サイドリンク通信構成のアクティブ化、および／または、分散ＲＡＮエンティティ、無線デバイス、および／または第１のセルに対する同等の構成のアクティブ化、を示すことができる。一例では、制御メッセージは、媒体アクセス制御（ＭＡＣ）レイヤメッセージ（例えば、ＭＡＣ制御要素）、物理レイヤメッセージ（例えば、物理ダウンリンク制御チャネル（ＰＤＣＣＨ）オーダー、ＤＣＩ）、および／または同等物、を介して伝送されてもよい。
【０１７１】
ＲＲＣプロシージャに対する処理遅延要件：ＲＲＣプロシージャに対するＵＥ性能要件は、以下の表内で、値Ｎによって、Ｎ＝ＴＴＩ整合以外のアクセス遅延を伴わないＵＥ−＞Ｅ−ＵＴＲＡＮの応答メッセージ（例えば、スケジューリング、ＲＡプロシージャ、または物理レイヤの同期によって引き起こされる遅延を除く）に対するアップリンク許可の受信に対してＵＥの準備が整い得るまでのＵＥ物理レイヤ上のＥ−ＵＴＲＡＮ−＞ＵＥのメッセージの受信終了から１ｍｓのサブフレームの数、と特定されてもよい。
【０１７２】
図２６および／または図２７は、無線デバイス（ＵＥ）に対するＲＲＣプロシージャに対する例示的なＵＥ性能要件の表を示す。
【０１７３】
一例では、集約ＲＡＮエンティティは、分散ＲＡＮエンティティに、無線デバイスに対する第１のセルに関連付けられた無線リソース構成情報を含む第１のメッセージを伝送することができる。集約ＲＡＮエンティティは、分散ＲＡＮエンティティから、第１のメッセージに応答して第２のメッセージを受信することができる。集約ＲＡＮエンティティは、無線デバイスに分散ＲＡＮエンティティを介して、少なくとも第２のメッセージに基づいて第３のメッセージを伝送することができる。第３のメッセージは、無線リソース構成情報の１つ以上の要素に関連付けられた無線リソース制御（ＲＲＣ）構成情報を含むことができる。集約ＲＡＮエンティティは、無線デバイスから分散ＲＡＮエンティティを介して、第３のメッセージに応答してＲＲＣ構成情報の１つ以上の要素を確定する第４のメッセージを受信することができる。
【０１７４】
一例では、分散ＲＡＮエンティティは、第４のメッセージを復号することができ、および／または、無線デバイスに、第４のメッセージに応答して無線リソース構成情報に関連付けられた制御メッセージを伝送することができる。一例では、第４のメッセージは、分散ＲＡＮエンティティを介して無線デバイスに伝送されてもよい。Ｆ１メッセージは、集約ＲＡＮエンティティから分散ＲＡＮエンティティに第４のメッセージを伝えることができる。Ｆ１メッセージは、第４のメッセージと、分散ＲＡＮエンティティが第４のメッセージを復号する必要があることを示す表示と、を含むことができる。分散ＲＡＮエンティティは、表示に基づいて第４のメッセージを復号することができる。
【０１７５】
一例では、分散ＲＡＮエンティティは、集中型無線アクセスネットワークエンティティから、集中型無線アクセスネットワークエンティティが、無線リソース制御構成情報を無線デバイスに伝送したこと、および／または応答メッセージを受信したこと、を示す第５のメッセージを受信することができる。分散ＲＡＮエンティティは、無線デバイスに、第５のメッセージに応答して、無線リソース構成情報に関連付けられた制御メッセージを伝送することができる。
【０１７６】
一例では、無線リソース構成情報は、セカンダリセルの追加／修正／解放要求、定期的リソース構成要求、１つ以上の無線リソースを構成する要求、１つ以上の無線リソースの構成、および／または同等物、を含むことができる。制御メッセージは、媒体アクセス制御（ＭＡＣ）制御要素（ＣＥ）、物理ダウンリンク制御チャネル（ＰＤＣＣＨ）オーダー、および／または同等物、のうちの少なくとも１つを介して伝送されてもよい。一例では、制御メッセージは、セカンダリセルアクティブ化コマンド、定期的リソース構成アクティブ化コマンド、および／または同等物、を含むことができる。
【０１７７】
一例では、ｇＮＢがｇＮＢ−ＣＵとｇＮＢ−ＤＵとに分割されているとき、ｇＮＢ−ＣＵは少なくともＲＲＣレイヤを提供することができる、および／またはｇＮＢ−ＤＵは物理レイヤおよび／またはＭＡＣレイヤのうちの少なくとも１つを提供することができる。一例では、ｇＮＢは、無線デバイスに対する物理レイヤステータス情報に基づいて、ビーム構成パラメータを決定することができる。既存の技術では、無線リソース制御機能と物理レイヤ監視および構成機能とは、異なる基地局装置（例えば、ｇＮＢ−ＣＵおよびｇＮＢ−ＤＵ）において実行される。ｇＮＢ−ＣＵおよびｇＮＢ−ＤＵの既存のビーム構成および／または適用メカニズムの実装により、無線デバイスに対するパラメータ構成の不整合が増加する場合がある。既存の技術は、無線チャネルの信頼性を低下させ、無線デバイスのパケット伝送／受信障害率を増加させる場合がある。既存の技術は、ｇＮＢがｇＮＢ−ＣＵおよびｇＮＢ−ＤＵを含むとき、コールドロップ率および／またはパケット伝送遅延を増加させる場合がある。無線デバイスに対するビームを構成するために、ｇＮＢ−ＤＵ、ｇＮＢ−ＣＵ、および無線デバイス間の信号伝達を強化する必要がある。
【０１７８】
例示的な実施形態は、ｇＮＢ−ＤＵがｇＮＢの下位レイヤ機能を提供し、かつｇＮＢ−ＣＵが上位レイヤ機能を提供するとき、ｇＮＢ−ＣＵおよび／またはｇＮＢ−ＤＵのビーム構成および／または適用メカニズムを強化する。例示的な実施形態は、ｇＮＢ−ＣＵとｇＮＢ−ＤＵとの相互作用を強化して、ビーム構成パラメータを構成し、および／または構成されたビームパラメータを無線デバイスおよび／またはセルに対して適用することができる。例示的な実施形態は、無線デバイスおよび／またはセルに対するｇＮＢ−ＣＵおよびｇＮＢ−ＤＵのビームパラメータ構成および／またはパラメータ適用メカニズムを強化することによって、接続信頼性を高め、無線デバイスのパケット伝送／受信遅延を低減することができる。
【０１７９】
ＮＲ（新無線）は、シングルビーム動作とマルチビーム動作との両方をサポートすることができる。マルチビームシステムでは、ｇＮＢは、ダウンリンクビーム掃引を実行して、ＤＬ同期信号（ＳＳ）および共通制御チャネルに対するカバレッジを提供する必要がある場合がある。ＵＥがセルにアクセスできるようにするために、ＵＥはＵＬ方向に対して同様の掃引を必要とする場合がある。
【０１８０】
シングルビームシナリオでは、ネットワークは、１つの同期信号（ＳＳ）ブロック内で時間反復を構成することができ、同期信号ブロックは、ワイドビーム内に、少なくとも、ＰＳＳ（プライマリ同期信号）、ＳＳＳ（セカンダリ同期信号）、およびＰＢＣＨ（物理ブロードキャストチャネル）を含むことができる。マルチビームシナリオでは、ネットワークは、ＵＥが、少なくとも、ＳＳブロックからの、ＯＦＤＭシンボルインデックス、無線フレーム内のスロットインデックス、および無線フレーム番号を識別するように、これらの信号と物理チャネル（例えば、ＳＳブロック）とのうちの少なくともいくつかを複数のビームで構成することができる。
【０１８１】
ＲＲＣ＿ＩＮＡＣＴＩＶＥまたはＲＲＣ＿ＩＤＬＥ  ＵＥは、ＳＳブロックが、所与の定期性を有するＳＳブロックセットおよびＳＳブロックセットバーストを形成し得ると仮定する必要がある場合がある。マルチビームシナリオでは、ＳＳブロックは複数のビームで伝送され、協調してＳＳバーストを形成することができる。ビームを伝送するために複数のＳＳバーストが必要とされる場合、これらのＳＳバーストは、図３１に例解するように、協調してＳＳバーストセットを形成することができる。図３１は、ＳＳバーストセットの異なる構成の例を例解している。上：ワイドビーム内の１つのＳＳバーストセット内での時間反復。中央：ＳＳバーストセット内の１つのＳＳバーストを使用した少数のビームのビーム掃引。下：完全な掃引を形成するために、ＳＳバーストセット内の複数のＳＳバーストを使用した多数のビームのビーム掃引。
【０１８２】
マルチビームシナリオでは、同じセルに対して、ＰＳＳ／ＳＳＳ／ＰＢＣＨを反復して、セルの選択／再選択と初期アクセスプロシージャとをサポートすることができる。伝えられたＰＲＡＣＨ構成には、ＳＳバースト内のビームベースでのＴＳＳ（３次同期信号）によって示唆されるいくつかの相違があり得る。ＰＢＣＨがＰＲＡＣＨ構成を搬送するという仮定の下で、ｇＮＢは、ＴＳＳを利用してＰＲＡＣＨ構成の相違を示唆することができる場合、場合によってはビームごとにＰＲＡＣＨ構成をブロードキャストすることができる。
【０１８３】
図３２は、複数のＳＳブロックをブロードキャストすることを含むＲＡプロシージャの例を例解している。
【０１８４】
一例では、基地局は、無線デバイスに、１つ以上のセルの構成パラメータを含む１つ以上のメッセージを伝送することができる。構成パラメータは、複数のＣＳＩ−ＲＳ信号フォーマットおよび／またはリソースのパラメータを含むことができる。ＣＳＩ−ＲＳの構成パラメータは、ＣＳＩ−ＲＳ定期性を示す１つ以上のパラメータ、ＣＳＩ−ＲＳサブキャリア（例えば、リソース要素）を示す１つ以上のパラメータ、ＣＳＩ−ＲＳシーケンスを示す１つ以上のパラメータ、および／または他のパラメータ、を含むことができる。パラメータのうちのいくつかは、１つ以上のパラメータへと結合されてもよい。複数のＣＳＩ−ＲＳ信号が構成されてもよい。一例では、１つ以上のメッセージは、ＳＳブロックとＣＳＩ−ＲＳ信号との間の対応を示すことができる。１つ以上のメッセージは、ＲＲＣ接続セットアップメッセージ、ＲＲＣ接続再開メッセージ、および／またはＲＲＣ接続再構成メッセージであってもよい。一例では、ＲＲＣアイドルモードにあるＵＥは、ＣＳＩ−ＲＳ信号で構成されなくてもよく、ＳＳブロックを受信してもよく、ＳＳ信号に基づいて経路損失を測定してもよい。ＲＲＣ接続モードにあるＵＥは、ＣＳＩ−ＲＳ信号で構成されてもよく、ＣＳＩ−ＲＳ信号に基づいて経路損失を測定してもよい。一例では、ＲＲＣ非アクティブモードにあるＵＥは、例えば、ＵＥがアンカー基地局と比較して異なるＣＳＩ−ＲＳ構成を有する異なる基地局に移動するとき、ＳＳブロックに基づいて経路損失を測定することができる。
【０１８５】
例示的なＰＲＡＣＨバースト／ＲＡＣＨリソースパーティショニング
マルチビームシステムでは、ＮＲは、ＳＳブロックおよび／またはＤＬビームに関連付けられ得る異なるタイプのＰＲＡＣＨリソースを構成することができる。ＮＲでは、ＰＲＡＣＨ伝送機会は、時間周波数リソースとして定義されてもよく、当該伝送機会に、ＵＥが、構成されたＰＲＡＣＨプリアンブルフォーマットを使用して単一の特定のＴｘビームでプリアンブルを伝送し、当該ビームに対して、ｇＮＢがＰＲＡＣＨプリアンブル検出を実行する。１つのＰＲＡＣＨ機会を使用して、ビームの不一致の場合をカバーすることができる。ＵＥ  ＴＸビーム整合は単一機会の間では固定されるため、ｇＮＢはＰＲＡＣＨ機会の間にＲＸ掃引を実行することができる。ＰＲＡＣＨバーストは、時間領域で連続して割り当てられたＰＲＡＣＨ機会のセットを意味する場合があり、ＰＲＡＣＨバーストセットは、完全なＲＸ掃引を可能にするためのＰＲＡＣＨバーストのセットを意味する場合がある。図３３は、構成されたＰＲＡＣＨ機会、ＰＲＡＣＨバースト、およびＰＲＡＣＨバーストセットの例を例解している。図３３は、ＲＡＣＨ機会、ＲＡＣＨバースト、およびＲＡＣＨバーストセットの例を例解している。
【０１８６】
ＳＳブロック（ＤＬ信号／チャネル）とＰＲＡＣＨ機会とＰＲＡＣＨプリアンブルリソースのサブセットとの間の関連付けがあり得る。１つのＰＲＡＣＨ機会は、プリアンブルのセットを含むことができる。マルチビーム動作では、ｇＮＢは、ｇＮＢがいずれのビームまたはいずれのビームのセットを使用してＲＡＲを送信し得るかを知る必要がある場合があり、プリアンブルを使用してそれを示すことができる。ＮＲは、マルチビーム動作で、以下のパーティショニングおよびマッピングを構成することができる。
【０１８７】
ＳＳブロックからＰＲＡＣＨリソースへのタイミングは、ＭＩＢで示されてもよい。一例では、ＴＳＳ内の検出されたシーケンスがＰＲＡＣＨリソースを示すように、異なるタイミングに対して異なるＴＳＳが使用されてもよい。このＰＲＡＣＨ構成は、ＳＳブロックに対するタイミングとして指定されてもよく、ＭＩＢ内のペイロードと別のブロードキャストされたシステム情報との組み合わせとして与えられてもよい。
【０１８８】
ＳＳブロックとＲＡＣＨリソースのサブセットおよび／またはプリアンブルインデックスのサブセットとの間の関連付けは、ＴＲＰが、受信されたプリアンブルのリソースロケーションまたはプリアンブルインデックスに従ってＵＥに対する最良のＤＬビームを識別し得るように、構成されてもよい。関連付けは独立していてもよく、ＲＡＣＨリソースのサブセットまたはプリアンブルインデックスのサブセットの少なくともいずれかが、複数のＳＳブロックに関連付けできない場合がある。
【０１８９】
例示的なＳＳブロック固有のＰＲＡＣＨプリアンブルリソース：
ＰＲＡＣＨリソースは、複数ビーム動作でＳＳブロックベースでパーティショニングされてもよい。ＳＳブロックとＰＲＡＣＨ機会との間に１対１および／または多対１のマッピングがあってもよい。図３４は、ＴＤＤ（図３４（ａ））／ＦＤＤ（図３４（ｂ））ベースの、ＳＳブロックとＰＲＡＣＨ機会との間の１対１マッピングおよび多対１マッピング（図３４（ｃ））の例を例解している。
【０１９０】
ＵＥは、ＤＬ同期信号に基づいてＳＳブロックを検出し、時間インデックスに基づいてＳＳブロックを区別することができる。１つ以上のビームの１対１マッピングを使用してＳＳブロックおよび特定のＰＲＡＣＨ機会を伝送する場合、ＰＲＡＣＨプリアンブルリソースの伝送は、好ましいＳＳブロックのｇＮＢへの、ＵＥによって通知される表示であってもよい。このようにして、単一のＰＲＡＣＨ機会のＰＲＡＣＨプリアンブルリソースが、特定のＳＳブロックに対応してもよく、ＳＳブロックインデックスに基づいてマッピングが行われてもよい。ＳＳブロックビームとＰＲＡＣＨ機会との間に１対１のマッピングがあってもよい。ＳＳブロックの定期性とＲＡＣＨ機会の定期性とに対して、このようなマッピングがなくてもよい。
【０１９１】
ｇＮＢ機能（例えば、使用されるビームフォーミングアーキテクチャ）によっては、単一のＳＳブロックと単一のＲＡＣＨ機会との間に１対１のマッピングがなくてもよい。ＳＳブロックの伝送とＲＡＣＨ機会の間の受信とに使用される１つ以上のビームが直接対応しない場合、例えば、ｇＮＢが複数のＳＳブロックビームをカバーする受信ビームを形成し得る場合、ＰＲＡＣＨ機会のプリアンブルは、ＰＲＡＣＨプリアンブルのサブセットが特定のＳＳブロックにマッピングされるように、異なるＳＳブロック間で分割されてもよい。図３４は、ＰＲＡＣＨリソースのＴＤＭおよびＦＤＭマッピングの例を例解している。例示的なビーム固有のＰＲＡＣＨリソース：
【０１９２】
ビーム固有のＰＲＡＣＨリソースを使用する場合、ｇＮＢ  ＤＬ  ＴＸビームがプリアンブルのサブセットに関連付けられてもよい。ビーム固有のＰＲＡＣＨプリアンブルリソースは、Ｌ３モビリティに対する定期的ビームおよびセル固有のＣＳＩ−ＲＳによって識別されるＤＬ  ＴＸビームに関連付けられてもよい（Ｌ２ビーム管理／セル内モビリティにも同じ信号が使用され得る）。ＵＥは、ＲＲＣ構成なしでビームを検出することができ、例えば、最小ＳＩ（ＭＩＢ／ＳＩＢ）からビーム構成を読み取る。
【０１９３】
特定のビームへのＰＲＡＣＨリソースのマッピングは、ＳＳブロック関連付けを使用することができる。図３５に例解するように、特定のビームは、ＳＳブロックを伝送するために使用されるビームに関連付けられてもよい。図３５では、ｇＮＢは、１つ以上のビームを使用してＳＳブロックを伝送することができる（アナログ／ハイブリッドビームフォーミングの場合）が、個々のビームは検出されない場合がある。ＵＥの観点からは、これはシングルビーム伝送である。図３５では、ｇＮＢは、特定のＳＳブロックに関連付けられた個々のビームを使用して（モビリティに対する）ＣＳＩ−ＲＳを伝送することができる。ＵＥは、ＣＳＩ−ＲＳに基づいて個々のビームを検出することができる。
【０１９４】
図３５は、ＳＳブロックで構成される１つ以上のビームの例を例解しており、図３５は、ＣＳＩ−ＲＳで構成される１つ以上のビームの例を例解している。
【０１９５】
図３６に例解するように、ＰＲＡＣＨ機会は、対応するＳＳブロックにマッピングされてもよく、ＰＲＡＣＨプリアンブルのセットはビーム間で分割されてもよい。図３６に例解するように、単一のＰＲＡＣＨ機会への複数のＳＳブロックのマッピングと同様に、ＳＳブロックの複数のビームは、少なくとも１つのＰＲＡＣＨ機会にマッピングされてもよい。
【０１９６】
図３６は、ビーム固有のプリアンブルを１対１マッピングを使用してＰＲＡＣＨ機会にマッピングする例を例解し、図３６は、ビーム固有のプリアンブルをｋ対１マッピングを使用してＰＲＡＣＨ機会にマッピングする例を例解している。
【０１９７】
ＰＲＡＣＨ機会がｋ個のプリアンブルで構成され、かつＰＲＡＣＨ機会がＳＳブロック固有であるように構成されている場合、プリアンブルのセット全体を使用して特定のＳＳブロックを示すことができる。この場合、Ｎ個のＳＳブロックに対応するＮ個のＰＲＡＣＨ機会があってもよい。
【０１９８】
複数のＳＳブロックが単一のＰＲＡＣＨ機会にマッピングされる場合、プリアンブルはＳＳブロック間で分割され、ＳＳブロックの数に応じて、ＳＳブロックごとに使用可能なプリアンブルはＫ／Ｎ（Ｋ個のプリアンブル、Ｎ個のＳＳ−ブロック）であってもよい。
【０１９９】
Ｋ個のＳＳブロック固有のプリアンブルが、対応するＰＲＡＣＨ機会のＣＳＩ−ＲＳビーム間で分割される場合、ビームごとの利用可能なプリアンブルの数は、Ｋ個のプリアンブル／ビームの数によって決定され得る。
【０２００】
プリアンブルがＳＳブロック固有の態様でパーティショニングされる場合、ＵＥは、好ましいＳＳブロックを示してもよいが、好ましい個々のＤＬ  ＴＸビームをｇＮＢに対して示さなくてもよい。
【０２０１】
ネットワークは、ＳＳ−ブロックへの、および／または個々のビームへの、ＰＲＡＣＨプリアンブルリソースのマッピング／パーティショニングを構成することができる。ＵＥは、例えばＰＲＡＣＨ構成に基づいて、使用されるＰＲＡＣＨプリアンブルのパーティショニングを可能な限り多く決定することができる。
【０２０２】
ｇＮＢがアナログＲＸビームフォーミングを使用するとき、ビーム固有のＰＲＡＣＨ構成が構成可能であってもよい。その場合、ＵＥが、例えば１つ以上のＳＳブロック伝送に関連付けられたビーム固有の時間／周波数スロットでプリアンブルを送信すると、ｇＮＢは、その時間／周波数スロットでプリアンブルを受信するときに適切なＲＸビームフォーミングを使用し、ＲＡＲを伝送するときに対応するＤＬビームを使用することができる。したがって、ビーム固有のＰＲＡＣＨ構成により、ｇＮＢは、関連付けられたＰＲＡＣＨリソースを監視するとき、ｇＮＢのＲｘビームフォーミングを同じビームの方向に向けることが可能になり得る。
【０２０３】
例示的な後続の伝送
マルチビームＲＡＣＨシナリオでは、ＤＬ  ＳＳビームとＰＲＡＣＨ構成との間のマッピング、例えば、時間／周波数スロット、および場合によってはプリアンブルパーティショニング、のおかげで、ＵＥは、所与のＤＬビーム、またはセル内の少なくともそれらのサブセット、のカバレッジ下にあってもよい。これにより、図３７に例解するように、ネットワークは、この最適なＤＬビームでＲＡＲを送信し、および／または、例えば可能なビームで同じＲＡＲメッセージを伝送しない（例えば、下図のように単一ビームでＲＡＲを伝送する）、より最適化されたビーム掃引プロシージャを実行する、ことが可能であってもよい。
【０２０４】
図３７は、マルチビームを使用するＲＡプロシージャの例を例解しており、ＵＥは、第２のＳＳブロックを検出し、それにより、第２のＳＳブロックに対応するＲＡＣＨリソース上でプリアンブルを伝送して、ｇＮＢに好ましいビームを通知する。ｇＮＢは、ＵＥが好むビームを使用してＲＡＲで応答する。
【０２０５】
例示的な、マルチビーム動作を使用した競合のないＲＡＣＨ
ＮＲは、ハンドオーバ、ＤＬデータ到着、セカンダリＴＡＧのタイミングアドバンス整合の位置決めおよび取得に対するＬＴＥでのように、プリアンブル伝送に対する専用のＲＡＣＨリソースを提供する方法で、競合のないシナリオをサポートすることができる。ハンドオーバの場合、ＵＥは、近隣セル内の１つ以上のＳＳブロックまたは他のＲＳ上で測定するように構成されてもよい。近隣セルのＳＳブロック測定値のうちの１つがハンドオーバ要求をトリガする場合、ソースｇＮＢは、ターゲットｇＮＢへのハンドオーバ要求で、好ましいビームインデックスを信号伝達することができる。次に、ターゲットｇＮＢは、ハンドオーバコマンドで、ビーム固有の専用ＲＡＣＨリソース（プリアンブルを含む）を提供することができる。一例では、ターゲットｇＮＢは、ハンドオーバコマンドで、専用のリソースのセット、例えば少なくとも１つのＳＳブロックに対するもの、を提供することができる。次に、ＵＥは、ターゲットセル内の好ましいＤＬビームに対応する専用プリアンブルを使用してＭｓｇ１を伝送することができる。
【０２０６】
一例では、セルは、マルチアンテナシステムを使用して、１つ以上のビームで動作することができる。ビームは、空間的な方向を有することができ、および／またはセルカバレッジエリアの一部をカバーすることができる。１つ以上のビーム空間領域の組み合わせは、セルカバレッジを形成することができる。一例では、同期信号を伝送する、および／または無線デバイスから信号を受信するビームは、所定の方法でセルカバレッジエリア上で掃引されてもよい。同期信号インデックス、同期信号スケジューリング情報、および／または同期信号シーケンス情報を使用して、掃引されたビームを識別することができる。掃引されたビームは、システム情報、マスタ情報、ＰＤＣＣＨ、ＰＲＡＣＨリソース、ランダムアクセスプリアンブル情報、同期信号、参照信号、および／または同等物、のうちの少なくとも１つを含む１つ以上の制御情報をブロードキャストすることができる。一例では、ビームは参照信号（例えば、ＣＳＩ−ＲＳ）を伝送することができる。ビームはまた、参照信号（例えば、ＣＳＩ−ＲＳ、ＤＭ−ＲＳなど）インデックス、参照信号スケジューリング情報、および／または参照信号シーケンス情報、によって識別されてもよい。
【０２０７】
一例では、ＤＬおよびＵＬ伝送／受信に使用され得るＴＲＰ（複数可）（伝送受信ポイント）および／またはＵＥビームのセットを取得および保持するために、１つ以上のビームがＬ１／Ｌ２プロシージャのセットを介して管理されてもよく、このことは、少なくとも次の、ビーム決定（ＴＲＰ（複数可）またはＵＥが自身のＴｘ／Ｒｘビーム（複数可）を選択する）、ビーム測定（ＴＲＰ（複数可）またはＵＥが受信されたビームフォーミングされた信号の特性を測定する）、ビーム報告（ＵＥがビーム測定に基づいて、ビームフォーミングされた信号（複数可）の情報を報告する）、および／またはビーム掃引（所定の方法で、ある時間間隔の間、ビームが伝送および／または受信される空間領域をカバーする動作）、という態様を含むことができる。
【０２０８】
一例では、以下は、ＴＲＰおよびＵＥでのＴｘ／Ｒｘビーム対応として定義され得る。ＴＲＰでのＴｘ／Ｒｘビーム対応は、次の、ＴＲＰが、ＴＲＰの１つ以上のＴｘビームに対するＵＥのダウンリンク測定に基づいて、アップリンク受信に対するＴＲＰ  Ｒｘビームを決定することが可能である場合がある、および／またはＴＲＰが、ＴＲＰの１つ以上のＲｘビームに対するＴＲＰのアップリンク測定に基づいてダウンリンク伝送に対するＴＲＰ  Ｔｘビームを決定することが可能である場合がある、のうちの少なくとも１つが満たされる場合に保たれる。ＵＥでのＴｘ／Ｒｘビーム対応は、次の、ＵＥが、ＵＥの１つ以上のＲｘビームに対するＵＥのダウンリンク測定に基づいて、アップリンク伝送に対するＵＥ  Ｔｘビームを決定することが可能である場合がある、ＵＥが、ＵＥの１つ以上のＴｘビームに対するアップリンク測定に基づくＴＲＰの表示に基づいて、ダウンリンク受信に対するＵＥ  Ｒｘビームを決定することが可能である場合がある、および／またはＴＲＰに対するＵＥビーム対応関連情報の機能表示がサポートされ得る、のうちの少なくとも１つが満たされる場合に保たれる。
【０２０９】
一例では、以下の、ＤＬ  Ｌ１／Ｌ２ビーム管理プロシージャ（例えば、Ｐ−１、Ｐ−２、Ｐ−３）が、１つ以上のＴＲＰ内でサポートされてもよい。Ｐ−１を使用して、異なるＴＲＰ  Ｔｘビームに対するＵＥ測定が、ＴＲＰ  Ｔｘビーム／ＵＥ  Ｒｘビーム（複数可）の選択をサポートできるようにし得る。ＴＲＰでのビームフォーミングでは、通常、異なるビームのセットからのＴＲＰ内／間Ｔｘビーム掃引を含むことができる。ＵＥでのビームフォーミングでは、異なるビームのセットからのＵＥ  Ｒｘビーム掃引を含むことができる。Ｐ−２を使用して、異なるＴＲＰ  Ｔｘビームに対するＵＥ測定が、場合によってはＴＲＰ間／内  Ｔｘビーム（複数可）を変更できるようにし得る。Ｐ−１の場合よりも、ビーム精細化のための、場合によってはより小さい、ビームのセットから。Ｐ−２は、Ｐ−１の特別な場合であってもよい。ＵＥがビームフォーミングを使用する場合、Ｐ−３を使用して、同じＴＲＰ  Ｔｘビームに対するＵＥ測定がＵＥ  Ｒｘビームを変更できるようにし得る。少なくともネットワークによってトリガされる非定期的ビーム報告は、Ｐ−１、Ｐ−２、およびＰ−３関連の動作下でサポートされてもよい。
【０２１０】
一例では、ビーム管理（少なくともＣＳＩ−ＲＳ）に対するＲＳに基づくＵＥ測定は、Ｋ個（＝構成されたビームの総数）のビームで構成されてもよく、および／またはＵＥは、Ｎ個の選択されたＴｘビームの測定結果を報告することができ、ここでＮは必ずしも固定された数でなくてもよい。モビリティを目的としたＲＳに基づくプロシージャは、排除されなくてもよい。報告情報は、少なくとも、Ｎ＜Ｋの場合に、Ｎ個のビーム（複数可）に対する測定量と、Ｎ個のＤＬ  Ｔｘビーム（複数可）を示す情報と、を含むことができる。具体的には、ＵＥがＫ’＞１個の非ゼロパワー（ＮＺＰ）ＣＳＩ−ＲＳリソースで構成されているとき、ＵＥはＮ’個のＣＲＩ（ＣＳＩ−ＲＳリソースインジケータ）を報告することができる。ＵＥは、ビーム管理のために、次の上位レイヤパラメータで構成されてもよい。Ｎ≧１個のレポート設定、Ｍ≧１個のリソース設定：報告設定とリソース設定との間のリンクは、合意されたＣＳＩ測定設定で構成されてもよく、ＣＳＩ−ＲＳベースのＰ−１およびＰ−２は、リソースおよび報告設定でサポートされてもよく、および／またはＰ−３は、報告設定の有無にかかわらずサポートされてもよい。少なくとも次のものを含む報告設定：選択されたビーム（複数可）を示す情報、Ｌ１測定報告、例えば非定期的、定期的、半永続的という時間領域の振る舞い、および／または複数の周波数粒度がサポートされる場合の周波数粒度。少なくとも次のものを含むリソース設定：例えば非定期的、定期的、半永続的という時間領域の振る舞い、例えば少なくともＮＺＰ  ＣＳＩ−ＲＳというＲＳタイプ、各ＣＳＩ−ＲＳリソースセットがＫ≧１個のＣＳＩ−ＲＳリソースを有する少なくとも１つのＣＳＩ−ＲＳリソースセット（Ｋ個のＣＳＩ−ＲＳリソースのいくつかのパラメータは、例えば、ポート番号、時間領域の振る舞い、もしあれば密度および定期性、が同じであり得る）。
【０２１１】
一例では、ビーム報告は、少なくとも以下の代替例１に基づいてサポートされてもよい。ＵＥは、選択されたＵＥ  Ｒｘビームセット（複数可）を使用して受信され得るＴＲＰ  Ｔｘビーム（複数可）に関する情報を報告することができ、この場合にＲｘビームセットは、ＤＬ信号の受信に使用され得るＵＥ  Ｒｘビームのセットを指し得る。それは、Ｒｘビームセットの構築方法に関するＵＥ実装の問題であり得る。一例は、ＵＥ  Ｒｘビームセット内のＲｘビームの各々が、各パネル内の選択されたＲｘビームに対応し得ることであってもよい。複数のＵＥ  Ｒｘビームセットを使用するＵＥの場合、ＵＥは、報告されたＴＸビーム（複数可）ごとに、ＴＲＰ  Ｔｘビーム（複数可）と、関連付けられたＵＥ  Ｒｘビームセットの識別子と、を報告することができる。同じＲｘビームセットに対して報告された異なるＴＲＰ  Ｔｘビームが、ＵＥで同時に受信されてもよい。異なるＵＥ  Ｒｘビームセットに対して報告された異なるＴＲＰ  ＴＸビームが、ＵＥで同時に受信されることが可能でない場合がある。
【０２１２】
一例では、ビーム報告は、少なくとも以下の代替例２に基づいてサポートされてもよい。ＵＥは、ＵＥアンテナグループごとのＴＲＰ  Ｔｘビーム（複数可）に関する情報を報告することができ、この場合にＵＥアンテナグループは、受信ＵＥアンテナパネルまたはサブアレイを指し得る。複数のＵＥアンテナグループを使用するＵＥの場合、ＵＥは、報告されたＴＸビームごとに、ＴＲＰ  Ｔｘビーム（複数可）と、関連付けられたＵＥアンテナグループの識別子と、を報告することができる。異なるアンテナグループに対して報告された異なるＴＸビームが、ＵＥで同時に受信されてもよい。同じＵＥアンテナグループに対して報告された異なるＴＸビームが、ＵＥで同時に受信されることが可能でなくてもよい。
【０２１３】
一例では、ＮＲは、Ｌ＞＝１であるＬ個のグループを考慮した以下のビーム報告をサポートすることができ、および／または各グループは、いずれの選択肢が採用され得るかに応じて、Ｒｘビームセット（代替例１）またはＵＥアンテナグループ（代替例２）を指し得る。グループＬに対して、ＵＥは、少なくとも次の情報、少なくともいくつかの場合に対するグループを示す情報、Ｌ１  ＲＳＲＰおよびＣＳＩレポート（ＣＳＩ−ＲＳがＣＳＩ取得に対するものであるとき）をサポートし得るＮ＿Ｌ個のビーム（複数可）に対する測定量、および／または該当する場合、Ｎ＿Ｌ個のＤＬ  Ｔｘビーム（複数可）を示す情報、を報告することができる。このグループベースのビーム報告は、ＵＥごとに構成可能であってもよい。このグループベースのビーム報告は、例えば、Ｌ＝１またはＮ＿Ｌ＝１の場合、ＵＥごとにオフされてもよい。ビーム報告がオフにされると、グループ識別子が報告されなくてもよい。
【０２１４】
一例では、ＮＲ（新無線）は、ＵＥがメカニズムをトリガしてビーム障害から回復することが可能であることをサポートすることができる。関連付けられた制御チャネルのビームペアリンク（複数可）の品質が十分に低下すると、ビーム障害イベントが発生する場合がある（例えば、閾値との比較、関連付けられたタイマのタイムアウト）。ビーム障害が発生すると、ビーム障害から回復するメカニズムがトリガされてもよい。ビームペアリンクは、便宜上使用されてもよく、仕様では使用されても使用されなくてもよい。ネットワークは、回復を目的とした信号のＵＬ伝送のためのリソースでＵＥに対して構成することができる。リソースの構成は、基地局がすべてまたは一部の方向、例えばランダムアクセス領域からリッスン中であり得る場合にサポートされてもよい。ビーム障害を報告するＵＬ伝送／リソースは、ＰＲＡＣＨ（ＰＲＡＣＨリソースに直交するリソース）と同じ時間インスタンスに、および／またはＰＲＡＣＨとは異なる時間インスタンス（ＵＥに対して構成可能）に配置されてもよい。ＵＥが、新しい潜在的なビームを識別するためにビームを監視できるようにするために、ＤＬ信号の伝送がサポートされてもよい。
【０２１５】
一例では、ＮＲは、ビーム関連の表示の有無にかかわらず、ビーム管理をサポートすることができる。ビーム関連の表示が提供されるとき、ＣＳＩ−ＲＳベースの測定に使用されるＵＥ側のビームフォーミング／受信プロシージャに関する情報は、ＱＣＬ（準コロケーション）を通じてＵＥに対して示されてもよい。ＮＲは、制御チャネル伝送および対応するデータチャネル伝送に対して同じまたは異なるビームの使用をサポートすることができる。
【０２１６】
一例では、ビームペアリンクブロッキングに対する堅牢性をサポートするＮＲ−ＰＤＣＣＨ伝送の場合、ＵＥは、Ｍ個のビームペアリンク上のＮＲ−ＰＤＣＣＨを同時に監視するように構成されてもよく、この場合にＭ≧１であって、Ｍの最大値は少なくともＵＥ機能に依存し得る。ＵＥは、異なるＮＲ−ＰＤＣＣＨ  ＯＦＤＭシンボルで、異なるビームペアリンク（複数可）上のＮＲ−ＰＤＣＣＨを監視するように構成されてもよい。複数のビームペアリンク上のＮＲ−ＰＤＣＣＨを監視するためのＵＥ  Ｒｘビーム設定に関連するパラメータは、上位レイヤ信号伝達またはＭＡＣ  ＣＥによって構成され、および／または検索空間設計で考慮されてもよい。少なくとも、ＮＲは、ＤＬ制御チャネルの復調のために、ＤＬ  ＲＳアンテナポート（複数可）とＤＬ  ＲＳアンテナポート（複数可）との間の空間ＱＣＬ仮定の表示をサポートすることができる。ＮＲ−ＰＤＣＣＨに対するビーム表示のための候補信号伝達方式（すなわち、ＮＲ−ＰＤＣＣＨを監視する構成方式）は、ＭＡＣ  ＣＥ信号伝達、ＲＲＣ信号伝達、ＤＣＩ信号伝達、仕様透過および／または暗黙的方式、およびこれらの信号伝達方式の組み合わせであってもよい。場合によっては、表示が必要でなくてもよい。
【０２１７】
一例では、ユニキャストＤＬデータチャネルの受信に対して、ＮＲは、ＤＬデータチャネルのＤＬ  ＲＳアンテナポート（複数可）とＤＭＲＳアンテナポート（複数可）との間の空間ＱＣＬ仮定の表示をサポートすることができる。ＲＳアンテナポート（複数可）を示す情報は、ＤＣＩ（ダウンリンク許可）を介して示されてもよい。この情報は、ＤＭＲＳアンテナポート（複数可）を使用してＱＣＬされ得るＲＳアンテナポート（複数可）を示すことができる。ＤＬデータチャネルに対するＤＭＲＳアンテナポート（複数可）の異なるセットは、ＲＳアンテナポート（複数可）の異なるセットを使用してＱＣＬとして示されてもよい。場合によっては、表示が必要でなくてもよい。
【０２１８】
一例では、ＣＵとＤＵとの間のＣＵ−ＤＵインターフェースが、Ｆ１インターフェースとして定義されてもよい。一例では、実際の展開では、高トランスポート遅延から低トランスポート遅延まで変化し得る性能を有するトランスポートネットワークが存在する場合がある。高トランスポート遅延のトランスポートネットワークの場合、上位レイヤ分割が適用可能であってもよい。低トランスポート遅延のトランスポートネットワークの場合、下位レイヤの分割も、適用可能であって、性能の向上（例えば、集中スケジューリング）を実現するために好ましい場合がある。それゆえ、好ましいオプションは、異なるタイプのトランスポートネットワーク間で異なってもよい（低トランスポート遅延のトランスポートネットワークに対する下位レイヤ分割から、高トランスポート遅延のトランスポートネットワークに対する上位レイヤ分割までにわたる）。さらに、下位レイヤ分割の議論の範囲内では、トランスポート帯域幅を低減する要求と、効率的なスケジューリングと高度な受信機とをサポートする要求と、の両方が存在する場合がある。
【０２１９】
一例では、ＬＴＥ＜−＞ＮＲインターワーキングは、デュアルコネクティビティと同様のメカニズムに基づいてもよい。このようなアプローチは、特定の機能分割を意味しなくてもよい。ＬＴＥ−ＮＲの緊密なインターワーキング要件によって推定され得る要件は、分割ベアラの場合、ＰＤＣＰ機能の集約を可能にする要件であってもよい。
【０２２０】
一例では、ＣＵ／ＤＵ機能分割の粒度に対するいくつかの可能なオプションは、ＣＵごと（各ＣＵは固定分割であり、ＤＵはこれに一致するように構成され得る）および／またはＤＵごと（各ＤＵは異なる分割で構成され得る。ＤＵ分割の選択は、エリア内の、特定のトポロジまたはバックホールサポートに依存し得る）であってもよい）。２つの場合について、ＣＵ／ＤＵが分割を決定する、または協調させる方法について１つの可能な方法は、構成によるものであってもよい。これに代えて、２つのユニット（ＣＵおよびＤＵ）の機能と、例えばバックホールトポロジに基づく、展開の優先順位と、を考慮して、分割がネゴシエートされてもよい。一例では、追加の分割粒度オプションは、次の、ＵＥごと（異なるＵＥは、異なるサービスレベルを有し、または異なるカテゴリに属してもよく、ＲＡＮによって異なる方法で最良にサービスされてもよく、例えば、低遅延の必要性がない低レートＩｏＴタイプＵＥは、必ずしもＲＦに近い上位レイヤ機能を必要としなくてもよい）、ベアラごと（異なるベアラは、異なる機能マッピングによって最良にサポートされ得る異なるＱＯＳ要件を有してもよい。例えば、ＱＣＩ＝１タイプのベアラは低遅延を必要としてもよいが、ＳＤＵエラーに敏感でなくてもよいのに対して、ｅＭＢＢは遅延に敏感でなくてもよいが、スループットおよびＳＤＵエラー率に関して困難な要件を有してもよい）、および／またはスライスごと（各スライスは少なくともいくつかの特有のＱＯＳ要件を有し得ることが想定され得る。ＲＡＮ内でスライスがいかに正確に実装されるかにかかわらず、各スライスに異なる機能マッピングが適し得る）であってもよい。
【０２２１】
ＣＵごとのオプションおよびＤＵごとのオプションは、ネットワークトポロジの柔軟性に関連する場合があり、サポートするのが簡単である場合がある。初期構成を処理するためにプロシージャが必要とされ得る（またはＯ＆Ｍに依存し得る）かどうかは、調査段階の間では議論されなくてもよい。ＤＵごとのオプションでは、１つのＣＵが異なるインターフェースで異なる分割レベルをサポートする必要があってもよく、このことは、ＣＵごとのオプションに該当しなくてよいことに留意されたい。さらに、粒度（ＵＥごと、ベアラごと、スライスごと）は、ＱｏＳおよび遅延要件に基づいた分析および正当化を必要とし得る。ＵＥごとのオプション、ベアラごとのオプション、およびスライスごとのオプションは、ＣＵ／ＤＵ間のインターフェースの特定のインスタンスがユーザプレーン上で複数の粒度レベルを同時にサポートする必要があり得ることを意味する場合があることに留意されたい。ベースラインは、ＣＵベースまたはＤＵベースであってもよい。より細かい粒度（例えば、ＵＥごと、ベアラごと、スライスごと）を有する必要がある場合、最初に正当化を明確にしてもよい。
【０２２２】
一例では、動的性は、プロトコル配信と、ＣＵとＤＵとの間のインターフェースと、を再構成する必要があり得ることを意味し得る。ＣＵ−ＤＵセットアッププロシージャ（Ｆ１インターフェースセットアッププロシージャ）で切り替えが発生した場合、動作中に分割オプションが変更されない場合があるため、インターフェース設計が大きく影響されない場合がある。動作中に切り替えが発生した場合、インターフェースの複雑さに影響が及ぶ場合がある。
【０２２３】
一例では、定義された機能分割のすべてが、複数のＤＵを制御するＣＵでのコールアドミッション制御およびロードバランシングのようなＲＲＭ機能を有することを必ずしも可能にしない可能性があり得る。このことは、干渉管理、ロードバランシング、およびコールアドミッション制御の協調のようなＲＲＭ機能のセル間協調の効率が向上する可能性を与え得る。ただし、ＣＵがＤＵの現在の環境の信頼できる正確な理解を有し得る場合にのみ、その効率が実現する可能性があり、これは、単なる無線条件を超えた問題を含み得るが、現在の処理機能を含む場合があり、または、無線またはメッシュバックホールの場合、現在の地上容量を決定する際に役立ち得る。
【０２２４】
一例では、機能分割オプション５、オプション６、オプション７およびオプション８により、ＣＵでのデータ伝送のスケジューリングが可能になり得る。集中管理されたスケジューリングは、特に（ＵＭＴＳでのソフトハンドオーバ、またはＬＴＥでのＣｏＭＰのような）複数のセルでの干渉管理および協調した伝送に、利益をもたらし得る。ただし、これは、ＣＡＣおよび他の集中ＲＲＭ機能よりも、ＣＵがＤＵ無線条件の状態をさらによく理解することを必要とし得る。また、それは、非常に低い遅延／ジッタトランスポートか、またはユーザプレーンデータのタイミングおよび受信の十分に厳密な協調の、いずれかを必要とし得る（１つの解決策は、ＵＭＴＳでのＵＰ上で使用されるウィンドウメカニズムであってもよい）が、これは特にＮＲでの低遅延のユースケースには困難であり得る。ＲＡＮ機能の集中化は、コストの削減、スケーラビリティの向上、干渉管理のためのより効率的なセル間協調、および超高密度展開でのモビリティの向上など、いくつかの利益の強い潜在性を有し得る。
【０２２５】
一例では、ＲＲＣ関連機能はＣＵに配置されてもよい。ｇＮＢとＵＥとの間のＲＲＣメッセージは、ＣＵとＤＵとの間のインターフェース（例えば、Ｆ１インターフェース）を通して転送されてもよい。ＲＲＣメッセージは、例えば堅牢性および遅延の点で、データトランスポートと比較してＣＵとＤＵとの間の差別化されたトランスポートを必要とする場合がある。
【０２２６】
一例では、Ｆ１−ＣおよびＦ１−Ｕは、それぞれＦ１インターフェースを介してＣプレーンおよびＵプレーンを提供することができる。このアーキテクチャでは、ＣＵおよびＤＵは以下のように定義され得る。集約基地局（ＣＵ）は、ＤＵに排他的に割り当てられた機能を除き、リストされているｇＮＢ機能のサブセットを含み得る論理ノードであり得る。ＣＵはＤＵの動作を制御することができる。分散基地局（ＤＵ）は、機能分割オプションに応じて、ｇＮＢ機能のサブセットを含み得る論理ノードであり得る。ＤＵの動作は、ＣＵによって制御され得る。
【０２２７】
一例では、ｇＮＢ−ＣＵおよび関連付けられたｇＮＢ−ＤＵ内のＦ１インターフェースを介してＵＥを一意に識別するために、ｇＮＢ−ＣＵ  ＵＥ  Ｆ１ＡＰ  ＩＤが割り当てられてもよい。ｇＮＢ−ＤＵは、ｇＮＢ−ＣＵ  ＵＥ  Ｆ１ＡＰ  ＩＤを受信すると、このＵＥに対するＵＥにより関連付けられた論理Ｆ１接続の持続時間の間、ｇＮＢ−ＣＵ  ＵＥ  Ｆ１ＡＰ  ＩＤを記憶することができる。ｇＮＢ−ＣＵ  ＵＥ  Ｆ１ＡＰ  ＩＤは、ｇＮＢ−ＣＵ論理ノードおよび関連付けられたｇＮＢ−ＤＵ論理ノード内で一意であってもよい。ＡＰ  ＩＤの定義は、ＤＵが複数のＣＵに接続されているかどうかの決定を保留している場合がある。ＵＥにより関連付けられた信号伝達は、１つのＵＥに対して関連付けられた１つ以上のＦ１ＡＰメッセージであってもよく、１つ以上のＦ１ＡＰメッセージは、ｇＮＢ−ＤＵおよびｇＮＢ−ＣＵでのＵＥへのメッセージの関連付けに、ＵＥにより関連付けられた論理Ｆ１接続を使用することができる。ＵＥにより関連付けられた論理Ｆ１接続は、アイデンティティｇＮＢ−ＣＵ  ＵＥ  Ｆ１ＡＰ  ＩＤを使用することができる。受信されたＵＥにより関連付けられたＦ１ＡＰメッセージに対して、ｇＮＢ−ＣＵおよびｇＮＢ−ＤＵは、ｇＮＢ−ＣＵ  ＵＥ  Ｆ１ＡＰ  ＩＤ  ＩＥに基づいて、関連付けられたＵＥを識別することができる。ＵＥにより関連付けられた論理Ｆ１接続は、ｇＮＢ−ＤＵでＦ１  ＵＥコンテキストがセットアップされる前に存在する場合がある。
【０２２８】
一例では、Ｆ１セットアッププロシージャの目的は、ｇＮＢ−ＤＵおよびｇＮＢ−ＣＵがＦ１インターフェース（すなわち、ＣＵ−ＤＵインターフェース）上で正しく相互運用性を有するために必要なアプリケーションレベルデータを交換することであってもよい。このプロシージャは、ＴＮＬ関連付けが動作可能になった可能性がある後にトリガされる最初のＦ１ＡＰプロシージャであってもよい。プロシージャは、ＵＥにより関連付けられていない信号伝達を使用することができる。このプロシージャは、２つのノード内の既存のアプリケーションレベルの構成データを消去することができ、それを受信されたものと置き換えることができ、ｇＮＢ−ＤＵでｇＮＢ−ＣＵの過負荷状態情報をクリアすることができる。ｇＮＢ−ＤＵおよびｇＮＢ−ＣＵがＵＥコンテキストの保持に同意しない場合、このプロシージャはＦ１ＡＰ  ＵＥ関連のコンテキストを再初期化することができ、リセットプロシージャであれば行うように、２つのノード内の関連する信号伝達接続を消去することができる。
【０２２９】
一例では、図２８、図２９、および／または図３０に示すように、ｇＮＢ−ＣＵ（例えば、ＣＵ、集約基地局）は、ビーム構成パラメータを構成することができる。
【０２３０】
例示的な実施形態では、集中型無線アクセスネットワーク（ＲＡＮ）エンティティ（集約基地局、ＣＵ、ｇＮＢ−ＣＵ）は、Ｆ１インターフェース（すなわち、ＣＵとＤＵとの間のインターフェース）を介して分散ＲＡＮエンティティ（分散基地局、ＤＵ、ｇＮＢ−ＤＵ）にビーム管理メッセージを伝送することができる。ビーム管理メッセージは、１つ以上のビームをアクティブ化するように、１つ以上のビームを非アクティブ化するように、および／または１つ以上のビームに対する１つ以上のビーム構成パラメータを修正するように、構成されてもよい。一例では、ビーム管理メッセージは、少なくとも、１つ以上のＤＵ、１つ以上の近隣基地局、および／または１つ以上の無線デバイスから受信された無線リソースステータスおよび／または干渉情報に基づいて、伝送されてもよい。ビーム管理メッセージを受信したＤＵは、少なくともビーム管理メッセージに基づいて、１つ以上のビームをアクティブ化／非アクティブ化し、および／または１つ以上のビームに対する１つ以上のビーム構成パラメータを修正することができる。
【０２３１】
一例では、第１のＤＵは、ＣＵから、１つ以上のビーム構成パラメータを含む第１のメッセージを受信することができる。第１のメッセージは、第１のＤＵとＣＵとの間のＦ１インターフェースを介して伝送されてもよい。第１のメッセージは、第１のビームを活性化する（例えば、構成する）こと、第２のビームを非アクティブ化する（例えば、解放する）こと、および／または第３のビームに対する１つ以上のビーム構成パラメータを修正すること、のうちの少なくとも１つをＤＵに要求するように構成されてもよい。第１のビーム、第２のビーム、および／または第３のビームは、第１のセルにサービスするものであってもよい。一例では、第１のビーム、第２のビーム、および／または第３のビームのタイプは、同期信号（ＳＳ）ビーム、セル固有のチャネル状態情報参照信号（ＣＳＩ−ＲＳ）ビーム、ＵＥ固有のＣＳＩ−ＲＳビーム、および／または同等物であってもよい。第１のメッセージは、第１のセルのセル識別子をさらに含むことができる。セル識別子は、グローバルセル識別子、物理セル識別子、第１のＤＵで少なくとも一意のセル識別子、および／または同等物であってもよい。
【０２３２】
一例では、１つ以上のビーム構成パラメータは、ビームインデックス、ビームスケジューリング情報、同期信号構成情報（例えば、ＳＳブロックスケジューリング情報）、参照信号構成情報（例えば、ＣＳＩ−ＲＳおよび／またはＤＭ−ＲＳスケジューリング情報）、ビーム識別子、および／または同等物、のうちの少なくとも１つを含むことができる。一例では、第１のメッセージの１つ以上の要素は、少なくとも、第１の無線デバイス、近隣基地局、および／または第２の分散型無線アクセスネットワークエンティティ、のうちの少なくとも１つから受信された情報に基づいて、決定されてもよい。
【０２３３】
一例では、第１のメッセージが、第１のＤＵに第１のビームをアクティブ化する（例えば、構成する）ように要求することである場合、第１のメッセージは、第１のビームをアクティブ化する（例えば、構成する）要求（例えば、構成パラメータ）を示すアクティブ化表示（例えば、構成表示）を含むことができる。一例では、アクティブ化表示（例えば、構成表示）は、１つ以上の無線デバイスからの１つ以上の第１の測定レポートに基づいてもよい。１つ以上の第１の測定レポートは、第１のセルおよび／または第１のセルの近隣セルのカバレッジエリアが過負荷である（輻輳している）こと、および／またはカバレッジエリア内の無線デバイスが低無線チャネル品質に遭遇していること、を示すことができる。アクティブ化されたビーム（例えば、構成されたビーム）の数を増加させることによって、第１のセルは、輻輳状況を解決することができ、第１のセルのエリア内のカバレッジホールを補償することができ、および／または第１のセルを介してサービスされる無線デバイスのチャネル品質を向上させることができる。
【０２３４】
一例では、第１のメッセージが、第１のＤＵに第２のビームを非アクティブ化する（例えば、解放する）ように要求することである場合、第１のメッセージは、第２のビームを非アクティブ化する（例えば、解放する）要求（例えば、解放構成パラメータ）を示す非アクティブ化表示（例えば、解放表示）を含むことができる。一例では、非アクティブ化表示（例えば、解放表示）は、１つ以上の無線デバイスからの１つ以上の第２の測定レポートに基づいてもよい。１つ以上の第２の測定レポートは、第２のセルおよび／または第２のセルの近隣セルのカバレッジエリアが低トラフィックであること、および／またはカバレッジエリア内の無線デバイスが高無線チャネル品質（例えば、ビームの数を減少させるのに十分に高い）に遭遇していること、を示すことができる。アクティブ化されたビーム（例えば、構成されたビーム）の数を減少させることによって、第２のセルは、動作の複雑さを低減することができ、第２のセルの近隣セルへの干渉を低減することができ、および／または無線リソースの使用量を増加させることができる（例えば、第２のセルは、掃引ビームの数を減少させることができるため）。
【０２３５】
一例では、第１のメッセージが、第３のビームに対する１つ以上のビーム構成パラメータを修正することである場合、第１のメッセージは、第３のビームの１つ以上のビーム構成パラメータを修正する要求を示す修正表示を含むことができる。一例では、修正表示は、１つ以上の無線デバイスからの１つ以上の第３の測定レポートに基づいてもよい。１つ以上の第３の測定レポートは、第３のセルおよび／または第３のセルの近隣セルのカバレッジエリアが、過負荷である（輻輳している）、および／または低トラフィックであること、および／またはカバレッジエリア内の無線デバイスが低または高無線チャネル品質に遭遇していること、を示すことができる。第３のセルに対する１つ以上のビーム構成パラメータを修正することによって、第３のセルは、無線デバイスおよび／またはシステム性能に対するサービス品質を制御することができる。一例では、１つ以上のビーム構成パラメータは、ビームステアリング方向、伝送電力、ビーム掃引スケジューリング（例えば、定期性、掃引タイミング、第３のセルの他のビームと比較した第３のビームのビームサービング持続時間、掃引期間における第３のビームのビーム活性化の回数）、を含むことができる。例えば、第３のビームのビームサービング持続時間および／または第３のビームのビーム活性化の回数を増加させることによって、第３のビームのエリアのトラフィック容量が増加し得る。
【０２３６】
一例では、１つ以上のビーム構成パラメータは、第１のビーム、第２のビーム、および／または第３のビームに関連付けられたランダムアクセス（ＲＡ）構成（例えば、使用されるＲＡプリアンブルインデックス、ＲＡリソース構成情報、および／または同等物）を含むことができる。
【０２３７】
一例では、ＣＵは、第１の無線デバイス、近隣基地局、第２のＤＵ（例えば、第２のＤＵは第１のＤＵであってもよい）、コアネットワークエンティティ、および／または、運用および管理（ＯＡＭ）、のうちの少なくとも１つからＣＵが受信した第３のメッセージに基づいて、第１のメッセージの１つ以上の要素を決定することができる。第３のメッセージは、１つ以上のセルの１つ以上のビームのリソースステータス情報（例えば、無線リソースステータス、ハードウェアオーバヘッド情報、および／または同等物）、１つ以上のセルのリソースステータス情報、１つ以上のセルの１つ以上のビームの負荷ステータス情報（例えば、サービング無線デバイスの数、無線リソース制御非アクティブ状態の無線デバイスの数、ランダムアクセスリソース利用情報、および／または同等物）、１つ以上のセルの負荷ステータス情報、１つ以上のビームのアップリンク受信干渉情報、１つ以上のセルのアップリンク受信干渉情報、１つ以上のビームのダウンリンク受信干渉情報、１つ以上のセルのダウンリンク受信干渉情報、アップリンク／ダウンリンク受信信号品質（例えば、受信信号電力および／または干渉）、および／または同等物、を含むことができる。
【０２３８】
一例では、第１のＤＵは、ＣＵに、第１のメッセージに応答して第２のメッセージを伝送することができる。第２のメッセージは、Ｆ１インターフェースを介して伝送されてもよい。第２のメッセージは、第１のメッセージの１つ以上のビーム構成パラメータの１つ以上の要素の肯定応答を示すように構成されてもよい。一例では、第２のメッセージは、第１のＤＵが第１のセルの第１のビームをアクティブ化することを示す受諾表示、第１のＤＵが第１のビームをアクティブ化しないことを示す拒否表示、第１のＤＵが第１のセルの第２のビームを非アクティブ化することを示す受諾表示、第１のＤＵが第２のビームを非アクティブ化しないことを示す拒否表示、第１のＤＵが第１のセルの第３のビームに対する１つ以上のビーム構成パラメータを修正することを示す受諾表示、第１のＤＵが第３のビームに対する１つ以上のビーム構成パラメータを修正しないことを示す拒否表示、および／または同等物、のうちの少なくとも１つをさらに含むことができる。
【０２３９】
一例では、第１のＤＵは、少なくとも第１のメッセージの１つ以上のビーム構成パラメータに基づいて、第１のセルのビームを構成することができる。第１のＤＵは、第１のセルに対する第１のビームをアクティブ化する（例えば、構成する）ことができ、第１のセルに対する第２のビームを非アクティブ化する（例えば、解放する）ことができ、第１のセルに対する第３のビームの１つ以上のビーム構成パラメータのうちの少なくとも１つの構成パラメータを修正することができ、および／または同等物を構成することができる。第２のメッセージは、少なくとも、第１のメッセージの受信に応答して、第１のＤＵの構成に基づいて決定されてもよい。一例では、第１のＤＵは、複数の無線デバイスに無線インターフェースを介して（例えば、システム情報、１つ以上のシステム情報ブロック、システム情報ブロックタイプ１、マスタ情報、マスタ情報ブロック、ＵＥ専用メッセージ、ＵＥ専用ＲＲＣメッセージ、および／または同等物）、少なくとも、第１のメッセージの受信に応答して第１のＤＵの構成に基づいて、更新されたビーム情報を伝送することができる。ビーム情報は、第１のメッセージに応答してアクティブ化された（例えば、構成された）第１のビーム、第１のメッセージに応答して修正された第３のビーム、および／または同等物、の構成パラメータを含むことができる。構成パラメータは、ＳＳブロック情報（例えば、スケジューリング、タイミング、リソースブロック、定期性、頻度、および／または同等の情報）、ＣＳＩ−ＲＳブロック情報（例えば、スケジューリング、タイミング、リソースブロック、定期性、頻度、および／または同等の情報）を含むことができる。一例では、第１のＤＵは、１つ以上のシステム情報ブロック（例えば、システム情報ブロックタイプ１、システム情報、マスタ情報ブロック）を、ＣＵを介して無線デバイスに伝送することができる。
【０２４０】
一例では、ＣＵは、無線デバイスに、第２のメッセージおよび／または第１のメッセージに基づいて第４のメッセージを伝送することができる。第４のメッセージは、無線リソース制御（ＲＲＣ）メッセージであってもよい。第４のメッセージの１つ以上の要素は、第１のメッセージおよび／または第２のメッセージの１つ以上の要素に基づいて決定されてもよい。第４のメッセージは、第１のセルのセル構成情報を含むことができる。第４のメッセージは、第１のセルの１つ以上のビームに対するＲＡ構成パラメータを含むことができる。第４のメッセージは、第１のセルの１つ以上のビーム構成パラメータを含むことができる。第４のメッセージは、測定される、アクセスされる、監視される、使用される、および／または無線デバイスによる使用の候補として記憶される、１つ以上のビームリストを含むことができる。
【０２４１】
一例では、図２８、図２９、および／または図３０に示すように、ｇＮＢ−ＤＵ（例えば、ＤＵ、分散基地局）は、ビーム構成パラメータを構成することができる。
【０２４２】
一例では、ＤＵは、ビーム構成（例えば、ビームアクティブ化（例えば構成）、ビーム非アクティブ化（例えば、解放）、および／またはビーム構成修正）を管理し、および／またはビーム構成情報をＣＵに伝送することができる。ＣＵは、無線デバイスに、少なくとも、ビーム構成情報の１つ以上の要素に基づいて決定された１つ以上の無線構成パラメータ（例えば、システム情報ブロック、ＲＲＣメッセージ、および／または同等物）を伝送することができる。一例では、ＤＵによって管理されるビーム構成は、少なくとも、ＣＵによって提供される、近隣ＤＵおよび／または近隣基地局の無線リソースステータス情報および／または干渉情報に基づいて、決定されてもよい。
【０２４３】
一例では、第１のＤＵは、ＣＵに、１つ以上のビーム構成パラメータを含むセル構成メッセージ（例えば、システム情報ブロック、ＲＲＣメッセージ）を伝送することができる。セル構成メッセージは、第１のＤＵとＣＵとの間のＦ１インターフェースを介して伝送されてもよい。セル構成メッセージは、第１のビームのアクティブ化（例えば、構成）、第２のビームの非アクティブ化（例えば、解放）、および／または第３のビームに対する１つ以上のビーム構成パラメータの修正、のうちの少なくとも１つをＣＵに通知するように構成されてもよい。第１のビーム、第２のビーム、および／または第３のビームは、第１のセルにサービスするものであってもよい。一例では、第１のビーム、第２のビーム、および／または第３のビームのタイプは、同期信号（ＳＳ）ビーム、セル固有のチャネル状態情報参照信号（ＣＳＩ−ＲＳ）ビーム、ＵＥ固有のＣＳＩ−ＲＳビーム、および／または同等物であってもよい。セル構成メッセージは、第１のセルのセル識別子をさらに含むことができる。セル識別子は、グローバルセル識別子、物理セル識別子、第１のＤＵで少なくとも一意のセル識別子、および／または同等物であってもよい。
【０２４４】
一例では、１つ以上のビーム構成パラメータは、ビームインデックス、ビームスケジューリング情報、同期信号構成情報（例えば、ＳＳブロックスケジューリング情報）、参照信号構成情報（例えば、ＣＳＩ−ＲＳおよび／またはＤＭ−ＲＳスケジューリング情報）、ビーム識別子、および／または同等物、のうちの少なくとも１つを含むことができる。一例では、セル構成メッセージの１つ以上の要素は、少なくとも、第１の無線デバイス、近隣基地局、および／または第２の分散型無線アクセスネットワークエンティティのうちの少なくとも１つから受信された情報に基づいて、決定されてもよい。一例では、セル構成メッセージの１つ以上の要素は、少なくとも、第１のセルの１つ以上のビームに関連付けられたビーム構成更新に基づいて、決定されてもよい。１つ以上のビームは、第１のＤＵによってアクティブ化、非アクティブ化、および／または修正されてもよい。
【０２４５】
一例では、セル構成メッセージが、第１のＤＵが第１のビームをアクティブ化する（例えば、構成する）ことを通知するものである場合、セル構成メッセージは、第１のビームのアクティブ化を示すアクティブ化表示を含むことができる。一例では、アクティブ化（例えば、構成）は、１つ以上の無線デバイスおよび／またはＣＵからの１つ以上の第１の測定レポートに基づいてもよい。１つ以上の第１の測定レポートは、第１のセルおよび／または第１のセルの近隣セルのカバレッジエリアが過負荷である（輻輳している）こと、および／またはカバレッジエリア内の無線デバイスが低無線チャネル品質に遭遇していることを示すことができる。第１のセルは、アクティブ化されたビームの数を増加させることによって、輻輳状況を解決することができ、第１のセルのエリア内のカバレッジホールを補償することができ、および／または第１のセルを介してサービスされる無線デバイスのチャネル品質を高めることができる。
【０２４６】
一例では、セル構成メッセージが、第１のＤＵが第２のビームを非アクティブ化する（例えば、解放する）ことを通知するものである場合、セル構成メッセージは、第２のビームの非アクティブ化を示す非アクティブ化（例えば、解放）表示を含むことができる。一例では、非アクティブ化は、１つ以上の無線デバイスおよび／またはＣＵからの１つ以上の第２の測定レポートに基づいてもよい。１つ以上の第２の測定レポートは、第２のセルおよび／または第２のセルの近隣セルのカバレッジエリアが低トラフィックであること、および／またはカバレッジエリア内の無線デバイスが高無線チャネル品質（例えば、ビームの数を減少させるのに十分に高い）に遭遇していることを示すことができる。第２のセルは、アクティブ化されたビームの数を減少させることによって、動作の複雑さを低減することができ、第２のセルの近隣セルへの干渉を低減することができ、および／または無線リソースの使用量を増加させることができる（例えば、第２のセルは、掃引ビームの数を減少させることができるため）。
【０２４７】
一例では、セル構成メッセージが第３のビームに対する１つ以上のビーム構成パラメータの修正を通知するものである場合、セル構成メッセージは、第３のビームの１つ以上のビーム構成パラメータの修正を示す修正表示を含むことができる。一例では、修正は、１つ以上の無線デバイスおよび／またはＣＵからの１つ以上の第３の測定レポートに基づいてもよい。１つ以上の第３の測定レポートは、第３のセルおよび／または第３のセルの近隣セルのカバレッジエリアが過負荷である（輻輳している）、および／または低トラフィックであること、および／またはカバレッジエリア内の無線デバイスが低または高無線チャネル品質に遭遇していることを示すことができる。第３のセルは、第３のセルの１つ以上のビーム構成パラメータを修正することによって、無線デバイスおよび／またはシステム性能のサービス品質を制御することができる。一例では、１つ以上のビーム構成パラメータは、ビームステアリング方向、伝送電力、ビーム掃引スケジューリング（例えば、定期性、掃引タイミング、第３のセルの他のビームと比較した第３のビームのビームサービング持続時間、掃引期間における第３のビームのビームアクティブ化の回数）を含むことができる。例えば、第３のビームのビームサービング持続時間および／または第３のビームのビーム活性化の回数を増加させることによって、第３のビームのエリアのトラフィック容量が増加し得る。
【０２４８】
一例では、１つ以上のビーム構成パラメータは、第１のビーム、第２のビーム、および／または第３のビームに関連付けられたランダムアクセス（ＲＡ）構成（例えば、使用されるＲＡプリアンブルインデックス、ＲＡリソース構成情報、および／または同等物）を含むことができる。
【０２４９】
一例では、第１のＤＵは、少なくとも、第１のＤＵが第１の無線デバイス、ＣＵ、近隣基地局、および／または運用および管理（ＯＡＭ）、のうちの少なくとも１つから受信したステータス情報メッセージに基づいて、第１のセル、および／またはセル構成メッセージの１つ以上の要素に対するビーム構成を決定することができる。ステータス情報メッセージは、１つ以上のセルの１つ以上のビームのリソースステータス情報（例えば、無線リソースステータス、ハードウェアオーバヘッド情報、および／または同等物）、１つ以上のセルのリソースステータス情報、１つ以上のセルの１つ以上のビームの負荷ステータス情報（例えば、サービング無線デバイスの数、無線リソース制御非アクティブ状態の無線デバイスの数、ランダムアクセスリソース利用情報、および／または同等物）、１つ以上のセルの負荷ステータス情報、１つ以上のビームのアップリンク受信干渉情報、１つ以上のセルのアップリンク受信干渉情報、１つ以上のビームのダウンリンク受信干渉情報、１つ以上のセルのダウンリンク受信干渉情報、アップリンク／ダウンリンク受信信号品質（例えば、受信信号電力および／または干渉）、および／または同等物、を含むことができる。
【０２５０】
一例では、ＣＵは、第１のＤＵに、セル構成メッセージに応答してセル構成応答メッセージを伝送することができる。セル構成応答メッセージは、Ｆ１インターフェースを介して伝送されてもよい。セル構成応答メッセージは、セル構成メッセージの１つ以上のビーム構成パラメータの１つ以上の要素の肯定応答を示すように構成されてもよい。一例では、セル構成応答メッセージは、第１のビームのアクティブ化、第２のビームの非アクティブ化、第３のビームに対する１つ以上のビーム構成パラメータの修正および／または同等物、に対する肯定応答表示のうちの少なくとも１つを含むことができる。
【０２５１】
一例では、第１のＤＵは、少なくとも第１のセルのビーム構成更新に基づいて、セル構成メッセージの１つ以上のビーム構成パラメータを構成することができる。第１のＤＵは、第１のセルに対する第１のビームをアクティブ化することができ、第１のセルに対する第２のビームを非アクティブ化することができ、第１のセルに対する第３のビームの１つ以上のビーム構成パラメータのうちの少なくとも１つの構成パラメータを修正することができ、および／または同等物を構成することができる。一例では、第１のＤＵは、複数の無線デバイスに無線インターフェース（例えば、システム情報、マスタ情報、ＵＥ専用メッセージ、および／または同等物）を介して、少なくとも第１のＤＵのビーム構成更新に基づいて更新されたビーム情報を伝送することができる。ビーム情報は、セル構成メッセージに応答してアクティブ化される第１のビーム、セル構成メッセージに応答して修正される第３のビーム、および／または同等物、の構成パラメータを含むことができる。構成パラメータは、ＳＳブロック情報（例えば、スケジューリング、タイミング、リソースブロック、定期性、頻度、および／または同等の情報）、ＣＳＩ−ＲＳブロック情報（例えば、スケジューリング、タイミング、リソースブロック、定期性、頻度、および／または同等の情報）を含むことができる。
【０２５２】
一例では、ＣＵは、無線デバイスに、セル構成メッセージおよび／またはセル構成応答メッセージに基づいて無線リソース構成メッセージを伝送することができる。無線リソース構成メッセージは、無線リソース制御（ＲＲＣ）メッセージであってもよい。無線リソース構成メッセージの１つ以上の要素は、セル構成メッセージおよび／またはセル構成応答メッセージの１つ以上の要素に基づいて決定されてもよい。無線リソース構成メッセージは、第１のセルのセル構成情報を含むことができる。無線リソース構成メッセージは、第１のセルの１つ以上のビームに対するＲＡ構成パラメータを含むことができる。無線リソース構成メッセージは、第１のセルの１つ以上のビーム構成パラメータを含むことができる。無線リソース構成メッセージは、測定される、アクセスされる、監視される、使用される、および／または無線デバイスによる使用の候補として記憶される、１つ以上のビームリストを含むことができる。
【０２５３】
一例では、第１の分散ＲＡＮエンティティは、集約ＲＡＮエンティティから、第１の分散ＲＡＮエンティティのサービングセルに関連付けられた１つ以上のビーム構成パラメータを含む第１のメッセージを受信することができ、第１のメッセージは、第１のビームをアクティブ化すること、第２のビームを非アクティブ化すること、および／または第３のビームの構成を修正すること、のうちの少なくとも１つを要求するように構成されてもよい。第１の分散ＲＡＮエンティティは、集約ＲＡＮエンティティに、第１のメッセージに応答して第２のメッセージを伝送することができ、第２のメッセージは、第１のメッセージの要求を受諾すること、および／または第１のメッセージの要求を拒否すること、のうちの少なくとも１つを示す表示を含むことができる。一例では、第１の分散ＲＡＮエンティティは、少なくとも１つ以上のビーム構成パラメータに基づいて、ビーム構成を構成することができる。第１の分散ＲＡＮエンティティは、複数の無線デバイスに、少なくとも１つ以上のビーム構成パラメータに基づいて決定され得るビーム情報を伝送することができる。
【０２５４】
一例では、集中型無線アクセスネットワークエンティティは、少なくとも、第１の無線デバイス、近隣基地局、および／または第２の分散ＲＡＮエンティティ、のうちの少なくとも１つから受信された第３のメッセージに基づいて、第１メッセージの１つ以上の要素を決定することができる。第３のメッセージは、１つ以上のセルの１つ以上のビームのリソースステータス情報、１つ以上のセルのリソースステータス情報、１つ以上のセルの１つ以上のビームの負荷ステータス情報（例えば、サービング無線デバイスの数、無線リソース制御非アクティブ状態の無線デバイスの数、ランダムアクセスリソース利用情報、および／または同等物）、１つ以上のセルの負荷ステータス情報、１つ以上のビームのアップリンク受信干渉情報、１つ以上のセルのアップリンク受信干渉情報、１つ以上のビームのダウンリンク受信干渉情報、１つ以上のセルのダウンリンク受信干渉情報、のうちの少なくとも１つを含むことができる。
【０２５５】
一例では、第２の分散ＲＡＮエンティティは、第１の分散ＲＡＮエンティティであってもよい。集約ＲＡＮエンティティは、無線デバイスに、少なくとも第２のメッセージに基づいて、１つ以上の無線リソース制御構成パラメータを含む第４のメッセージを伝送することができる。一例では、一つ以上のビーム構成パラメータは、ビームインデックス、ビームスケジューリング情報、ビーム伝送電力、ビームステアリング方向、および／または同等物、のうちの少なくとも一つを含むことができる。
【０２５６】
一例では、第１の分散ＲＡＮエンティティは、集約ＲＡＮエンティティに、１つの以上のビーム構成パラメータを含むセル構成メッセージを伝送することができ、セル構成メッセージは、第１のビームのアクティブ化、第２のビームの非アクティブ化、および／または第３のビームの構成修正、のうちの少なくとも１つを示すことができる。第１の分散ＲＡＮエンティティは、集約ＲＡＮエンティティから、セル構成メッセージの１つ以上の要素に肯定応答する第２のメッセージを受信することができる。第１の分散ＲＡＮエンティティは、複数の無線デバイスに、１つ以上のビーム構成パラメータの１つ以上の要素に関連付けられたビーム情報を伝送することができる。
【０２５７】
様々な実施形態によれば、例えば、無線デバイス、基地局、基地局集約装置、基地局分散装置、コアネットワークエンティティ、および／または同等物などのデバイスは、１つ以上のプロセッサおよびメモリを含むことができる。メモリは、１つ以上のプロセッサによって実行されると、デバイスに一連の動作を実行させる命令を格納し得る。例示的な動作の実施形態は、添付の図面および明細書に例解されている。様々な実施形態からの特徴を組み合わせてさらに別の実施形態を作り出すことができる。
【０２５８】
図３８は、本開示の実施形態の態様に基づく、例示的な流れ図である。３８１０で、基地局集約装置は、基地局分散装置に第１のメッセージを伝送し得る。第１のメッセージは、無線デバイスの第１の構成パラメータを含むことができる。３８２０で、基地局集約装置は、基地局分散装置から第２のメッセージを受信し得る。第２のメッセージは、第１のメッセージの肯定応答を含むことができる。第２のメッセージは、第１の構成パラメータに基づいた第２の構成パラメータを含むことができる。３８３０で、基地局集約装置は、基地局分散装置を介して無線デバイスに第３のメッセージを伝送し得る。第３のメッセージは、第２の構成パラメータを含むことができる。３８４０で、基地局集約装置は、基地局分散装置を介して無線デバイスから第４のメッセージを受信し得る。第４のメッセージは、第２の構成パラメータのうちの少なくとも１つを確定することができる。３８５０で、基地局集約装置は、基地局分散装置に第５のメッセージを伝送し得る。第５のメッセージは、無線デバイスが第２の構成パラメータに基づいて再構成プロシージャを正常に実行したことを示すことができる。
【０２５９】
一実施形態によれば、第２の構成パラメータは、セカンダリセルのセカンダリセル追加表示を含む。一実施形態によれば、第２の構成パラメータは、セカンダリセルのセカンダリセル修正表示を含むことができる。一実施形態によれば、第２の構成パラメータは、セカンダリセルのセカンダリセル解放表示を含むことができる。一実施形態によれば、第２の構成パラメータは、セルの定期的リソースの定期的リソーススケジューリング情報を含むことができる。一実施形態によれば、第２の構成パラメータは、伝送電力構成パラメータを含むことができる。一実施形態によれば、第２の構成パラメータは、サイドリンク構成パラメータを含むことができる。一実施形態によれば、第２の構成パラメータは、ランダムアクセス構成パラメータを含むことができる。
【０２６０】
一実施形態によれば、第２の構成パラメータは、セルの定期的リソースの定期的リソーススケジューリング情報を含むことができる。定期的リソーススケジューリング情報は、定期性構成パラメータを含むことができる。定期的リソーススケジューリング情報は、周波数構成パラメータを含むことができる。定期的リソーススケジューリング情報は、ニューメロロジー表示パラメータを含むことができる。
【０２６１】
一実施形態によれば、第２の構成パラメータは、ランダムアクセス構成パラメータを含むことができる。ランダムアクセス構成パラメータは、プリアンブルインデックスを含むことができる。ランダムアクセス構成パラメータは、ランダムアクセスリソース情報を含むことができる。
【０２６２】
一実施形態によれば、基地局分散装置は、無線デバイスに、第５のメッセージに基づいて、伝送することができ、媒体アクセス制御制御要素は、定期的リソースのアクティブ化を示すことができる。一実施形態によれば、基地局分散装置は、無線デバイスに、第５のメッセージに基づいて、伝送することができ、物理ダウンリンク制御チャネルオーダーは、セカンダリセルに対するランダムアクセス開始コマンドを示すことができる。一実施形態によれば、基地局分散装置は、無線デバイスに、第５のメッセージに基づいて、伝送することができ、媒体アクセス制御制御要素は、セカンダリセルのアクティブ化または非アクティブ化を示すことができる。
【０２６３】
一実施形態によれば、第５のメッセージの受信に応答して、基地局分散装置ベースが、無線デバイスの第２の構成パラメータに基づいて構成されてもよい。一実施形態によれば、第２の構成パラメータは、第１の構成パラメータのうちの少なくとも１つの肯定応答を示すことができる。一実施形態によれば、無線デバイスは、第２の構成パラメータのうちの１つ以上を拒否することができる。一実施形態によれば、第２の構成パラメータは、無線デバイスの第１のセルに対するものであってもよい。一実施形態によれば、第２のメッセージおよび第５のメッセージは、第５のメッセージの再構成プロシージャが第２の構成パラメータに対するものであることを示す無線リソース制御構成インデックスを含むことができる。一実施形態によれば、第１のメッセージ、第２のメッセージ、および第５のメッセージは、Ｆ１インターフェースを介して伝送されてもよい。一実施形態によれば、第３のメッセージおよび第４のメッセージは、無線リソース制御メッセージを含むことができる。一実施形態によれば、基地局は、基地局集約装置および基地局分散装置を含むことができる。一実施形態によれば、基地局集約装置は、無線デバイスに対する無線リソース制御機能を含むことができる。
【０２６４】
一実施形態によれば、基地局分散装置は、無線デバイスに対する媒体アクセス制御レイヤ機能を含むことができる。一実施形態によれば、基地局分散装置は、無線デバイスに対する物理レイヤ機能を含むことができる。一実施形態によれば、基地局集約装置は、無線デバイスに、基地局分散装置を介して１つ以上の第１のパケットを伝送することができる。一実施形態によれば、基地局集約装置は、無線デバイスから、基地局分散装置を介して１つ以上の第２のパケットを受信することができる。一実施形態によれば、第３のメッセージは、無線リソース制御再構成メッセージを含むことができる。一実施形態によれば、第４のメッセージは、無線リソース制御再構成完了メッセージを含むことができる。
【０２６５】
図３９は、本開示の実施形態の態様に基づく、例示的な流れ図である。３９１０で、基地局集約装置は、基地局分散装置に第１のメッセージを伝送し得る。第１のメッセージは、無線デバイスの第１の構成パラメータを含むことができる。３９２０で、基地局集約装置は、基地局分散装置から第２のメッセージを受信し得る。第２のメッセージは、第１のメッセージの肯定応答を含むことができる。第２のメッセージは、第１の構成パラメータに基づく第２の構成パラメータを含むことができる。３９３０で、基地局集約装置は、無線デバイスに、基地局分散装置を介して、第３のメッセージを伝送し得る。第３のメッセージは、第２の構成パラメータを含むことができる。３９４０で、基地局集約装置は、無線デバイスから、基地局分散装置を介して、第４のメッセージを受信し得る。第４のメッセージは、第２の構成パラメータのうちの少なくとも１つの再構成プロシージャのステータスを報告することができる。３９５０で、基地局集約装置は、基地局分散装置に第５のメッセージを伝送し得る。第５のメッセージは、無線デバイスが第２の構成パラメータに基づいて再構成プロシージャを正常に実行したことを示すことができる。
【０２６６】
一実施形態によれば、基地局分散装置は、無線デバイスに、第５のメッセージに基づいて、媒体アクセス制御制御要素を伝送することができる。媒体アクセス制御制御要素は、定期的リソースのアクティブ化を示すことができる。第２の構成パラメータは、定期的リソースの定期的リソーススケジューリング情報を含むことができる。一実施形態によれば、基地局分散装置は、無線デバイスに、第５のメッセージに基づいて、物理ダウンリンク制御チャネルオーダーを伝送することができる。物理ダウンリンク制御チャネルオーダーは、セカンダリセルに対するランダムアクセス開始コマンドを示すことができる。第２の構成パラメータは、セカンダリセルのセカンダリセル追加表示を含むことができる。第２の構成パラメータは、セカンダリセルのセカンダリセル修正表示を含むことができる。
【０２６７】
一実施形態によれば、基地局分散装置は、無線デバイスに、第５のメッセージに基づいて、媒体アクセス制御制御要素を伝送することができる。媒体アクセス制御制御要素は、セカンダリセルのアクティブ化または非アクティブ化を示すことができる。第２の構成パラメータは、セカンダリセルのセカンダリセル追加表示、またはセカンダリセルのセカンダリセル修正表示、のうちの少なくとも１つを含むことができる。
【０２６８】
図４０は、本開示の実施形態の態様に基づく、例示的な流れ図である。４０１０で、基地局分散装置は、基地局集約装置から第１のメッセージを受信し得る。第１のメッセージは、無線デバイスに対する第１のセルの無線リソース構成パラメータを含むことができる。４０２０で、基地局分散装置は、第１のメッセージに応答して基地局集約装置に第２のメッセージを伝送し得る。第２のメッセージは、無線リソース構成パラメータの肯定応答を示すことができる。４０３０で、基地局分散装置は、無線デバイスに、基地局集約装置から受信された第３のメッセージを転送し得る。第３のメッセージは、無線リソース構成パラメータに基づく無線リソース制御構成パラメータを含むことができる。４０４０で、基地局分散装置は、基地局集約装置に、無線デバイスから受信された第４のメッセージを転送し得る。第４のメッセージは、無線リソース制御構成パラメータを確定することができる。４０５０で、基地局分散装置は、基地局集約装置から第５のメッセージを受信し得る。第５のメッセージは、無線デバイスが無線リソース構成パラメータに基づいて再構成プロシージャを実行したことを示すことができる。４０６０で、基地局分散装置は、第５のメッセージの受信に応答して、無線デバイスに対する無線リソース構成パラメータに基づいて基地局分散装置を構成し得る。
【０２６９】
図４１は、本開示の実施形態の態様に基づく、例示的な流れ図である。４１１０で、基地局集約装置は、基地局分散装置に第１のメッセージを伝送し得る。第１のメッセージは、無線デバイスに対する第１の構成パラメータを含むことができる。４１２０で、基地局集約装置は、基地局分散装置から第２のメッセージを受信し得る。第２のメッセージは、第１のメッセージの肯定応答を示すことができる。第２のメッセージは、第１の構成パラメータに基づいて決定された第２の構成パラメータを含むことができる。４１３０で、基地局集約装置は、無線デバイスに、基地局分散装置を介して、第３のメッセージを伝送し得る。第３のメッセージは、第２の構成パラメータを含むことができる。４１４０で、基地局分散装置は、無線デバイスへの第３のメッセージの転送に応答して、構成タイマを始動させ得る。４１５０で、基地局集約装置は、無線デバイスから、基地局分散装置を介して、第４のメッセージを受信し得る。第４のメッセージは、第２の構成パラメータの１つ以上の要素を確定することができる。４１６０で、基地局分散装置は、構成タイマの満了に応答して、無線デバイスが第２の構成パラメータに基づいて再構成プロシージャを正常に実行したとみなし得る。
【０２７０】
図４２は、本開示の一実施形態の一局面による例示的な流れ図である。４２１０で、基地局集約装置は、基地局分散装置に第１のメッセージを伝送し得る。第１のメッセージは、無線デバイスに対する第１の構成パラメータを含むことができる。４２２０で、基地局集約装置は、基地局分散装置から第２のメッセージを受信し得る。第２のメッセージは、第１のメッセージの肯定応答を示すことができる。第２のメッセージは、第１の構成パラメータに基づいて決定された第２の構成パラメータを含むことができる。４２３０で、基地局集約装置は、無線デバイスに、基地局分散装置を介して、第３のメッセージを伝送し得る。第３のメッセージは、第２の構成パラメータを含むことができる。４２４０で、基地局集約装置は、無線デバイスから、基地局分散装置を介して、第４のメッセージを受信し得る。第４のメッセージは、第２の構成パラメータの１つ以上の要素を確定することができる。４２５０で、基地局分散装置は、無線デバイスから第５のメッセージを受信し得る。第５のメッセージは、無線デバイスが第２の構成パラメータに基づいて再構成プロシージャを正常に実行したことを示すことができる。一実施形態によれば、第５のメッセージは、媒体アクセス制御レイヤメッセージ、または物理レイヤ表示、のうちの少なくとも１つを介して伝送されてもよい。
【０２７１】
図４３は、本開示の一実施形態の一局面による例示的な流れ図である。４３１０で、基地局分散装置は、基地局集約装置に第１のメッセージを伝送し得る。第１のメッセージは、第１のセルの１つ以上のビーム構成パラメータを含むことができる。１つ以上のビーム構成パラメータは、第１のビームを識別する第１のビームインデックスを含むことができる。１つ以上のビーム構成パラメータは、第１のビームの第１のビームスケジューリング情報を含むことができる。４３２０で、基地局分散装置は、基地局集約装置から第２のメッセージを受信し得る。第２のメッセージは、第１のメッセージの肯定応答を示すことができる。４３３０で、基地局分散装置は、複数の無線デバイスにシステム情報ブロックを伝送し得る。システム情報ブロックは、第１のセルの１つ以上のビーム構成パラメータを含むことができる。４３４０で、基地局分散装置は、第１のビームを介して複数の無線デバイスに同期信号を伝送し得る。
【０２７２】
一実施形態によれば、第１のビームスケジューリング情報は、同期信号の定期性を含むことができる。一実施形態によれば、第１のビームスケジューリング情報は、同期信号の周波数を含むことができる。一実施形態によれば、第１のビームスケジューリング情報は、チャネル状態情報参照信号の定期性を含むことができる。一実施形態によれば、第１のビームスケジューリング情報は、チャネル状態情報参照信号の周波数を含むことができる。一実施形態によれば、基地局分散装置は、複数の無線デバイスに伝送することができ、システム情報ブロックは基地局集約装置を介する。一実施形態によれば、基地局集約装置は無線デバイスに伝送することができ、無線リソース制御メッセージは１つ以上のビーム構成パラメータを含むことができる。
【０２７３】
図４４は、本開示の一実施形態の一局面による例示的な流れ図である。４４１０で、第１の分散型無線アクセスネットワークエンティティは、集中型無線アクセスネットワークエンティティから第１のメッセージを受信し得る。第１のメッセージは、第１の分散型無線アクセスネットワークエンティティのサービングセルに対する１つ以上のビーム構成パラメータを含むことができる。第１のメッセージは、第１のビームのアクティブ化、第２のビームの非アクティブ化、および第３のビームの構成の修正、のうちの少なくとも１つを要求するように構成されてもよい。４４２０で、第１の分散型無線アクセスネットワークエンティティは、集中型無線アクセスネットワークエンティティに、第１のメッセージに応答して、第２のメッセージを伝送し得る。第２のメッセージは、第１のメッセージの要求の受諾、および第１のメッセージの要求の拒否、のうちの少なくとも１つを示すことができる。４４３０で、第１の分散型無線アクセスネットワークエンティティは、１つ以上のビーム構成パラメータに基づいてビーム構成を構成し得る。４４４０で、第１の分散型無線アクセスネットワークエンティティは、複数の無線デバイスにビーム情報を伝送し得る。ビーム情報は、１つ以上のビーム構成パラメータに基づいて決定されてもよい。
【０２７４】
一実施形態によれば、第３のメッセージは、第１の無線デバイスから集中型無線アクセスネットワークエンティティによって受信されてもよい。一実施形態によれば、第３のメッセージは、近隣の基地局から集中型無線アクセスネットワークエンティティによって受信されてもよい。一実施形態によれば、第３のメッセージは、第１の分散型無線アクセスネットワークエンティティから集中型無線アクセスネットワークエンティティによって受信されてもよい。一実施形態によれば、第３のメッセージは、第２の分散型無線アクセスネットワークエンティティから集中型無線アクセスネットワークエンティティによって受信されてもよい。
【０２７５】
一実施形態によれば、第３のメッセージは、１つ以上のセルの１つ以上のビームのリソースステータス情報を含むことができる。一実施形態によれば、第３のメッセージは、１つ以上のセルのリソースステータス情報を含むことができる。一実施形態によれば、第３のメッセージは、１つ以上のセルの１つ以上のビームの負荷ステータス情報（例えば、多数のサービング無線デバイス、多数の無線リソース制御非アクティブ状態無線デバイス、ランダムアクセスリソース利用情報、および／または同等物）を含むことができる。一実施形態によれば、第３のメッセージは、１つ以上のセルの負荷ステータス情報を含むことができる。一実施形態によれば、第３のメッセージは、１つ以上のビームのアップリンク受信干渉情報を含むことができる。一実施形態によれば、第３のメッセージは、１つ以上のセルのアップリンク受信干渉情報を含むことができる。一実施形態によれば、第３のメッセージは、１つ以上のビームのダウンリンク受信干渉情報を含むことができる。一実施形態によれば、第３のメッセージは、１つ以上のセルのダウンリンク受信干渉情報を含むことができる。
【０２７６】
一実施形態によれば、集中型無線アクセスネットワークエンティティは、第３のメッセージに基づいて第１のメッセージの１つ以上の要素を決定することができる。一実施形態によれば、第３のメッセージは、第１の分散型無線アクセスネットワークエンティティから集中型無線アクセスネットワークエンティティによって受信されてもよい。一実施形態によれば、集中型無線アクセスネットワークエンティティは、無線デバイスに、第２のメッセージに基づく１つ以上の無線リソース制御構成パラメータを含む第４のメッセージを伝送することができる。
【０２７７】
一実施形態によれば、１つ以上のビーム構成パラメータは、ビームインデックスを示す。一実施形態によれば、１つ以上のビーム構成パラメータは、ビームスケジューリング情報を示す。一実施形態によれば、１つ以上のビーム構成パラメータは、ビーム伝送電力を示す。一実施形態によれば、１つ以上のビーム構成パラメータは、ビームステアリング方向を示す。
【０２７８】
図４５は、本開示の一実施形態の一局面による例示的な流れ図である。４５１０で、基地局集約装置は、基地局分散装置を介して無線デバイスに第１のメッセージを伝送し得る。第１のメッセージは、無線デバイスの構成パラメータを含むことができる。４５２０で、基地局集約装置は、基地局分散装置を介して無線デバイスから第２のメッセージを受信し得る。第２のメッセージは、構成パラメータのうちの少なくとも１つを確定することができる。４５３０で、基地局集約装置は、基地局分散装置に第３のメッセージを伝送し得る。第３のメッセージは、無線デバイスが構成パラメータに基づいて再構成プロシージャを正常に実行したことを示すことができる。
【０２７９】
図４６は、本開示の一実施形態の一局面による例示的な流れ図である。４６１０で、基地局分散装置は、無線デバイスの第１のセルに対する第１のアップリンクタイミングアドバンス値が、無線デバイスの第２のセルに対する第２のアップリンクタイミングアドバンス値とは異なると判定し得る。第１のセルおよび第２のセルは、第１のタイミングアドバンスグループに属することができる。４６２０で、基地局分散装置は、判定に応答して基地局集約装置に第１のメッセージを伝送し得る。第１のメッセージは、１つ以上の情報要素を含むことができる。１つ以上の情報要素は、無線デバイスに対するタイミングアドバンスグループ構成の再構成を示すことができる。４６３０で、基地局分散装置は、基地局集約装置から、無線デバイスに対する再構成に基づいて無線リソース制御メッセージを受信し得る。
【０２８０】
一実施形態によれば、無線リソース制御メッセージは、第１のタイミングアドバンスグループが第１のセルを含み得ることを示すことができる。一実施形態によれば、無線リソース制御メッセージは、第２のタイミングアドバンスグループが第２のセルを含み得ることを示すことができる。一実施形態によれば、基地局集約装置は、第１のメッセージに基づいて、第２のセルに対する第２のタイミングアドバンスグループを作成することができる。一実施形態によれば、基地局分散装置は、無線デバイスから、第１のセルを介して少なくとも１つの第１の参照信号を、および第２のセルを介して少なくとも１つの第２の参照信号を受信することができる。判定は、少なくとも１つの第１の参照信号、および少なくとも１つの第２の参照信号に基づいてもよい。
【０２８１】
一実施形態によれば、少なくとも１つの第１の参照信号は、サウンディング参照信号を含むことができる。一実施形態によれば、少なくとも１つの第１の参照信号は、ランダムアクセスプリアンブルを含むことができる。一実施形態によれば、少なくとも１つの第２の参照信号は、サウンディング参照信号を含むことができる。一実施形態によれば、少なくとも１つの第２の参照信号は、ランダムアクセスプリアンブルを含むことができる。一実施形態によれば、基地局分散装置は、基地局集約装置に伝送することができ、構成情報は、第１のタイミングアドバンスグループが第１のセルおよび第２のセルを含み得ることを示すことができる。一実施形態によれば、基地局分散装置は、基地局集約装置から、第２の無線リソース制御メッセージを受信することができる。第２の無線リソース制御メッセージは、構成情報を含むことができる。一実施形態によれば、基地局分散装置は、無線デバイスに、第２の無線リソース制御メッセージを伝送することができる。
【０２８２】
一実施形態によれば、基地局分散装置は、無線デバイスに無線リソース制御メッセージを伝送することができる。一実施形態によれば、基地局分散装置は、無線デバイスに、第１のセルの第１のタイミングアドバンスグループ、または第２のセルの第２のタイミングアドバンスグループ、の少なくとも１つに対するタイミングアドバンスコマンドを伝送することができる。一実施形態によれば、タイミングアドバンスコマンドは、媒体アクセス制御制御要素を介して伝送される。一実施形態によれば、第２のセルは、複数の伝送および受信ポイントによってサービスされる。一実施形態によれば、第１のメッセージは、第１のアップリンクタイミングアドバンス値が第２のアップリンクタイミングアドバンス値とは異なるか、または第１のセルよび第２のセルが無線デバイスに対する異なるタイミングアドバンスグループに属する必要があるか、の少なくとも１つを示す。
【０２８３】
一実施形態によれば、第１のメッセージは、第１のアップリンクタイミングアドバンス値、第２のアップリンクタイミングアドバンス値、のうちの少なくとも１つを含むことができるか、または差分値が、第１のアップリンクタイミングアドバンス値と第２のアップリンクタイミングアドバンス値との間の差の量を示すことができる。一実施形態によれば、第１のアップリンクタイミングアドバンス値は、第１のセルのアップリンク時間整合のために調整される時間の量を示す。一実施形態によれば、第２のアップリンクタイミングアドバンス値は、第２のセルのアップリンク時間整合のために調整される時間の量を示すことができる。一実施形態によれば、第１のメッセージは、無線デバイスの識別子をさらに含むことができる。一実施形態によれば、基地局分散装置は、基地局集約装置から、第１のメッセージに応答して第２のメッセージを受信することができる。第２のメッセージは、１つ以上の情報要素の肯定応答を示すことができる。
【０２８４】
一実施形態によれば、第１のメッセージおよび無線リソース制御メッセージは、基地局分散装置と基地局集約装置との間のＦ１インターフェースを介して伝送されてもよい。一実施形態によれば、基地局集約装置は、無線デバイスに対する無線リソース制御機能を含むことができる。一実施形態によれば、基地局分散装置は、無線デバイスに対する媒体アクセス制御レイヤ機能、または無線デバイスに対する物理レイヤ機能、のうちの少なくとも１つを含むことができる。一実施形態によれば、基地局分散装置は、基地局集約装置に、構成パラメータを伝送することができる。構成パラメータは、第１のセルが第１の伝送および受信ポイントによってサービスされること、または第２のセルが、第１の伝送および受信ポイント、第２の伝送および／または受信ポイントによってサービスされること、のうちの少なくとも１つを示すことができる。一実施形態によれば、基地局分散装置は、無線リソース制御メッセージを復号することができる。
【０２８５】
図４７は、本開示の一実施形態の一局面による例示的な流れ図である。４７１０で、基地局分散装置は、無線デバイスから、第１のセルを介して少なくとも１つの第１の参照信号を、および第２のセルを介して少なくとも１つの第２の参照信号を受信することができる。第１のセルおよび第２のセルは、第１のタイミングアドバンスグループに属するように構成されてもよい。４７２０で、基地局分散装置は、少なくとも１つの第１の参照信号および少なくとも１つの第２の参照信号に基づいて、第１のセルに対する無線デバイスの第１のアップリンク時間整合値が、第２のセルに対する無線デバイスの第２のアップリンクタイミングアドバンス値とは異なると判定し得る。４７３０で、基地局分散装置は、基地局集約装置に第１のメッセージを伝送することができる。第１のメッセージは、第１のアップリンクタイミングアドバンス値が第２のアップリンクタイミングアドバンス値、第１のアップリンクタイミングアドバンス値、および第２のアップリンクタイミングアドバンス値とは異なること、差分値が、第１のアップリンクタイミングアドバンス値と第２のアップリンクタイミングアドバンス値との間の差の量を示し得ること、または第１のセルまたは第２のセルのうちの少なくとも１つに対するタイミングアドバンスグループ再構成要求、のうちの少なくとも１つを含むことができる。
【０２８６】
一実施形態によれば、基地局分散装置は、基地局集約装置から、第１のメッセージに応答して第２のメッセージを受信することができる。第２のメッセージは、第１のメッセージの１つ以上の要素に対する肯定応答を示すことができる。一実施形態によれば、基地局集約装置は、第１のメッセージに基づいて、第２のセルを、第２のタイミングアドバンスグループに属するように構成することができる。一実施形態によれば、基地局集約装置は、基地局分散装置を介して無線デバイスに伝送することができ、第２のメッセージは、第２のセルが第２のタイミングアドバンスグループに属することを示すことができ、第２のメッセージは、第２のタイミングアドバンスグループのタイミングアドバンスグループ識別子を含むことができる。
【０２８７】
一実施形態によれば、基地局分散装置は、第２のメッセージを復号することができる。基地局分散装置は、無線デバイスに、タイミングアドバンスグループ識別子とともに、第２のセルに対するタイミングアドバンスコマンドを伝送することができる。一実施形態によれば、基地局分散装置は、基地局集約装置から第３のメッセージを受信することができる。第３のメッセージは、第２のセルが第２のタイミングアドバンスグループに属することを示すことができる。第３のメッセージは、タイミングアドバンスグループ識別子を含むことができる。一実施形態によれば、基地局分散装置は、無線デバイスに、第２のセルに対するタイミングアドバンスグループ識別子とともにタイミングアドバンスコマンドを伝送することができる。
【０２８８】
図４８は、本開示の一実施形態の一局面による例示的な流れ図である。４８１０で、基地局集約装置は、ネットワークエンティティからタイミングアドバンス相関情報を受信し得る。タイミングアドバンス相関情報は、１つ以上のセルの１つ以上のセル識別子を含むことができる。１つ以上のセルは、第１の伝送および受信ポイントによってサービスされてもよい。４８２０で、基地局集約装置は、１つ以上のセルが第１の伝送および受信ポイントによってサービスされることに応答して、１つ以上のセルを、無線デバイスに対する第１のタイミングアドバンスグループに属するように構成し得る。４８３０で、基地局集約装置は、基地局分散装置を介して無線デバイスに無線リソース制御構成情報を伝送し得る。無線リソース制御構成情報は、１つ以上のセルが第１のタイミングアドバンスグループに属することを示すことができる。
【０２８９】
図４９は、本開示の一実施形態の一局面による例示的な流れ図である。４９１０で、基地局集約装置は、ネットワークエンティティからタイミングアドバンス相関情報を受信し得る。タイミングアドバンス相関情報は、少なくとも１つのタイミングアドバンス相関グループの少なくとも１つの識別子を含むことができる。タイミングアドバンス相関情報は、少なくとも１つのタイミングアドバンス相関グループのうちの１つへとグループ化されたセルのリストを含むことができる。セルのリストは、アップリンクタイミングアドバンス値を含むことができる。４９２０において、基地局集約装置は、１つ以上のセルがセルのリストにあることに応答して、１つ以上のセルを、無線デバイスに対する第１のタイミングアドバンスグループに属するように構成し得る。４９３０で、基地局集約装置は、基地局分散装置を介して無線デバイスに無線リソース制御構成情報を伝送し得る。無線リソース制御構成情報は、１つ以上のセルのうちの第１のセルが第１のタイミングアドバンスグループに属することを示すことができる。
【０２９０】
一実施形態によれば、ネットワークエンティティは、基地局分散装置、または運用および保守エンティティ、のうちの少なくとも１つを含むことができる。一実施形態によれば、無線リソース制御構成情報は、第１のセルのセル識別子、および第１のタイミングアドバンスグループのタイミングアドバンスグループ識別子を含むことができる。一実施形態によれば、基地局分散装置は、無線リソース制御構成情報を復号することができる。一実施形態によれば、基地局分散装置は、第１のセルに対するタイミングアドバンスコマンド、および第１のタイミングアドバンスグループのタイミングアドバンスグループ識別子を無線デバイスに伝送することができる。一実施形態によれば、基地局分散装置は、基地局集約装置から受信することができ、第１のメッセージは、第１のセルが第１のタイミングアドバンスグループに属することを示すことができ、第１のメッセージは、第１のタイミングアドバンスグループの識別子を含むことができる。一実施形態によれば、基地局分散装置は、無線デバイスに、第１のセルのタイミングアドバンスコマンド、および第１のタイミングアドバンスグループのタイミングアドバンスグループ識別子を伝送することができる。
【０２９１】
図５０は、本開示の一実施形態の一局面による例示的な流れ図である。５０１０で、基地局分散装置は、無線デバイスに、タイミングアドバンスグループに対するタイミングアドバンスコマンドを伝送し得る。５０２０で、基地局分散装置は、タイミングアドバンスコマンドの伝送に応答して、無線デバイスのタイミングアドバンスグループに対する時間整合タイマを始動させ得る。５０３０で、基地局分散装置は、時間整合タイマの満了を判定し得る。５０４０で、基地局分散装置は、基地局集約装置に第１のメッセージを伝送し得る。第１のメッセージは、無線デバイスのタイミングアドバンスグループに対する時間整合タイマの満了を示すことができる。
【０２９２】
一実施形態によれば、タイミングアドバンスグループは、１つ以上のセルを含むことができる。一実施形態によれば、時間整合タイマの満了の判定に応答して、基地局分散装置は、タイミングアドバンスグループの１つ以上のセルに対するハイブリッド自動反復要求アップリンクリソース構成を解放することができる。一実施形態によれば、時間整合タイマの満了の判定に応答して、基地局分散装置は、タイミングアドバンスグループの１つ以上のセルに対する物理アップリンク制御チャネル構成を解放することができる。一実施形態によれば、時間整合タイマの満了の判定に応答して、基地局分散装置は、タイミングアドバンスグループの１つ以上のセルに対するサウンディング参照信号構成を解放することができる。一実施形態によれば、時間整合タイマの満了の判定に応答して、基地局分散装置は、タイミングアドバンスグループの１つ以上のセルに対する構成されたダウンリンク割り当てをクリアすることができる。一実施形態によれば、時間整合タイマの満了の判定に応答して、基地局分散装置は、タイミングアドバンスグループの１つ以上のセルに対するアップリンクリソース許可をクリアすることができる。一実施形態によれば、時間整合タイマの満了の判定に応答して、基地局分散装置は、タイミングアドバンスグループがプライマリタイミングアドバンスグループであることに応答して、タイミングアドバンスグループに対する作動している時間整合タイマが満了したと判定することができる。
【０２９３】
一実施形態によれば、時間整合タイマの満了に応答して、基地局分散装置は、タイミングアドバンスグループの１つ以上のセルに対してデフォルトの物理チャネル構成を適用することができる。デフォルトの物理チャネル構成は、チャネル品質情報レポート構成のうちの少なくとも１つを含むことができる。デフォルトの物理チャネル構成は、アップリンクリソーススケジューリング要求構成を含むことができる。デフォルトの物理チャネル構成は、専用のアップリンクサウンディング参照信号構成を含むことができる。
【０２９４】
一実施形態によれば、基地局集約装置は、第１のメッセージの受信に応答して、タイミングアドバンスグループの１つ以上のセルに対してデフォルトの物理チャネル構成を適用することができる。デフォルトの物理チャネル構成は、チャネル品質情報レポート構成を含むことができる。デフォルトの物理チャネル構成は、アップリンクリソーススケジューリング要求構成を含むことができる。デフォルトの物理チャネル構成は、専用のアップリンクサウンディング参照信号構成を含むことができる。
【０２９５】
一実施形態によれば、基地局分散装置は、第１のメッセージに基づいて第２のメッセージを受信することができ、第２のメッセージは、無線デバイスに対する無線デバイスコンテキスト解放要求を示すことができる。一実施形態によれば、基地局分散装置は、第２のメッセージの受信に応答して、無線デバイスの無線デバイスコンテキストを解放することができる。無線デバイスコンテキストは、１つ以上のデータ無線ベアラを含むことができる。無線デバイスコンテキストは、１つ以上の論理チャネルを含むことができる。無線デバイスコンテキストは、１つ以上のセキュリティ構成パラメータを含むことができる。無線デバイスコンテキストは、無線デバイスに関連付けられた１つ以上の情報を含むことができる。一実施形態によれば、基地局集約装置は、タイミングアドバンスグループがプライマリタイミングアドバンスグループであることに応答して、第２のメッセージを伝送することができる。
【０２９６】
一実施形態によれば、基地局分散装置は、時間整合タイマの満了に基づいて、無線デバイスの無線デバイスコンテキストを解放することができる。無線デバイスコンテキストは、１つ以上のデータ無線ベアラを含むことができる。無線デバイスコンテキストは、１つ以上の論理チャネルを含むことができる。無線デバイスコンテキストは、１つ以上のセキュリティ構成パラメータを含むことができる。無線デバイスコンテキストは、無線デバイスに関連付けられた１つ以上の情報を含むことができる。
【０２９７】
一実施形態によれば、基地局集約装置は、コアネットワークエンティティに、第１のメッセージに基づいて、第３のメッセージを伝送することができる。第３のメッセージは、基地局集約装置とコアネットワークエンティティとの間の、無線デバイスに対するインターフェース接続の解放を示すことができる。一実施形態によれば、基地局集約装置は、タイミングアドバンスグループがプライマリタイミングアドバンスグループであることに応答して、第３のメッセージを伝送することができる。一実施形態によれば、コアネットワークエンティティは、アクセスおよびモビリティ管理機能を含むことができる。一実施形態によれば、コアネットワークエンティティは、モビリティ管理機能を含むことができる。
【０２９８】
一実施形態によれば、基地局集約装置によって、第１のメッセージに基づいて、無線デバイスの無線デバイスコンテキストを解放することをさらに含むことができる。無線デバイスコンテキストは、１つ以上のデータ無線ベアラを含むことができる。無線デバイスコンテキストは、１つ以上の論理チャネルを含むことができる。無線デバイスコンテキストは、１つ以上のセキュリティ構成パラメータを含むことができる。無線デバイスコンテキストは、無線デバイスに関連付けられた１つ以上の情報を含むことができる。
【０２９９】
一実施形態によれば、基地局集約装置は、第１のメッセージの受信に応答して、タイミングアドバンスグループの１つ以上のセルに対するハイブリッド自動反復要求アップリンクリソース構成を解放することができる。一実施形態によれば、基地局集約装置は、第１のメッセージの受信に応答して、タイミングアドバンスグループの１つ以上のセルに対する物理アップリンク制御チャネル構成を解放することができる。一実施形態によれば、基地局集約装置は、第１のメッセージの受信に応答して、タイミングアドバンスグループの１つ以上のセルに対するサウンディング参照信号構成を解放することができる。一実施形態によれば、基地局集約装置は、第１のメッセージの受信に応答して、タイミングアドバンスグループの１つ以上のセルに対する構成されたダウンリンク割り当てをクリアすることができる。一実施形態によれば、基地局集約装置は、第１のメッセージの受信に応答して、タイミングアドバンスグループの１つ以上のセルに対するアップリンクリソース許可をクリアすることができる。一実施形態によれば、基地局集約装置は、第１のメッセージの受信に応答して、タイミングアドバンスグループがプライマリタイミングアドバンスグループであることに応答して、タイミングアドバンスグループに対する作動している時間整合タイマが満了したと判定することができる。
【０３００】
一実施形態によれば、基地局集約装置は、無線デバイスに対する無線リソース制御機能を含むことができる。一実施形態によれば、基地局分散装置は、無線デバイスに対する媒体アクセス制御レイヤ機能を含むことができる。一実施形態によれば、基地局分散装置は、無線デバイスに対する物理レイヤ機能を含むことができる。
【０３０１】
一実施形態によれば、第１のメッセージの伝送は、Ｆ１インターフェースを介してもよい。一実施形態によれば、タイミングアドバンスコマンドの伝送は、媒体アクセス制御制御要素を介してもよい。一実施形態によれば、時間整合タイマは、基地局集約装置によって構成されてもよい。一実施形態によれば、時間整合タイマは、基地局分散装置によって構成されてもよい。一実施形態によれば、基地局は、基地局集約装置および基地局分散装置を含むことができる。一実施形態によれば、基地局集約装置は、無線デバイスに、基地局分散装置を介して時間整合タイマを伝送することができる。一実施形態によれば、第１のメッセージは、無線デバイスの識別子をさらに含むことができる。一実施形態によれば、第１のメッセージは、タイミングアドバンスグループの１つ以上のセルの１つ以上のセル識別子をさらに含むことができる。一実施形態によれば、第１のメッセージは、タイミングアドバンスグループのタイミングアドバンスグループ識別子をさらに含むことができる。
【０３０２】
図５１は、本開示の一実施形態の一局面による例示的な流れ図である。５１１０で、基地局分散装置は、無線デバイスに、タイミングアドバンスグループに対するタイミングアドバンスコマンドを伝送し得る。５１２０で、始動は、基地局分散装置によって、タイミングアドバンスコマンドの伝送に応答して、無線デバイスのタイミングアドバンスグループに対する時間整合タイマを始動させ得る。５１３０で、基地局分散装置は、時間整合タイマの満了を判定し得る。５１４０で、基地局分散装置は、満了に応答して基地局集約装置に第１のメッセージを伝送し得る。第１のメッセージは、タイミングアドバンスグループの１つ以上のセルに対する無線デバイスの物理アップリンク制御チャネル構成を解放する要求を示すことができる。第１のメッセージは、１つ以上のセルに対する無線デバイスのサウンディング参照信号構成を解放する要求を示すことができる。
【０３０３】
実施形態は、必要に応じて、動作するように構成することができる。開示されたメカニズムは、例えば、無線デバイス、基地局、無線環境、ネットワーク、その上記の組み合わせ、および／または同様のものにおいて、特定の判定基準が満たされたときに実行することができる。例示的な判定基準は、例えば、無線デバイスまたはネットワークノード構成、トラフィック負荷、初期システム設定、パケットサイズ、トラフィック特性、それらの組み合わせ、および／または同様のものに少なくとも部分的に基づくことができる。これらの１つ以上の基準が満たされている場合に、種々の例示的な実施形態を実施することができる。したがって、本開示のプロトコルを選択的に実行する例示的な実施形態を実施することが可能であり得る。
【０３０４】
基地局は、混在した無線デバイスと通信することができる。無線デバイスおよび／または基地局は、複数の技術、および／またはその同じ技術の複数の公開をサポートすることができる。無線デバイスは、無線デバイスのカテゴリおよび／または能力（複数可）に応じて、いくつかの特定の能力（複数可）を有することができる。基地局は、複数のセクタを含むことができる。本開示が複数の無線デバイスと通信する基地局に言及する際、本開示は、カバレッジ領域内のすべての無線デバイスのサブセットに言及し得る。本開示は、例えば、所与の能力を有し、かつ基地局の所与のセクタ内にある、所与のＬＴＥまたは５Ｇリリースの複数の無線デバイスに言及し得る。本開示における複数の無線デバイスは、選択された複数の無線デバイス、および／または開示される方法に従って機能する、カバレッジ領域内のすべての無線デバイスのうちのサブセット、および／または同様のものを対象とすることができる。本開示の方法とは適合しない場合があるカバレッジエリア内に複数の基地局または複数の無線デバイスが存在し得るが、それは、例えば、そうした無線デバイスまたは基地局が、より古い公開のＬＴＥまたは５Ｇ技術に基づいて実施されているからである。
【０３０５】
本開示において、「ａ」および「ａｎ」ならびに同様の成句は、「少なくとも１つ」および「１つ以上」と解釈されるべきである。同様に、接尾語「（ｓ）」で終わる任意の用語も、「少なくとも１つ」および「１つ以上」と解釈されるべきである。本開示において、用語「ｍａｙ」は、「場合があり、例えば」と解釈されるべきである。換言すれば、用語「ｍａｙ」は、用語「ｍａｙ」の後に続く成句が、様々な実施形態のうちの１つ以上に用いられるかもしれない、または用いられないかもしれないという多数の好適な可能性のうちの１つの例であることを暗示している。
【０３０６】
ＡおよびＢが集合であり、かつＡの各要素がＢの要素でもあるならば、Ａは、Ｂの部分集合と呼ばれる。本明細書では、空でない集合および部分集合のみが考慮されている。例えば、Ｂ＝｛セル１、セル２｝の可能な部分集合は、｛セル１｝、｛セル２｝、および｛セル１、セル２｝である。成句「に基づいて」（または、同様に「少なくともに基づいて」）は、用語「に基づいて」の後に続く成句が、様々な実施形態のうちの１つ以上に使用されるかもしれない、または、されないかもしれないという多数の好適な可能性のうちの１つの例であることを暗示している。成句「に応答して」（または、同様に「少なくとも、に応答して」）は、用語「に応答して」の後に続く成句が、様々な実施形態のうちの１つ以上に使用されるかもしれない、または、されないかもしれないという多数の好適な可能性のうちの１つの例であることを暗示している。成句「に応じて」（または、同様に「少なくとも、に応じて」）は、用語「に応じて」の後に続く成句が、様々な実施形態のうちの１つ以上に使用されるかもしれない、または、されないかもしれないという多数の好適な可能性のうちの１つの例であることを暗示している。成句「採用する／使用する」（または、同様に「少なくとも、採用する／使用する」）は、用語「採用する／使用する」の後に続く成句が、様々な実施形態のうちの１つ以上に使用されるかもしれない、または、されないかもしれないという多数の好適な可能性のうちの１つの例であることを暗示している。
【０３０７】
構成されるという用語は、デバイスが動作状態または非動作状態にあるかどうかに関わらず、デバイスの能力と関連し得る。構成されるとは、また、そのデバイスが動作状態または非動作状態にあるかどうかにかかわらず、そのデバイスの動作特性に影響を及ぼすデバイス内の特定の設定を指し得る。換言すれば、ハードウェア、ソフトウェア、ファームウェア、レジスタ、メモリ値、および／または同様のものは、そのデバイスが動作状態にあろうが、または非動作状態にあろうが、デバイス内部に「構成され」、特定の特性を有するデバイスを提供する。「デバイス内で生じる制御メッセージ」などの用語は、そのデバイスが動作状態にあろうが、または非動作状態にあろうが、制御メッセージが、特定の特性を構成するように使用され得、またはデバイス内で特定の動作を実現するように使用され得るパラメータを有することを意味することがある。
【０３０８】
本開示において、様々な実施形態が開示されている。開示された例示的な実施形態からの制限、特徴、および／または要素を組み合わせて、本開示の範囲内で、さらなる実施形態を作り出すことができる。
【０３０９】
本開示では、パラメータ（または同様に、フィールド、もしくは情報要素：ＩＥと呼ばれる）は、１つ以上の情報オブジェクトを含むことができ、１つの情報オブジェクトは、１つ以上の他のオブジェクトを含むことができる。例えば、パラメータ（ＩＥ）Ｎがパラメータ（ＩＥ）Ｍを含み、パラメータ（ＩＥ）Ｍがパラメータ（ＩＥ）Ｋを含み、パラメータ（ＩＥ）Ｋがパラメータ（情報要素）Ｊを含む場合、例えば、ＮはＫを含み、ＮはＪを含む。例示的な実施形態において、１つ以上の（または少なくとも１つの）メッセージ（複数可）が複数のパラメータを含むとき、それは、複数のパラメータのうちの一パラメータが、１つ以上のメッセージのうちの少なくとも１つに含まれるが、１つ以上のメッセージの各々に含まれる必要はないことを意味する。例示的な実施形態では、１つ以上の（または少なくとも１つの）メッセージ（複数可）が値、イベントおよび／または条件を示すとき、値、イベントおよび／または条件が１つ以上のメッセージのうちの少なくとも１つ以上によって示されるが、１つ以上のメッセージの各々によって示される必要はないことを意味する。
【０３１０】
さらに、上記で提示された多くの特徴は、「ｍａｙ」の使用または括弧の使用を通じて任意選択であると説明されている。簡潔さおよび読みやすさのために、本開示は、１組の任意選択の特徴から選択することによって得ることができるありとあらゆる順列組み合わせを明示的に列挙していない。しかしながら、本開示は、そのような順列組み合わせをすべて明示的に開示していると解釈されるべきである。例えば、３つの任意の特徴を有するものとして記載されたシステムは、７つの異なる方法で、すなわち３つの可能な特徴のうちの１つだけ、３つの可能な特徴のうちの任意の２つ、または３つの可能な特徴のうちの３つすべてで具現化することができる。
【０３１１】
開示された実施形態に記載された要素の多くは、モジュールとして具現化されてもよい。１つのモジュールは、本明細書では、定義された機能を実行し、かつ他の要素に対する定義されたインターフェースを有する１つの要素として定義される。本開示に記載されるモジュールは、ハードウェア、ハードウェアと組み合わせたソフトウェア、ファームウェア、ウェットウェア（すなわち、生物学的要素を有するハードウェア）、またはそれらの組み合わせで具現化され得、それらはすべて動作的に等価である。例えば、モジュールは、ハードウェアマシンよって実行されるように構成されたコンピュータ言語（Ｃ、Ｃ＋＋、Ｆｏｒｔｒａｎ、Ｊａｖａ（登録商標）、Ｂａｓｉｃ、Ｍａｔｌａｂなど）で書かれたソフトウェアルーチン、またはＳｉｍｕｌｉｎｋ、Ｓｔａｔｅｆｌｏｗ、ＧＮＵ  Ｏｃｔａｖｅ、またはＬａｂＶＩＥＷＭａｔｈＳｃｒｉｐｔのようなモデリング／シミュレーションプログラムとして具現化され得る。さらに、個別の、またはプログラム可能なアナログ、デジタル、および／もしくは量子ハードウェアを組み込む物理的ハードウェアを使用して、モジュールを具現化することが可能であり得る。プログラム可能なハードウェアの例としては、コンピュータ、マイクロコントローラ、マイクロプロセッサ、特定用途向け集積回路（ＡＳＩＣ）、フィールドプログラマブルゲートアレイ（ＦＰＧＡ）、および複合プログラマブル論理デバイス（ＣＰＬＤ）が挙げられる。コンピュータ、マイクロコントローラ、およびマイクロプロセッサは、アセンブリ、Ｃ、Ｃ＋＋などの言語を使用してプログラムされる。ＦＰＧＡ、ＡＳＩＣ、およびＣＰＬＤは、ＶＨＳＩＣハードウェア記述言語（ＶＨＤＬ）またはＶｅｒｉｌｏｇなどのハードウェア記述言語（ＨＤＬ）を使用してプログラムされることが多く、プログラマブルデバイスの機能がより少ない内部ハードウェアモジュール間の接続を構成する。上記の技術は、しばしば機能モジュールの結果を達成するために組み合わせて使用される。
【０３１２】
この特許文書の開示は、著作権保護の対象となる資料を組み込んでいる。著作権所有者は、特許商標庁の特許ファイルまたは記録に記載されているように、法律によって要求される限られた目的のために、誰かによる特許文書または特許開示の複製に反対しないが、それ以外の場合は、すべての著作権を留保する。
【０３１３】
種々の実施形態を上述したが、それらは限定ではなく例として提示されたことを理解されたい。当業者には、趣旨および範囲を逸脱することなく形態および詳細の種々の変更をなし得ることが明らかであろう。実際、上記の説明を読んだ後、代替実施形態をどのように具現化するかは、当業者には明らかであろう。したがって、本実施形態は、上述の例示的な実施形態のいずれによっても限定されるべきではない。
【０３１４】
さらに、機能性および利点を強調する図は、いずれも例示目的のみのために提示されていることを理解されたい。開示されたアーキテクチャは、示されたもの以外の方法で利用され得るように、十分に柔軟性があり、かつ構成可能である。例えば、いくつかの実施形態においては、任意のフローチャートに列挙された動作は、並べ替えられてもよく、または単に任意選択で使用されてもよい。
【０３１５】
さらに、開示の要約の目的は、米国特許商標庁および一般大衆、特に特許または法的用語または表現に精通していない当該分野の科学者、技術者および実務家が、一瞥して出願の技術的な開示の性質と本質を迅速に判断できるようにすることである。開示の要約は、いかなる意味においても範囲を限定することを意図するものではない。
【０３１６】
最後に、「する手段」または「するステップ」という明示的な用語を含む請求項のみが、３５  Ｕ．Ｓ．Ｃ．１１２の下で解釈されることが出願人の意図である。「する手段」または「するステップ」という語句を明示的に含まない請求項は、３５  Ｕ．Ｓ．Ｃ．１１２の下で解釈されるべきでない。
【図１】
0006901107.tif 000005
【図２】
0006901107.tif 000006
【図３】
0006901107.tif 000007
【図４】
0006901107.tif 000008
【図５Ａ】
0006901107.tif 000009
【図５Ｂ】
0006901107.tif 000010
【図５Ｃ】
0006901107.tif 000011
【図５Ｄ】
0006901107.tif 000012
【図６】
0006901107.tif 000013
【図７】
0006901107.tif 000014
【図８】
0006901107.tif 000015
【図９】
0006901107.tif 000016
【図１０Ａ】
0006901107.tif 000017
【図１０Ｂ】
0006901107.tif 000018
【図１１Ａ】
0006901107.tif 000019
【図１１Ｂ】
0006901107.tif 000020
【図１１Ｃ】
0006901107.tif 000021
【図１１Ｄ】
0006901107.tif 000022
【図１１Ｅ】
0006901107.tif 000023
【図１１Ｆ】
0006901107.tif 000024
【図１２Ａ】
0006901107.tif 000025
【図１２Ｂ】
0006901107.tif 000026
【図１２Ｃ】
0006901107.tif 000027
【図１３Ａ】
0006901107.tif 000028
【図１３Ｂ】
0006901107.tif 000029
【図１４】
0006901107.tif 000030
【図１５】
0006901107.tif 000031
【図１６】
0006901107.tif 000032
【図１７】
0006901107.tif 000033
【図１８】
0006901107.tif 000034
【図１９】
0006901107.tif 000035
【図２０】
0006901107.tif 000036
【図２１】
0006901107.tif 000037
【図２２】
0006901107.tif 000038
【図２３】
0006901107.tif 000039
【図２４】
0006901107.tif 000040
【図２５】
0006901107.tif 000041
【図２６】
0006901107.tif 000042
【図２７】
0006901107.tif 000043
【図２８】
0006901107.tif 000044
【図２９】
0006901107.tif 000045
【図３０】
0006901107.tif 000046
【図３１】
0006901107.tif 000047
【図３２】
0006901107.tif 000048
【図３３】
0006901107.tif 000049
【図３４】
0006901107.tif 000050
【図３５】
0006901107.tif 000051
【図３６】
0006901107.tif 000052
【図３７】
0006901107.tif 000053
【図３８】
0006901107.tif 000054
【図３９】
0006901107.tif 000055
【図４０】
0006901107.tif 000056
【図４１】
0006901107.tif 000057
【図４２】
0006901107.tif 000058
【図４３】
0006901107.tif 000059
【図４４】
0006901107.tif 000060
【図４５】
0006901107.tif 000061
【図４６】
0006901107.tif 000062
【図４７】
0006901107.tif 000063
【図４８】
0006901107.tif 000064
【図４９】
0006901107.tif 000065
【図５０】
0006901107.tif 000066
【図５１】
0006901107.tif 000067